(57)【要約】  いくつかの例示的な実施例は、セルラマネージャとユーザ機器（ＵＥ）との間で無線ローカルエリアネットワーク（ＷＬＡＮ）ノードを介して通信するデバイス、システム及び／又は方法を含む。たとえば、進化型ノードＢ（ｅＮＢ）は、ユーザ機器（ＵＥ）に少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するように、かつ無線ローカルエリアネットワーク（ＷＬＡＮ）ノードを介したＵＥとのＩＰトンネルの確立に参加するように、かつＥ−ＲＡＢのダウンリンクトラフィックを含むＩＰペイロードをＩＰトンネリングパケット内にカプセル化するように、かつ、ＩＰトンネルを介してＩＰトンネリングパケットをＵＥへ送出するように、構成されることができる。
2018528650.tif 000002
【特許請求の範囲】
【請求項１】
ユーザ機器（ＵＥ）の装置であって、当該装置が、
進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するセルラトランシーバと、
前記ＵＥに割り当てられたインターネットプロトコル（ＩＰ）アドレスを含むＷＬＡＮメッセージを受信する無線ローカルエリアネットワーク（ＷＬＡＮ）トランシーバと、
前記ＵＥに割り当てられた前記ＩＰアドレスを、ＷＬＡＮノードを介した前記ｅＮＢとのＩＰトンネルを確立する際に使用するとともに、前記ＩＰトンネルを介して受信されたＩＰトンネリングパケットを処理するように前記ＵＥをトリガするように構成された制御装置コンポーネントであって、前記ＩＰトンネリングパケットが前記Ｅ−ＲＡＢのダウンリンクトラフィックを含んでいるカプセル化ＩＰペイロードを含む、制御装置コンポーネントとを備える、装置。
【請求項２】
前記ＩＰトンネルがＩＰセキュリティ（ＩＰＳｅｃ）トンネルを備え、前記ＩＰトンネリングパケットがＩＰＳｅｃプロトコルに従って暗号化され認証される、請求項１に記載の装置。
【請求項３】
前記セルラトランシーバが前記ｅＮＢから、前記ＷＬＡＮノードのＷＬＡＮ識別子と、鍵情報と、前記ｅＮＢのＩＰアドレスとを含むセルラメッセージを受信することができ、前記制御装置コンポーネントが、前記ＷＬＡＮ識別子に基づいて前記ＷＬＡＮノードとのＷＬＡＮ接続を確立するように前記ＷＬＡＮトランシーバをトリガするように、かつ前記鍵情報を使用して前記ＵＥと前記ｅＮＢとの間の相互認証を実行するように前記ＵＥをトリガするように、かつ前記ＷＬＡＮ接続を介して前記ｅＮＢとのＩＰＳｅｃセッションを確立するように、構成される、請求項２に記載の装置。
【請求項４】
前記鍵情報がノンスを含む、請求項３に記載の装置。
【請求項５】
前記制御装置コンポーネントが、前記セルラメッセージ中の鍵情報に基づいて事前共有鍵を決定するように、また前記事前共有鍵を使用して前記ＵＥと前記ｅＮＢとの間の前記相互認証を実行するように前記ＵＥをトリガするように、構成される、請求項３に記載の装置。
【請求項６】
前記セルラトランシーバが前記ｅＮＢから、前記ＷＬＡＮノードのＷＬＡＮ識別子、ｅＮＢ公開鍵、ＵＥ公開鍵、ＵＥ秘密鍵、及び前記ｅＮＢのＩＰアドレスを含むセルラメッセージを受信することができ、前記制御装置コンポーネントが、前記ＷＬＡＮ識別子に基づいて前記ＷＬＡＮノードとのＷＬＡＮ接続を確立するように前記ＷＬＡＮトランシーバをトリガするように、かつ前記ｅＮＢ公開鍵、前記ＵＥ公開鍵及び前記ＵＥ秘密鍵を使用して、前記ＵＥと前記ｅＮＢとの間の相互認証を実行するように前記ＵＥをトリガするように、かつ前記ＷＬＡＮ接続を介して前記ｅＮＢとのＩＰＳｅｃセッションを確立するように、構成される、請求項２に記載の装置。
【請求項７】
前記ＩＰトンネルが、前記ＵＥと前記ｅＮＢとの間の非安全トンネルを含む、請求項１に記載の装置。
【請求項８】
前記セルラトランシーバが前記ｅＮＢから、鍵情報を含むセルラメッセージを受信することができ、前記制御装置コンポーネントが、少なくとも前記鍵情報に基づいてＷＬＡＮ事前共有鍵を生成するように、かつ前記ＷＬＡＮ事前共有鍵を使用して前記ＷＬＡＮノードとの安全セッションを確立するように前記ＷＬＡＮトランシーバをトリガするように、構成される、請求項７に記載の装置。
【請求項９】
前記制御装置コンポーネントが、前記ｅＮＢから受信されたアグリゲーション開始メッセージに応答して、前記ＷＬＡＮトランシーバのＷＬＡＮ識別子を含む応答メッセージを前記ｅＮＢへ送信するように前記セルラトランシーバをトリガするように、かつ前記応答メッセージの送信後に、前記ｅＮＢから前記セルラメッセージを受信するように前記セルラトランシーバをトリガするように、構成される、請求項８に記載の装置。
【請求項１０】
前記セルラトランシーバが前記ｅＮＢから、同じＩＰサブネットに属する複数のＷＬＡＮノードのリストを受信することができ、前記制御装置コンポーネントが、前記複数のＷＬＡＮノードのうちの第１のＷＬＡＮノードを介して前記ＩＰトンネルを確立するように前記ＷＬＡＮトランシーバをトリガするように、かつ前記ＩＰトンネルを前記第１のＷＬＡＮノードから前記複数のＷＬＡＮノードのうちの第２のＷＬＡＮノードへ移すように、構成される、請求項１から９のいずれか一項に記載の装置。
【請求項１１】
前記制御装置コンポーネントが、前記ＩＰトンネルを介した送信を中断するための表示を前記ｅＮＢへ送信するように前記セルラトランシーバをトリガするように、かつ前記第１のＷＬＡＮノードと結合解除するように前記ＷＬＡＮトランシーバをトリガするように、かつ前記第２のＷＬＡＮノードと結合するように前記ＷＬＡＮトランシーバをトリガするように、かつ前記ＩＰトンネルを介した通信を再開するための表示を前記ｅＮＢへ送信するように前記セルラトランシーバをトリガするように、構成される、請求項１０に記載の装置。
【請求項１２】
１つ若しくは複数のアンテナ、メモリ及びプロセッサを備える、請求項１から９のいずれか一項に記載の装置。
【請求項１３】
ユーザ機器（ＵＥ）によって実行される方法であって、当該方法が、
進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するステップと、
前記ＵＥに割り当てられたインターネットプロトコル（ＩＰ）アドレスを含む無線ローカルエリアネットワーク（ＷＬＡＮ）メッセージを受信するステップと、
前記ＵＥに割り当てられた前記ＩＰアドレスを、ＷＬＡＮノードを介した前記ｅＮＢとのＩＰトンネルを確立する際に使用するように前記ＵＥをトリガするステップと、
前記ＩＰトンネルを介して受信されたＩＰトンネリングパケットを処理するステップであって、前記ＩＰトンネリングパケットが前記Ｅ−ＲＡＢのダウンリンクトラフィックを含んでいるカプセル化ＩＰペイロードを含む、ステップとを含む、方法。
【請求項１４】
前記ｅＮＢから、同じＩＰサブネットに属する複数のＷＬＡＮノードのリストを受信するステップと、前記複数のＷＬＡＮノードのうちの第１のＷＬＡＮノードを介して前記ＩＰトンネルを確立するように前記ＵＥをトリガするステップと、前記ＩＰトンネルを前記第１のＷＬＡＮノードから前記複数のＷＬＡＮノードのうちの第２のＷＬＡＮノードへ移すステップとを含む、請求項１３に記載の方法。
【請求項１５】
少なくとも１つのコンピュータプロセッサによって実行されたときに、前記少なくとも１つのコンピュータプロセッサが請求項１３又は１４に記載の方法を実行することを可能にするように動作可能なコンピュータ実行可能命令を含む、コンピュータプログラム。
【請求項１６】
進化型ノードＢ（ｅＮＢ）の装置を備えるセルラ通信のシステムであって、前記装置が、
ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するセルラトランシーバと、
ＷＬＡＮノードと通信するための無線ローカルエリアネットワーク（ＷＬＡＮ）ノードインタフェースと、
前記ＷＬＡＮノードを介した前記ＵＥとのインターネットプロトコル（ＩＰ）トンネルの確立に参加するように前記ｅＮＢをトリガするように、かつ前記Ｅ−ＲＡＢのダウンリンクトラフィックを含むＩＰペイロードをＩＰトンネリングパケット内にカプセル化するように、かつ前記ＩＰトンネルを介して前記ＩＰトンネリングパケットを前記ＵＥへ送出するように、構成された制御装置コンポーネントとを備える、システム。
【請求項１７】
前記ＩＰトンネルがＩＰセキュリティ（ＩＰＳｅｃ）トンネルを備え、前記ＩＰトンネリングパケットがＩＰＳｅｃプロトコルに従って暗号化され認証される、請求項１６に記載のシステム。
【請求項１８】
前記制御装置コンポーネントが、前記ＷＬＡＮノードのＷＬＡＮ識別子と、鍵情報と、前記ｅＮＢのＩＰアドレスとを含むセルラメッセージを前記ＵＥへ送信するように前記セルラトランシーバをトリガするように構成され、前記制御装置コンポーネントが、前記鍵情報を使用して前記ＵＥと前記ｅＮＢとの間の相互認証を実行するように前記ｅＮＢをトリガするように、かつ前記ＷＬＡＮノードを介して前記ＵＥとのＩＰＳｅｃセッションを確立するように、構成される、請求項１７に記載のシステム。
【請求項１９】
前記制御装置コンポーネントが、少なくとも前記セルラメッセージ中の鍵情報に基づいて事前共有鍵を決定するように、かつ前記事前共有鍵を使用して前記ＵＥと前記ｅＮＢとの間の前記相互認証を実行するように前記ｅＮＢをトリガするように、構成される、請求項１８に記載のシステム。
【請求項２０】
前記制御装置コンポーネントが、前記ＷＬＡＮノードのＷＬＡＮ識別子と、ｅＮＢ公開鍵と、ＵＥ公開鍵と、ＵＥ秘密鍵と、前記ｅＮＢのＩＰアドレスとを含むセルラメッセージを前記ＵＥへ送信するように前記セルラトランシーバをトリガするように構成され、前記制御装置コンポーネントが、前記ｅＮＢ公開鍵、前記ＵＥ公開鍵及び前記ＵＥ秘密鍵を使用して前記ＵＥと前記ｅＮＢとの間の相互認証を実行するように前記ｅＮＢをトリガするように、かつ前記ＷＬＡＮノードを介して前記ＵＥとのＩＰＳｅｃセッションを確立するように、構成される、請求項１７に記載のシステム。
【請求項２１】
前記ＩＰトンネルが、前記ＵＥと前記ｅＮＢとの間の非安全トンネルを含む、請求項１６に記載のシステム。
【請求項２２】
前記制御装置コンポーネントが、鍵情報を生成するように、かつ少なくとも前記鍵情報に基づいてＷＬＡＮ共有鍵を決定するように、かつ前記ＷＬＡＮ共有鍵を前記ＷＬＡＮノードへ送出するように前記ＷＬＡＮノードインタフェースをトリガするように、かつ前記鍵情報を含むセルラメッセージを前記ＵＥへ送信するように前記セルラトランシーバをトリガするように、構成される、請求項２１に記載のシステム。
【請求項２３】
前記制御装置コンポーネントが、前記ＷＬＡＮノードのＷＬＡＮ識別子を含むアグリゲーション開始メッセージを前記ＵＥへ送信するように前記セルラトランシーバをトリガするように、かつ前記ＵＥからの、前記ＵＥのＷＬＡＮ識別子を含む応答メッセージを処理するように、かつ前記ＵＥのＷＬＡＮ識別子を含むアクセス要求を前記ＷＬＡＮノードへ送出するように前記ＷＬＡＮノードインタフェースをトリガするように、かつ確認応答メッセージを前記ＷＬＡＮノードから受信すると、前記鍵情報を含む接続要求メッセージを前記ＵＥへ送信するように前記セルラトランシーバをトリガするように、構成される、請求項２２に記載のシステム。
【請求項２４】
前記制御装置コンポーネントが、同じＩＰサブネットに属する複数のＷＬＡＮノードのリストを前記ＵＥへ送信するように前記セルラトランシーバをトリガするように構成され、前記制御装置コンポーネントが、前記ＩＰトンネルを、前記ＵＥからの指示に基づいて前記複数のＷＬＡＮノードのうちの第１のＷＬＡＮノードから第２のＷＬＡＮノードへ移すように前記ＷＬＡＮノードインタフェースをトリガするように構成される、請求項１６から２３のいずれか一項に記載のシステム。
【請求項２５】
前記装置が、１つ若しくは複数のアンテナ、メモリ及びプロセッサを備える、請求項１６から２３のいずれか一項に記載のシステム。
【請求項２６】
請求項１５に記載のコンピュータプログラムを記憶したコンピュータ読み取り可能な記憶媒体。
【発明の詳細な説明】
【技術分野】
【０００１】
相互参照
本出願は、２０１５年７月２４日に出願された「ＬＴＥ／ＷＬＡＮ  ＡＧＧＲＥＧＡＴＩＯＮ  （ＬＷＡ）  ＡＢＯＶＥ  ＰＤＣＰ  ＷＩＴＨ  ＩＰ／ＩＰＳＥＣ  ＴＵＮＮＥＬ」という名称の米国特許仮出願第６２／１９６，４５６号の利益及び優先権を主張し、その開示全体が参照により本明細書に組み込まれる。
【０００２】
技術分野
本明細書に記載のいくつかの実施例は一般に、セルラマネージャとユーザ機器（ＵＥ）との間で無線ローカルエリアネットワーク（ＷＬＡＮ）を介して通信することに関する。
【背景技術】
【０００３】
無線通信デバイス、たとえばモバイルデバイスは、複数の無線通信技術を利用するように構成されることができる。
【０００４】
たとえば、ユーザ機器（ＵＥ）デバイスは、セルラ接続、たとえばユニバーサル移動体通信システム（ＵＭＴＳ）セルラ接続又はロングタームエボリューション（ＬＴＥ）接続、並びに無線ローカルエリアネットワーク（ＷＬＡＮ）接続、たとえばワイヤレスフィデリティ（ＷｉＦｉ）接続、を利用するように構成されることができる。
【発明の概要】
【０００５】
セルラとＷＬＡＮ無線接続技術の効率的な網間接続、統合、及び／又は管理が必要とされている。
【０００６】
図を簡単明瞭にするために、図に示されている要素は必ずしも原寸に比例していない。たとえば、いくつかの要素の寸法は、表示を明瞭にするために他の要素に対して誇張されていることがある。さらに、対応する又は類似する要素を示すために、参照数字が図の間で繰り返されることがある。図は下記に一覧表示されている。
【図面の簡単な説明】
【０００７】
【図１】いくつかの例示的な実施例によるシステムの概略ブロック図である。
【図２】いくつかの例示的な実施例による第１のトンネリング配置の概略図である。
【図３】いくつかの例示的な実施例による第２のトンネリング配置の概略図である。
【図４】いくつかの例示的な実施例による、事前共有鍵を確立する動作及び通信の概略図である。
【図５】いくつかの例示的な実施例による、無線ローカルエリアネットワーク（ＷＬＡＮ）ノードへのＵＥのアクセスを制御する動作及び通信の概略図である。
【図６】いくつかの例示的な実施例による、安全なインターネットプロトコル（ＩＰ）セッションを確立する動作及び通信の概略図である。
【図７】いくつかの例示的な実施例による、安全なＩＰセッションを確立する動作及び通信の概略図である。
【図８】いくつかの例示的な実施例によるユーザ機器（ＵＥ）の要素の概略図である。
【図９】いくつかの例示的な実施例による、セルラマネージャとＵＥとの間でＷＬＡＮノードを介して通信する方法の概略流れ図である。
【図１０】いくつかの例示的な実施例による、セルラマネージャとＵＥとの間でＷＬＡＮノードを介して通信する方法の概略流れ図である。
【図１１】いくつかの例示的な実施例による製品の概略図である。
【発明を実施するための形態】
【０００８】
下記の詳細な説明では、いくつかの実施例についての完全な理解が得られるように、多数の具体的な詳細が明らかにされる。しかし、当業者には、いくつかの実施例がこれらの具体的な詳細がなくても実践され得ることが理解されよう。他の場合では、よく知られている方法、手順、構成要素、ユニット及び／又は回路が、議論を不明瞭にしないようにするために記載されていない。
【０００９】
たとえば、「処理する」、「計算する」、「算出する」、「決定する」、「確立する」、「分析する」、「検査する」などの用語を用いる本明細書における議論は、コンピュータ、計算プラットフォーム、計算システム、又は他の電子計算デバイスの（複数の）演算及び／又は（複数の）処理を指すことがあり、これらは、コンピュータのレジスタ及び／又はメモリの中で物理（たとえば電子的）量として表されるデータを、演算及び／又は処理を実行するための命令を記憶できるコンピュータのレジスタ、及び／又はメモリ若しくは他の情報記憶媒体の中の物理量として同様に表される他のデータへと操作及び／又は変換する。
【００１０】
本明細書において使用される用語「複数」は、たとえば「多数」又は「２つ以上」を含む。たとえば、「複数の項目」は２つ以上の項目を含む。
【００１１】
「１つの実施例」、「一実施例」、「例示的な実施例」、「様々な実施例」などと呼ばれるものは、そのように記載された実施例が特定の機能、構造、又は特徴を含み得ることを示すが、すべての実施例は、必ずしもその特定の機能、構造、又は特徴を含まない。さらに、「一実施例において」という語句を繰り返し使用することは、必ずしも同一の実施例を指しているとは限らないが、そうである場合もある。
【００１２】
本明細書では、特にことわらない限り、共通の対象物を記述するための順序形容詞である「第１の」、「第２の」、「第３の」などは、同様の対象物の異なる例が言及されていることを示すにすぎず、そのように示された対象物が時間的な、空間的な、序列化による、又は他の任意の様式の、所与の順序でなければならないことを示唆するものではない。
【００１３】
いくつかの実施例は、様々なデバイス及びシステム、たとえば、パーソナルコンピュータ（ＰＣ）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、携帯情報端末（ＰＤＡ）デバイス、ハンドヘルドＰＤＡデバイス、オンボードデバイス、オフボードデバイス、モノのインターネット（ＩｏＴ）デバイス、センサデバイス、ウェアラブルデバイス、ハイブリッドデバイス、車両デバイス、非車両デバイス、モバイル又は携帯デバイス、消費者デバイス、非モバイル又は非携帯デバイス、無線通信局、無線通信デバイス、無線アクセスポイント（ＡＰ）、有線又は無線ルータ、有線又は無線モデム、映像デバイス、音声デバイス、音声映像（ＡＶ）デバイス、有線又は無線ネットワーク、無線エリアネットワーク、セルラネットワーク、セルラノード、セルラデバイス、無線ローカルエリアネットワーク（ＷＬＡＮ）、多入力多出力（ＭＩＭＯ）トランシーバ又はデバイス、一入力多出力（ＳＩＭＯ）トランシーバ又はデバイス、多入力一出力（ＭＩＳＯ）トランシーバ又はデバイス、１つ若しくは複数の内部アンテナ及び／又は外部アンテナを有するデバイス、デジタルビデオ放送（ＤＶＢ）デバイス又はシステム、マルチスタンダードラジオデバイス又はシステム、たとえばスマートフォンである有線又は無線ハンドヘルドデバイス、無線アプリケーションプロトコル（ＷＡＰ）デバイス、自動販売機、販売端末など、と一緒に使用されることができる。
【００１４】
いくつかの実施例は、既存の第３世代パートナーシッププロジェクト（３ＧＰＰ）及び／又はロングタームエボリューション（ＬＴＥ）仕様（３ＧＰＰ  ＴＳ  ３６．３００（「ＴＳ  ３６．３００  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２，ｖｅｒｓｉｏｎ  １１．７．０  Ｒｅｌｅａｓｅ  １１」、２０１３年９月）を含む）及び／又はその将来のバージョン及び／又は派生物に従って動作するデバイス及び／又はネットワーク、既存のワイヤレスギガビットアライアンス（ＷＧＡ）仕様（Ｗｉｒｅｌｅｓｓ  Ｇｉｇａｂｉｔ  Ａｌｌｉａｎｃｅ，Ｉｎｃ  ＷｉＧｉｇ  ＭＡＣ  ａｎｄ  ＰＨＹ  Ｓｐｅｃｉｆｉｃａｔｉｏｎ  Ｖｅｒｓｉｏｎ  １．１、２０１１年４月、最終仕様）及び／又はその将来のバージョン及び／又は派生物に従って動作するデバイス及び／又はネットワーク、既存のＩＥＥＥ８０２．１１標準（ＩＥＥＥ  ８０２．１１−２０１２，ＩＥＥＥ  Ｓｔａｎｄａｒｄ  ｆｏｒ  Ｉｎｆｏｒｍａｔｉｏｎ  ｔｅｃｈｎｏｌｏｇｙ−−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−−Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓ、２０１２年３月２９日）及びその将来のバージョン及び／又は派生物に従って動作するデバイス及び／又はネットワーク、既存のＩＥＥＥ８０２．１６標準（ＩＥＥＥ−Ｓｔｄ  ８０２．１６，２００９  Ｅｄｉｔｉｏｎ，Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ、ＩＥＥＥ−Ｓｔｄ  ８０２．１６ｅ，２００５  Ｅｄｉｔｉｏｎ，Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ、タスクグループｍによって策定されたＩＥＥＥ  Ｓｔｄ  ８０２．１６−２００９の修正）及び将来のバージョン及び／又はその派生物に従って動作するデバイス及び／又はネットワーク、既存のＷｉｒｅｌｅｓｓＨＤ（商標）仕様及び／又はその将来のバージョン及び／又は派生物に従って動作するデバイス及び／又はネットワーク、上記のネットワークの一部であるユニット及び／又はデバイスなど、と一緒に使用されることができる。
【００１５】
いくつかの実施例は、１つ若しくは複数のタイプの無線通信信号及び／又はシステム、たとえば、無線周波数（ＲＦ）、周波数分周多重（ＦＤＭ）、直交ＦＤＭ（ＯＦＤＭ）、シングルキャリア周波数分割多重接続（ＳＣ−ＦＤＭＡ）、時間分割多重（ＴＤＭ）、時間分割多重接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＴＭ）、ブルートゥース（登録商標）、全地球測位システム（ＧＰＳ）、ワイヤレスフィデリティ（Ｗｉ−Ｆｉ）、ワイマックス、ジグビー（商標）、超広帯域（ウルトラワイドバンド：ＵＷＢ）、グローバルシステムフォーモバイルコミュニケーション（ＧＳＭ（登録商標））、第２世代（２Ｇ）、２．５Ｇ、３Ｇ、３．５Ｇ、４Ｇ、第５世代（５Ｇ）移動網、３ＧＰＰ、ロングタームエボリューション（ＬＴＥ）セルラシステム、ＬＴＥ進化型セルラシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、シングルキャリア無線伝送技術（１ＸＲＴＴ）、エボリューションデータ最適化（ＥＶ−ＤＯ）、ＧＳＭ（登録商標）進化型高速データレート（ＥＤＧＥ）など、と一緒に使用されることができる。他の実施例は、様々な他のデバイス、システム及び／又はネットワークにおいて使用されることができる。
【００１６】
本明細書で使用される用語「無線デバイス」は、たとえば、無線通信が可能なデバイス、無線通信が可能な通信デバイス、無線通信が可能な通信局、無線通信が可能な携帯又は非携帯デバイスなどを含む。いくつかの例示的な実施例では、無線デバイスは、コンピュータと一体化されている周辺装置、又はコンピュータに取り付けられている周辺装置であるか、又はそれらを含むこともある。いくつかの例示的な実施例では、用語「無線デバイス」は任意選択で無線サービスを含み得る。
【００１７】
通信信号に関して本明細書で使用される用語「通信すること」は、通信信号を送信すること及び／又は通信信号を受信することを含む。たとえば、通信信号を伝達できる通信ユニットは、通信信号を少なくとも１つの他の通信ユニットへ送信する送信機、及び／又は通信信号を少なくとも１つの他の通信ユニットから受信する通信受信機を含み得る。通信するという動詞を使用して、送信する動作又は受信する動作を指すことがある。１つの例では、「信号を伝達する」という語句が第１のデバイスによって信号を送信する動作を指すことがあり、必ずしも第２のデバイスによってその信号を受信する動作を含まないことがある。別の例では、「信号を伝達する」という語句が第１のデバイスによって信号を受信する動作を指すことがあり、必ずしも第２のデバイスによってその信号を送信する動作を含まないことがある。
【００１８】
本明細書で使用される用語「回路」は、１つ若しくは複数のソフトウェア又はファームウェアプログラムを実行する特定用途向け集積回路（ＡＳＩＣ）、集積回路、電子回路、プロセッサ（共用、専用、又はグループ）及び／若しくはメモリ（共用、専用、又はグループ）、組み合わせ論理回路、並びに／又は上記の機能を提供する他の適切なハードウェアコンポーネントを指し得る。いくつかの実施例では、回路は、１つ若しくは複数のソフトウェア又はファームウェアモジュールの形で実施されることができ、或いはその回路に付随する機能は、そのソフトウェア又はファームウェアモジュールによって実施されることができる。いくつかの実施例では、回路は、ハードウェア内で少なくとも部分的に動作可能な論理回路を含み得る。
【００１９】
「論理」という用語は、たとえば、計算装置の回路内に埋め込まれた計算論理、及び／又は計算装置のメモリ内に記憶された計算論理を指し得る。たとえば、論理は、計算論理を実行して計算機能及び／又は演算を実施する計算装置のプロセッサからアクセス可能であり得る。１つの例では、論理は、様々なタイプのメモリ及び／又はファームウェア内に、たとえば様々なチップ及び／又はプロセッサであるシリコンブロック内に、埋め込まれることができる。論理は、様々な回路に、たとえば無線機回路、受信器回路、制御回路、送信機回路、トランシーバ回路、プロセッサ回路、及び／又は同様のものに、含まれること、及び／又はその一部として実装されることができる。１つの例では、論理は、ランダムアクセスメモリ、読出し専用メモリ、プログラム可能メモリ、磁気メモリ、フラッシュメモリ、持続性メモリなどを含む、揮発性メモリ及び／又は不揮発性メモリ内に埋め込まれることができる。たとえば必要に応じて論理を実行するために、論理は、１つ若しくは複数のプロセッサによって、その１つ若しくは複数のプロセッサに結合されたメモリ、たとえばレジスタ、スタック、バッファ、及び／又は同様のものを使用して、実行されることができる。
【００２０】
本明細書で使用される用語「アンテナ」は、１つ若しくは複数のアンテナ要素、コンポーネント、ユニット、アセンブリ及び／若しくはアレイの任意の適切な構成、構造並びに／又は配置を含み得る。いくつかの実施例では、アンテナは送信及び受信機能を、別々の送信要素及び受信要素を使用して実施することができる。いくつかの実施例では、アンテナは送信機能及び受信機能を、共用及び／又は一体型の送信／受信要素を使用して実施することができる。アンテナは、たとえば、フェーズドアレイアンテナ、単一素子アンテナ、ダイポールアンテナ、切り換えビームアンテナのセット、及び／又は同様のものを含み得る。
【００２１】
本明細書で使用される用語「セル」は、ネットワークリソースの組み合わせ、たとえばダウンリンクリソースと任意選択によるアップリンクリソース、を含み得る。リソースは、たとえばノード（「基地局」とも呼ばれる）などによって制御されること、及び／又は割り当てられることができる。ダウンリンクリソースのキャリア周波数とアップリンクリソースのキャリア周波数との間のリンキングは、ダウンリンクリソースにより送信されるシステム情報として示されることができる。
【００２２】
いくつかの例示的な実施例が、ＬＴＥネットワークに関して本明細書に記載されている。しかし、他の実施例が、他の任意の適切なセルラネットワーク又はシステムにおいて、たとえばユニバーサル移動体通信システム（ＵＭＴＳ）セルラシステム、ＧＳＭ（登録商標）ネットワーク、３Ｇセルラネットワーク、４Ｇセルラネットワーク、４．５Ｇネットワーク、５Ｇセルラネットワーク、ＷｉＭＡＸセルラネットワークなどにおいて、実施され得る。
【００２３】
いくつかの例示的な実施例が、本明細書においてＷＬＡＮシステム、ＷｉＦｉシステム、及び／又はＷｉＧｉｇシステムに関して記載されている。しかし、他の実施例が、他の任意の適切な非セルラネットワークにおいて実施されることができる。
【００２４】
いくつかの例示的な実施例が、ＷＬＡＮアクセスポイント（ＡＰ）に関して本明細書に記載されている。しかし、他の実施例が、他の任意のＷＬＡＮノード、ＷＬＡＮアクセスデバイス、ＷＬＡアクセスマネージャ、及び／又はＷＬＡＮアクセス制御装置（ＡＣ）において実施されることができる。
【００２５】
いくつかの例示的な実施例は、異種ネットワーク（ＨｅｔＮｅｔ）と一緒に使用されることができる。ＨｅｔＮｅｔでは、たとえばセルラ、ミリ波（「ｍｍＷａｖｅ」又は「ｍｍＷ」）、及び／又は同様のものを含む技術、周波数、セルサイズ及び／又はネットワークアーキテクチャが混合したものの配置を利用することができる。１つの例では、ＨｅｔＮｅｔは、大マクロセルから小セル、たとえばピコセル及びフェムトセル、にまで及ぶ異なるサイズのセルの層を有する無線アクセスネットワークを含み得る。
【００２６】
他の実施例は、他の任意の適切な無線通信ネットワークと一緒に使用されることができる。
【００２７】
ここで図１を参照する。この図は、いくつかの例示的な実施例によるシステム１００のブロック図を概略的に示している。
【００２８】
図１に示されるように、いくつかの例示的な実施例では、システム１００は、コンテンツ、データ、情報及び／又は信号を１つ若しくは複数の無線媒体１０８を介して伝達できる１つ若しくは複数の無線通信デバイスを含み得る。たとえば、システム１００は、たとえば下記で説明されるように、１つ若しくは複数の無線通信ネットワークと通信できる少なくとも１つのユーザ機器（ＵＥ）１０２を含み得る。
【００２９】
無線媒体１０８は、たとえば無線チャネル、セルラチャネル、ＲＦチャネル、ワイヤレスフィデリティ（ＷｉＦｉ）チャネル、ＩＲチャネル、などを含み得る。システム１００の１つ若しくは複数の要素は、任意の適切な有線通信リンクを介して通信することが任意選択で可能であり得る。
【００３０】
いくつかの例示的な実施例では、システム１００は、たとえば下記で説明されるように、セルラネットワークの通信を管理するために、少なくとも１つのセルラマネージャ１０４を含み得る。
【００３１】
いくつかの例示的な実施例では、セルラマネージャ１０４は、進化型ノードＢ（ｅＮＢ）の機能を含むこと及び／又は実行することができる。たとえば、セルラマネージャ１０４は、無線リソース管理（ＲＲＭ）、無線ベアラ制御、無線アドミッション制御（アクセス制御）、接続モビリティ管理、ＵＥとｅＮＢ無線機との間のリソーススケジューリング、たとえばアップリンクとダウンリンクの両方におけるＵＥへのリソースの動的割当て、ヘッダ圧縮、ユーザデータストリームのリンク暗号化、ある宛先、たとえば別のｅＮＢ又は進化型パケットコア（ＥＰＣ）に向けたユーザデータのパケットルーティング、ページングメッセージ、たとえば着信するコール及び／又は接続要求のスケジューリング及び／若しくは送信、同報情報調整、測定報告、並びに／又は他の任意の動作、通信手段、及び／若しくは機能、を実行するように構成されることができる。
【００３２】
他の実施例では、セルラマネージャ１０４は他の任意の機能を含むことができ、かつ／又は他の任意のセルラノード、ネットワーク制御装置、基地局、又は他の任意のノード若しくはネットワークデバイスの機能を実行することができる。
【００３３】
１つの例では、セルラマネージャ１０４はＵＭＴＳの一部であり得る。この例によれば、セルラマネージャ１０４は、複数のノードＢ（図１には示されていない）を制御できる無線ネットワーク制御装置（ＲＮＣ）の機能を実行することができる。たとえば、ノードＢは、たとえば広帯域符号分割多元接続（ＷＣＤＭＡ（登録商標））及び／又は時間分割同期符号分割多元接続（ＴＤ−ＳＣＤＭＡ）エアインタフェース技術を使用して、たとえばＵＥ１０２を含むＵＥと直接通信するように構成されることができる。ＲＮＣは、たとえば、ノードＢデバイスを制御するように構成されたＵＭＴＳ  ＲＮＣを含み得る。
【００３４】
いくつかの例示的な実施例では、システム１００は、非セルラネットワーク１０７、たとえばＷＬＡＮ、たとえば基本サービスセット（ＢＳＳ）へのアクセスを管理するために、ＷＬＡＮノード１０６を含み得る。
【００３５】
いくつかの例示的な実施例では、ＷＬＡＮノード１０６は、たとえば下記で説明されるように、ＷＬＡＮ  ＡＰ、ＷＬＡＮ  ＡＣ、又はＷＬＡＮ終端（ＷＴ）ノードの機能の少なくとも一部を含むこと、少なくとも一部として動作すること、及び／又は少なくとも一部を実行することができる。
【００３６】
別の実施例では、ＷＬＡＮノード１０６は他の任意の機能を含むことができ、かつ／又は１つ若しくは複数の有線ネットワークへのＷＬＡＮ無線アクセスを制御及び／又は管理できる他の任意のデバイスの機能を実行することができる。
【００３７】
１つの例では、ＷＬＡＮノード１０６はアクセス制御装置（ＡＣ）の機能を実行することができる。この例によれば、ＷＬＡＮノード１０６は複数のＡＰデバイス、たとえばライトウェイトアクセスポイント（Lightweight  Access  Point：ＬＡＰ）デバイス（図１には示されていない）を制御することができる。
【００３８】
いくつかの例示的な実施例では、ＵＥ１０２は、たとえば、モバイルデバイス（ＭＤ）、局（ＳＴＡ）、モバイルコンピュータ、ラップトップコンピュータ、ノートブックコンピュータ、タブレットコンピュータ、ウルトラブック（商標）コンピュータ、モノのインターネット（ＩｏＴ）デバイス、ウェアラブルデバイス、センサデバイス、モバイルインターネットデバイス、ハンドヘルドコンピュータ、ハンドヘルドデバイス、記憶デバイス、ＰＤＡデバイス、ハンドヘルドＰＤＡデバイス、オンボードデバイス、オフボードデバイス、ハイブリッドデバイス（たとえば、セルラ電話機能とＰＤＡデバイス機能を組み合わせる）、消費者デバイス、車両デバイス、非車両デバイス、モバイル又は携帯デバイス、モバイル電話、セルラ電話、ＰＣＳデバイス、モバイル又は携帯ＧＰＳデバイス、ＤＶＢデバイス、比較的小さい計算デバイス、非デスクトップコンピュータ、「キャリースモールリブラージ」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「オリガミ」デバイス又は計算デバイス、映像デバイス、音声デバイス、Ａ／Ｖデバイス、ゲームデバイス、メディアプレーヤ、スマートフォン、などを含み得る。
【００３９】
いくつかの例示的な実施例では、ＵＥ１０２、セルラマネージャ１０４及び／又はＷＬＡＮノード１０６は、たとえば下記で説明されるように、ＵＥ１０２、セルラマネージャ１０４、ＷＬＡＮノード１０６の間の通信、及び／又は、１つ若しくは複数の他の無線通信デバイスとの通信を実行するために、１つ若しくは複数の通信インタフェースを含み得る。
【００４０】
いくつかの例示的な実施例は、インタフェース１９９（「アクセスデバイスインタフェース」、「水平インタフェース」、「Ｘｗインタフェース」、「Ｘ２−Ｗインタフェース」、又は「セルラ／ＷＬＡＮインタフェース」とも呼ばれる）を含み、これは、下記で詳細に説明するように、セルラネットワーク要素、たとえばセルラマネージャ１０４とＷＬＡＮ要素、たとえばＷＬＡＮノード１０６、との間でインタフェースするように構成された回路及び／又は論理を含み得る。
【００４１】
いくつかの例示的な実施例では、インタフェース１９９は、任意の有線及び／又は無線リンクによって、たとえば任意の適切な物理層（ＰＨＹ）コンポーネント及び／又はプロトコルを使用して実施されることができる。
【００４２】
いくつかの例示的な実施例では、インタフェース１９９は、たとえば下記で説明されるように、ｅＮＢとＷＬＡＮノード１０６との間でインタフェースするように実施されることができる。しかし、別の実施例では、インタフェース１９９は、他の任意のセルラデバイスと他の任意のＷＬＡＮデバイスとの間で直接インタフェースするように実施されることもできる。
【００４３】
いくつかの例示的な実施例では、セルラマネージャ１０４は、ＣＮ１８９の１つ若しくは複数の要素、たとえば進化型パケットコア（ＥＰＣ）と通信するように構成された回路及び／又は論理を含んでいるインタフェース（「コアネットワーク（ＣＮ）インタフェース」）１４６、たとえば垂直インタフェースを含み得る。
【００４４】
いくつかの例示的な実施例では、ＣＮインタフェース１４６は、たとえばセルラマネージャ１０４がｅＮＢの機能を実行する場合に、セルラマネージャ１０４とサービングゲートウェイ（Ｓ−ＧＷ）１８５との間でＳ１プロトコルに従って通信するように構成されたＳ１垂直インタフェースを含み得る。この例によれば、Ｓ−ＧＷ１８５は、セルラマネージャ１０４とパケットデータネットワーク（ＰＤＮ）ゲートウェイ（Ｐ−ＧＷ）１８７との間でインタフェースすることができる。
【００４５】
別の実施例では、ＣＮインタフェース１４６は、ＣＮ１８９の１つ若しくは複数の要素との他の任意の垂直インタフェースを含み得る。たとえば、セルラマネージャ１０４はＲＮＣの機能を、たとえばＵＭＴＳシステムにおいて実行することができる。この例によれば、ＣＮインタフェース１４６は、ＲＮＣと１つ若しくは複数のパケット交換又は回線交換されたＣＮ要素との間をインタフェースするために、インタフェースユニット回線交換機（Ｉｕ−ＣＳ）インタフェース及び／又はインタフェースユニットパケット交換機（Ｉｕ−ＰＳ）インタフェースを含み得る。
【００４６】
いくつかの例示的な実施例では、セルラマネージャ１０４は、ユーザプレーントラフィックを直接的又は間接的にＣＮ１８９とＵＥ１０２との間で伝達するための回路及び／又は論理を含むインタフェースを含み得る。
【００４７】
いくつかの例示的な実施例では、セルラマネージャ１０４は、たとえばセルラマネージャ１０４がｅＮＢの機能を実行する場合に、ユーザプレーントラフィックを直接ＵＥ１０２に伝達することができる。これらの実施例によれば、セルラマネージャ１０４は、セルラリンクを介してＵＥ１０２と通信するように構成された回路及び／又は論理を含んでいるエアインタフェース、たとえばセルラトランシーバ（ＴＲｘ）１６７を含み得る。別の実施例では、セルラマネージャ１０４は、たとえばセルラマネージャ１０４がＲＮＣの機能を実行する場合に、ユーザプレーントラフィックをＵＥ１０２にノードＢを介して伝達することができる。これらの実施例によれば、セルラマネージャ１０４は、ＲＮＣとノードＢとの間で通信するために、ノードＢインタフェースを含み得る。
【００４８】
いくつかの例示的な実施例では、セルラマネージャ１０４は、たとえば下記で説明されるように、ＷＬＡＮノード１０６と通信するように構成された回路及び／又は論理を含んでいるＷＬＡＮノードインタフェース１６９（「ＷＬＡＮ制御インタフェース」とも呼ばれる）を含み得る。１つの例では、インタフェース１６９は、たとえばＷＬＡＮノード１０６がＡＰの機能を実行する場合に、ＡＰインタフェースを含み得る。別の例では、インタフェース１６９は、非セルラＲＡＴネットワークのノードと通信するために、他の任意の非セルラＲＡＴインタフェースを含み得る。
【００４９】
いくつかの例示的な実施例では、ＷＬＡＮノード１０６は、セルラマネージャ１０４と通信するように構成された回路及び／又は論理を含んでいるセルマネージャインタフェース（「セルラインタフェース」）１９２を含み得る。１つの例では、インタフェース１９２は、たとえばセルラマネージャ１０４がｅＮＢの機能を実行する場合に、ｅＮＢインタフェースを含み得る。別の例では、インタフェース１９２は、たとえばセルラマネージャ１０４がＲＮＣの機能を実行する場合に、ＲＮＣインタフェースを含み得る。
【００５０】
いくつかの例示的な実施例では、インタフェース１６９及び１９２は、セルラマネージャ１０４とＷＬＡＮノード１０６との間で、リンクであるインタフェース１９９を介して通信するように構成されることができる。
【００５１】
いくつかの例示的な実施例では、ＷＬＡＮノード１０６は、ネットワークトラフィックを有線ネットワーク１７７に、たとえばインターネット及び／又は他の任意のネットワークに、伝達するように構成された回路及び／又は論理を含んでいるネットワークインタフェース１９６を含み得る。
【００５２】
いくつかの例示的な実施例では、ＷＬＡＮアクセスデバイス１０６は、ネットワークトラフィック及び／又は他のトラフィックをＵＥ１０２にＷＬＡＮを介して直接的又は間接的に、たとえばＷＬＡＮノード１０６とＵＥ１０２の間のＷＬＡＮリンクを介して伝達するように構成された回路及び／又は論理を含んでいるＷＬＡＮ無線機１９４を含み得る。
【００５３】
いくつかの例示的な実施例では、ＵＥ１０２は、ＷＬＡＮデバイス、たとえばＷＬＡＮノード１０６とＷＬＡＮリンクを介して通信するように構成された回路及び／又は論理を含んでいる非セルラＲＡＴトランシーバ（ＴＲｘ）、たとえばＷＬＡＮ  ＴＲｘ１６３を含み得る。いくつかの実施例が、下記で、ＵＥ、たとえばＷＬＡＮを介して通信するＷＬＡＮ  ＴＲｘを含んでいるＵＥ１０２に関して説明される。たとえば、ＷＬＡＮ  ＴＲｘ１６３は、ＷＬＡＮネットワークインタフェースカード（ＮＩＣ）を含み得る。別の実施例では、ＵＥは、任意の追加又は代替の非セルラＲＡＴネットワークを介して通信するために、任意の追加又は代替の非セルラＲＡＴ  ＴＲｘ、たとえばブルートゥース（登録商標）ＴＲｘ及び／又は他の任意のＴＲｘを含み得る。
【００５４】
いくつかの例示的な実施例では、ＵＥ１０２は、たとえば、セルラデバイスたとえばセルラマネージャ１０４を介して、セルラリンクを介して、セルラネットワークと通信するように構成された回路及び／又は論理を含んでいるセルラトランシーバ（ＴＲｘ）１６５を含み得る。たとえば、セルラＴＲｘ１６５は、セルラ変調器復調器（モデム）、たとえばＬＴＥモデムを含み得る。
【００５５】
いくつかの例示的な実施例では、ＷＬＡＮ  ＴＲｘ１６３、セルラＴＲｘ１６５、セルラＴＲｘ１６７及び／又はＷＬＡＮ無線機１９４は、無線通信信号、ＲＦ信号、フレーム、ブロック、送信ストリーム、パケット、メッセージ、データ項目、及び／又はデータを処理、エンコード、デコード、送信及び／又は受信するための回路及び／又は論理を含んでいる１つ若しくは複数の無線送信機、受信機及び／又はトランシーバを含み得る。
【００５６】
いくつかの例示的な実施例では、ＷＬＡＮ  ＴＲｘ１６３及び／又はＷＬＡＮ無線機１９４は、無線通信信号、ＲＦ信号、フレーム、ブロック、送信ストリーム、パケット、メッセージ、データ項目、及び／又はデータを受信するための回路及び／又は論理を含んでいる１つ若しくは複数の無線受信機（Ｒｘ）、及び／又は、無線通信信号、ＲＦ信号、フレーム、ブロック、送信ストリーム、パケット、メッセージ、データ項目、及び／又はデータを送信するための回路及び／又は論理を含んでいる１つ若しくは複数の無線送信機（Ｔｘ）を含み得る。たとえば、ＷＬＡＮ  ＴＲｘ１６３及び／又はＷＬＡＮ無線機１９４は、回路、論理、無線周波数（ＲＦ）要素、回路、及び／若しくは論理、ベースバンド要素、回路、及び／若しくは論理、変調要素、回路、及び／若しくは論理、復調要素、回路、及び／若しくは論理、増幅器、アナログデジタル変換器及び／若しくはデジタルアナログ変換器、フィルタ、並びに／又は同様のものを含み得る。
【００５７】
いくつかの例示的な実施例では、セルラＴＲｘ１６７及び／又はセルラＴＲｘ１６５は、多入力多出力（ＭＩＭＯ）送信機受信機システム（図示せず）を含むことができ、このシステムは、必要に応じて、アンテナビームフォーミング法を実行することが可能であり得る。別の実施例では、セルラＴＲｘ１６７及び／又はセルラＴＲｘ１６５は、他の任意の送信機及び／又は受信機を含み得る。
【００５８】
いくつかの例示的な実施例では、セルラＴＲｘ１６７及び／又はセルラＴＲｘ１６５は、ダウンリンクチャネルを介して、たとえばセルラマネージャ１０４とＵＥ１０２との間で伝達されるべきダウンリンク信号、及び／又はアップリンクチャネルを介して、たとえばＵＥ１０２とセルラマネージャ１０４との間で伝達されるべきアップリンク信号を変調及び／又は復調するように構成された、ＬＴＥ、ＷＣＤＭＡ（登録商標）及び／又はＴＤ−ＳＣＤＭＡ変調器回路及び／又は復調器回路（図示せず）を含み得る。別の実施例では、セルラＴＲｘ１６７及び／又はセルラＴＲｘ１６５は、他の任意の変調器及び／又は復調器を含み得る。
【００５９】
いくつかの例示的な実施例では、セルラＴＲｘ１６７及び／又はセルラＴＲｘ１６５は、必要に応じて、データビットをデータシンボルにエンコード及び／又はデコードするための回路及び／又は論理を含んでいるターボデコーダ及び／又はターボエンコーダ（図示せず）を含み得る。いくつかの例示的な実施例では、セルラＴＲｘ１６７及び／又はセルラＴＲｘ１６５は、ＯＦＤＭ信号をダウンリンク（ＤＬ）チャネルを介して、及び／又はＳＣ−ＦＤＭＡ信号をアップリンク（ＵＬ）チャネルを介して伝達するように構成された、ＯＦＤＭ並びに／又はＳＣ−ＦＤＭＡ変調器及び／若しくは復調器（図示せず）を含み得る。
【００６０】
いくつかの例示的な実施例では、ＵＥ１０２は、ＷＬＡＮノード１０６とＷＬＡＮリンクを確立することができる。たとえば、ＷＬＡＮ  ＴＲｘ１６３は、１つ若しくは複数のＳＴＡ、たとえば１つ若しくは複数のＷｉＦｉ  ＳＴＡ、ＷＬＡＮ  ＳＴＡ、及び／又はＤＭＧ  ＳＴＡの機能を実行することができる。ＷＬＡＮリンクは、アップリンク及び／又はダウンリンクを含み得る。ＷＬＡＮダウンリンクは、たとえば、ＷＬＡＮノード１０６から１つ若しくは複数のＳＴＡへの単方向リンクを含み得る。アップリンクは、たとえば、ＳＴＡからＷＬＡＮノード１０６への単方向リンクを含み得る。
【００６１】
いくつかの例示的な実施例では、ＵＥ１０２、セルラマネージャ１０４、及び／又はＷＬＡＮノード１０６は、１つ若しくは複数のアンテナを含むこと、又は１つ若しくは複数のアンテナと結合されることができる。１つの例では、ＷＬＡＮ  ＴＲｘ１６３及び／又はセルラＴＲｘ１６５は、少なくとも２つのアンテナ、たとえばアンテナ１１２及び１１４と結合されること、又は他の任意の数のアンテナ、たとえば１つのアンテナ又は２つより多いアンテナと結合されることができる。セルラＴＲｘ１６７は、少なくとも２つのアンテナ、たとえばアンテナ１３２及び１３４と結合されること、又は他の任意の数のアンテナ、たとえば１つのアンテナ又は２つより多いアンテナと結合されることができる。かつ／又はＷＬＡＮ無線機１９４は、１つ若しくは複数のアンテナアンテナ１３５と結合されることができる。
【００６２】
いくつかの例示的な実施例では、アンテナ１１２、１１４、１３２、１３４及び／又は１３５は、無線通信信号、ブロック、フレーム、送信ストリーム、パケット、メッセージ及び／又はデータを送信及び／又は受信するのに適した任意のタイプのアンテナを含み得る。たとえば、アンテナ１１２、１１４、１３２、１３４及び／又は１３５は、１つ若しくは複数のアンテナ要素、コンポーネント、ユニット、アセンブリ及び／若しくはアレイの任意の適切な構成、構造並びに／又は配置を含み得る。たとえば、アンテナ１１２、１１４、１３２、１３４及び／又は１３５は、フェーズドアレイアンテナ、ダイポールアンテナ、単一素子アンテナ、切り換えビームアンテナのセット、及び／又は同様のものを含み得る。
【００６３】
いくつかの例示的な実施例では、アンテナ１１２、１１４、１３２、１３４及び／又は１３５は、送信機能及び受信機能を、別個の送信及び受信アンテナ要素を使用して実施することができる。いくつかの例示的な実施例では、アンテナ１１２、１１４、１３２、１３４及び／又は１３５は、送信機能及び受信機能を、共用及び／又は一体型の送信／受信要素を使用して実施することができる。
【００６４】
いくつかの例示的な実施例では、セルラマネージャ１０４は少なくとも１つの制御装置コンポーネント１４４を含み、ＵＥ１０２は少なくとも１つの制御装置コンポーネント１４５を含み、かつ／又はＷＬＡＮノード１０６は少なくとも１つの制御装置コンポーネント１４９を含み得る。制御装置１４４、１４５、及び／又は１４９は、たとえば下記で説明されるように、１つ若しくは複数の通信手段をトリガするように構成されることができ、１つ若しくは複数のメッセージ及び／若しくは送信信号の通信を生成及び／若しくはトリガすることができ、並びに／又は、１つ若しくは複数の機能、動作及び／若しくは手順を実行することができる。
【００６５】
いくつかの例示的な実施例では、制御装置１４４、１４５、及び／又は１４９は、制御装置１４４、１４５、及び／又は１４９それぞれの機能を実行するように構成された、回路及び／若しくは論理、たとえば、回路及び／若しくは論理を含む１つ若しくは複数のプロセッサ、メモリ回路及び／若しくは論理、メディアアクセスコントロール（ＭＡＣ）回路及び／若しくは論理、物理層（ＰＨＹ）回路及び／若しくは論理、並びに／又は他の任意の回路及び／若しくは論理を含み得る。加えて、又は別法として、制御装置１４４、１４５、及び／又は１４９の１つ若しくは複数の機能は、たとえば下記で説明されるように、機械及び／又は１つ若しくは複数のプロセッサにより実行され得る論理によって実施されることができる。
【００６６】
１つの例では、制御装置１４４は、たとえば本明細書に記載の１つ若しくは複数の動作、通信手段及び／若しくは機能をセルラマネージャ１０４が実行することを誘発、要求並びに／又はトリガするように構成された回路及び／若しくは論理、たとえば回路及び／若しくは論理を含む１つ若しくは複数のプロセッサ、を含み得る。１つの例では、制御装置１４５は、たとえば本明細書に記載の１つ若しくは複数の動作、通信手段及び／若しくは機能をＵＥ１０２が実行することを誘発、要求並びに／又はトリガするように構成された回路及び／若しくは論理、たとえば回路及び／若しくは論理を含む１つ若しくは複数のプロセッサ、を含み得る。１つの例では、制御装置１４９は、たとえば本明細書に記載の１つ若しくは複数の動作、通信手段及び／若しくは機能をＷＬＡＮノード１０６が実行することを誘発、要求並びに／又はトリガするように構成された回路及び／若しくは論理、たとえば回路及び／若しくは論理を含む１つ若しくは複数のプロセッサ、を含み得る。
【００６７】
いくつかの例示的な実施例では、セルラマネージャ１０４は、セルラマネージャ１０４から伝達される１つ若しくは複数のメッセージを生成する、処理する、かつ／又はそれにアクセスするように構成されたメッセージプロセッサ１８１を含み得る。１つの例では、たとえば下記で説明されるように、メッセージプロセッサ１８１は、セルラマネージャ１０４から送信されるべき１つ若しくは複数のメッセージを生成するように構成されることができ、かつ／又はメッセージプロセッサ１８１は、セルラマネージャ１０４で受信される１つ若しくは複数のメッセージにアクセスするように、かつ／又はそれを処理するように構成されることができる。
【００６８】
いくつかの例示的な実施例では、ＵＥ１０２は、ＵＥ１０２から伝達される１つ若しくは複数のメッセージを生成する、処理する、かつ／又はそれにアクセスするように構成されたメッセージプロセッサ１８２を含み得る。１つの例では、たとえば下記で説明されるように、メッセージプロセッサ１８２は、ＵＥ１０２から送信されるべき１つ若しくは複数のメッセージを生成するように構成されることができ、かつ／又はメッセージプロセッサ１８２は、ＵＥ１０２で受信される１つ若しくは複数のメッセージにアクセスするように、かつ／又はそれを処理するように構成されることができる。
【００６９】
いくつかの例示的な実施例では、ＷＬＡＮノード１０６は、ＷＬＡＮノード１０６から伝達される１つ若しくは複数のメッセージを生成し、処理する、かつ／又はそれにアクセスするように構成されたメッセージプロセッサ１８３を含み得る。１つの例では、たとえば下記で説明されるように、メッセージプロセッサ１８３は、ＷＬＡＮノード１０６から送信されるべき１つ若しくは複数のメッセージを生成するように構成されることができ、かつ／又はメッセージプロセッサ１８３は、ＷＬＡＮノード１０６で受信される１つ若しくは複数のメッセージにアクセスするように、かつ／又はそれを処理するように構成されることができる。
【００７０】
いくつかの例示的な実施例では、メッセージプロセッサ１８１、１８２、及び／又は１８３は、メッセージプロセッサ１８１、１８２、及び／又は１８３の機能を実行するように構成された回路、たとえばプロセッサ回路、メモリ回路、メディアアクセスコントロール（ＭＡＣ）回路、物理層（ＰＨＹ）回路、及び／又は他の任意の回路を含み得る。加えて、又は別法として、メッセージプロセッサ１８１、１８２及び／又は１８３の１つ若しくは複数の機能は、たとえば下記で説明されるように、機械及び／又は１つ若しくは複数のプロセッサにより実行できる論理によって実施されることができる。
【００７１】
いくつかの例示的な実施例では、メッセージプロセッサ１８１の機能の少なくとも一部は、セルラＴＲｘ１６７及び／又はＷＬＡＮノードインタフェース１６９の一部として実施されることができ、メッセージプロセッサ１８２の機能の少なくとも一部は、セルラＴＲｘ１６５及び／又はＷＬＡＮ  ＴＲｘ１６３の一部として実施されることができ、かつ／又はメッセージプロセッサ１８３の機能の少なくとも一部は、インタフェース１９２及び／又はＷＬＡＮ無線機１９４の一部として実施されることができる。
【００７２】
いくつかの例示的な実施例では、メッセージプロセッサ１８１の機能の少なくとも一部は、制御装置１４４の一部として実施されることができ、メッセージプロセッサ１８２の機能の少なくとも一部は、制御装置１４５の一部として実施されることができ、かつ／又はメッセージプロセッサ１８３の機能の少なくとも一部は、制御装置１４９の一部として実施されることができる。
【００７３】
いくつかの例示的な実施例では、メッセージプロセッサ１８１の機能の少なくとも一部は、セルラマネージャ１０４の他の任意の要素の一部として実施されることができ、メッセージプロセッサ１８２の機能の少なくとも一部は、ＵＥ１０２の他の任意の要素の一部として実施されることができ、かつ／又はメッセージプロセッサ１８３の機能の少なくとも一部は、ＷＬＡＮノード１０６の他の任意の要素の一部として実施されることができる。
【００７４】
いくつかの例示的な実施例では、制御装置１４５及び／又はメッセージプロセッサ１８２の機能の少なくとも一部は、集積回路によって、たとえばチップ、たとえばシステムオンチップ（ＳｏＣ）によって、実施されることができる。１つの例では、チップ又はＳｏＣは、セルラトランシーバ１６５及び／又はＷＬＡＮ  ＴＲｘ１６３の１つ若しくは複数の機能を実行するように構成されることができる。たとえば、チップ又はＳｏＣは、制御装置１４５、メッセージプロセッサ１８２、及び／又はセルラトランシーバ１６５及び／又はＷＬＡＮ  ＴＲｘ１６３のうちの１つ若しくは複数の要素を含み得る。１つの例では、制御装置１４５、メッセージプロセッサ１８２、セルラトランシーバ１６５、及びＷＬＡＮ  ＴＲｘ１６３は、チップ又はＳｏＣの一部として実施されることができる。別の実施例では、制御装置１４５、メッセージプロセッサ１８２、セルラトランシーバ１６５、及び／又はＷＬＡＮ  ＴＲｘ１６３は、ＵＥ１０２の１つ若しくは複数の追加又は代替の要素によって実施されることができる。
【００７５】
いくつかの例示的な実施例では、制御装置１４４及び／又はメッセージプロセッサ１８１の機能の少なくとも一部は、集積回路によって、たとえばチップ、たとえばシステムオンチップ（ＳｏＣ）によって、実施されることができる。１つの例では、チップ又はＳｏＣは、セルラトランシーバ１６７及び／又はＷＬＡＮ  ノードインタフェース１６９の１つ若しくは複数の機能を実行するように構成されることができる。たとえば、チップ又はＳｏＣは、制御装置１４４、メッセージプロセッサ１８１のうちの１つ若しくは複数の要素、並びに／又は、セルラトランシーバ１６７及び／若しくはＷＬＡＮ  ノードインタフェース１６９のうちの１つ若しくは複数の要素を含み得る。１つの例では、制御装置１４４、メッセージプロセッサ１８１、セルラトランシーバ１６７、及びＷＬＡＮ  ノードインタフェース１６９は、チップ又はＳｏＣの一部として実施されることができる。別の実施例では、制御装置１４４、メッセージプロセッサ１８１、セルラトランシーバ１６７、及び／又はＷＬＡＮ  ノードインタフェース１６９は、セルラマネージャ１０４の１つ若しくは複数の追加又は代替の要素によって実施されることができる。
【００７６】
いくつかの例示的な実施例では、制御装置１４９及び／又はメッセージプロセッサ１８３の機能の少なくとも一部は、集積回路によって、たとえばチップ、たとえばシステムオンチップ（ＳｏＣ）によって、実施されることができる。１つの例では、チップ又はＳｏＣは、ＷＬＡＮ無線機１９４及び／又はセルラマネージャインタフェース１９２の１つ若しくは複数の機能を実行するように構成されることができる。たとえば、チップ又はＳｏＣは、制御装置１４９、メッセージプロセッサ１８３、及び／又はＷＬＡＮ無線機１９４及び／又はセルラマネージャインタフェース１９２のうちの１つ若しくは複数の要素を含み得る。１つの例では、制御装置１４９、メッセージプロセッサ１８３、ＷＬＡＮ無線機１９４、及びセルラマネージャインタフェース１９２は、チップ又はＳｏＣの一部として実施されることができる。別の実施例では、制御装置１４９、メッセージプロセッサ１８３、ＷＬＡＮ無線機１９４、及び／又はセルラマネージャインタフェース１９２は、ＷＬＡＮノード１０６の１つ若しくは複数の追加又は代替の要素によって実施されることができる。
【００７７】
いくつかの例示的な実施例では、セルラマネージャ１０４、ＷＬＡＮノード１０６、及び／又はＵＥ１０２はまた、たとえば１つ若しくは複数のプロセッサ、入力ユニット、出力ユニット、メモリユニット、及び／又は記憶ユニットを含み得る。たとえば、セルラマネージャ１０４はプロセッサ１７３及び／又はメモリ１７４を含み、ＷＬＡＮノード１０６はプロセッサ１７５及び／又はメモリ１７６を含み、ＵＥ１０２はメモリ１５１、プロセッサ１５２、入力ユニット１５３、出力ユニット１５４、及び／又は記憶ユニット１５５を含み得る。ＵＥ１０２、セルラマネージャ１０４及び／又はＷＬＡＮノード１０６は、任意選択で他の適切なハードウェアコンポーネント及び／又はソフトウェアコンポーネントを含み得る。いくつかの例示的な実施例では、ＵＥ１０２、セルラマネージャ１０４及び／又はＷＬＡＮノード１０６のうちの１つ以上の構成要素の一部若しくは全部が、共通のハウジング又はパッケージに密封され、また、１つ若しくは複数の有線リンク又は無線リンクを使用して相互接続されるか、又は動作可能に結合され得る。別の実施例では、ＵＥ１０２、セルラマネージャ１０４及び／又はＷＬＡＮノード１０６の構成要素は、複数又は別個のデバイスの間で分散され得る。
【００７８】
いくつかの例示的な実施例では、プロセッサ１７３、１７５及び／又は１５２は、たとえば、中央処理ユニット（ＣＰＵ）、デジタル信号プロセッサ（ＤＳＰ）、１つ若しくは複数のプロセッサコア、シングルコアプロセッサ、デュアルコアプロセッサ、マルチコアプロセッサ、マイクロプロセッサ、ホストプロセッサ、制御装置、複数のプロセッサ若しくは制御装置、チップ、マイクロチップ、１つ若しくは複数の回路、回路、論理ユニット、集積回路（ＩＣ）、特定用途向けＩＣ（ＡＳＩＣ）、又は他の任意の適切な多目的若しくは専用のプロセッサ若しくは制御装置を含み得る。たとえば、プロセッサ１７３は、たとえばセルラマネージャ１０４のオペレーティングシステム（ＯＳ）の命令、及び／又は１つ若しくは複数の適切なアプリケーションの命令を実行することができ、プロセッサ１７５は、ＷＬＡＮノード１０６のＯＳの命令、及び／又は１つ若しくは複数の適切なアプリケーションの命令を実行することができ、かつ／又はプロセッサ１５２は、ＵＥ１０２のＯＳの命令、及び／又は１つ若しくは複数の適切なアプリケーションの命令を実行することができる。
【００７９】
いくつかの例示的な実施例では、入力ユニット１５３は、たとえばキーボード、キーパッド、マウス、タッチスクリーン、タッチパッド、トラックボール、スタイラス、マイクロフォン、又は他の適切なポインティングデバイス若しくは入力デバイスを含み得る。出力ユニット１５４は、たとえばモニタ、スクリーン、タッチスクリーン、フラットパネルディスプレイ、発光ダイオード（ＬＥＤ）ディスプレイユニット、液晶ディスプレイ（ＬＣＤ）ディスプレイユニット、プラズマディスプレイユニット、１つ若しくは複数の音声スピーカ若しくはイヤフォン、又は他の適切な出力デバイスを含む。
【００８０】
いくつかの例示的な実施例では、メモリユニット１７４、１７６及び／又は１５１は、たとえばランダムアクセスメモリ（ＲＡＭ）、読出し専用メモリ（ＲＯＭ）、ダイナミックＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット、又は他の適切なメモリユニットを含み得る。記憶ユニット１５５は、たとえばハードディスクドライブ、フロッピーディスクドライブ、コンパクトディスク（ＣＤ）ドライブ、ＣＤ−ＲＯＭドライブ、ＤＶＤドライブ、又は他の適切な取外し可能若しくは取外し不能記憶ユニットを含む。たとえば、メモリユニット１７４は、セルラマネージャ１０４で処理されるデータを記憶することができ、メモリユニット１５１は、ＵＥ１０２で処理されるデータを記憶することができ、かつ／又はメモリユニット１７６は、ＷＬＡＮノード１０６で処理されるデータを記憶することができる。
【００８１】
いくつかの例示的な実施例では、ＵＥ１０２は、セルラ接続、たとえばＬＴＥセルラ接続又は他の任意のセルラ接続を利用してセルラマネージャ１０４と通信するように、かつ、ＷＬＡＮ接続、たとえばワイヤレスフィデリティ（ＷｉＦｉ）接続、ｍｍＷａｖｅ接続、Ｐ２Ｐ接続、又は他の任意のＷＬＡＮ、たとえばＷｉＧｉｇ接続を利用してＷＬＡＮノード１０６と通信するように、構成されることができる。
【００８２】
いくつかの例示的な実施例では、システム１００の１つ若しくは複数の要素は、ＨｅｔＮｅｔの機能を実行することができる。ＨｅｔＮｅｔでは、たとえばセルラ、ＷＬＡＮ、及び／又は同様のものを含む技術、周波数、セルサイズ及び／又はネットワークアーキテクチャの混合したものの配置を利用することができる。
【００８３】
たとえば、ＨｅｔＮｅｔは、第１の無線通信環境による、たとえばセルラネットワークによるサービスを提供するように、かつ、別の通信環境に、たとえばＷＬＡＮに切り換わったときにサービスを維持するように、構成されることができる。ＨｅｔＮｅｔアーキテクチャは、無線通信環境が混合したもの、たとえばＷＬＡＮ環境及びセルラ環境を利用することを可能にして、たとえば顧客需要の速い変化に最適に対応すること、電力消費を低減すること、コストを低減すること、効率を向上させること、及び／又は他の任意の利益を得ることができる。
【００８４】
１つの例では、システム１００は、マクロセルラ配置の最上部に重ねられた小セル、たとえばピコ、フェムトの層、中継局、ＷｉＦｉ  ＡＰなどを含んでいる多層マルチ無線アクセス技術（Ｍｕｌｔｉ−ＲＡＴ）Ｈｅｔ−Ｎｅｔアーキテクチャを利用して、ネットワーク容量を増大することができる。
【００８５】
別の例では、システム１００は、ＷｉＦｉ及び３ＧＰＰエアインタフェースなどの複数の無線機を単一のインフラストラクチャデバイスに一体化するマルチＲＡＴ小セルを利用することができる。
【００８６】
別の実施例では、システム１００は、他の任意のアーキテクチャ及び／又は配置を実施することができる。
【００８７】
いくつかの例示的な実施例では、セルラマネージャ１０４及び／又はＷＬＡＮノード１０６は、たとえば下記で説明されるように、インタフェース１９９を介して通信して、たとえば、セルラ及びＷＬＡＮの無線アクセス技術の網間接続、一体化及び／又は管理の効率を改善及び／又は向上するように構成されることができる。
【００８８】
いくつかの例示的な実施例では、セルラマネージャ１０４及び／又はＷＬＡＮノード１０６は、インタフェース１９９を介して通信して、たとえばＬＴＥ／ＷＬＡＮアグリゲーションを少なくとも制御するように、かつ／又はＬＴＥ／ＷＬＡＮアグリゲーションのためにトラフィックを伝達するように、構成されることができる。
【００８９】
いくつかの例示的な実施例では、セルラマネージャ１０４及び／又はＷＬＡＮノード１０６は、たとえば下記で説明されるように、インタフェース１９９を介して通信して、たとえば、データパケット、たとえばパケットデータコンバージェンスプロトコル（ＰＤＣＰ）プロトコルデータユニット（ＰＤＵ）を、セルラマネージャ１０４及びＷＬＡＮノード１０６に少なくとも移送するように、たとえばセルラマネージャ１０４からＷＬＡＮノード１０６へのアグリゲーションを制御するように、並びに／又は、統計情報及び／若しくは他の情報を、たとえばＷＬＡＮノード１０６からセルラマネージャ１０４へと集めるように、構成されることができる。
【００９０】
いくつかの例示的な実施例では、セルラマネージャ１０４及び／又はＷＬＡＮノード１０６は、非並置ＬＴＥ／ＷＬＡＮアグリゲーションのネットワークアーキテクチャによって構成されることができ、たとえば、この構成では、セルラマネージャ１０４及びＷＬＡＮノード１０６は一体化デバイスの一部として並置されず、かつ／又はインタフェース１９９は内部インタフェースではない。
【００９１】
いくつかの例示的な実施例では、セルラマネージャ１０４及び／又はＷＬＡＮノード１０６は、たとえば下記で説明されるように、たとえばインタフェース１９９を介して、スプリットベアラのためのデュアル接続性（ＤＣ）アーキテクチャに従って通信するように構成されることができる。
【００９２】
いくつかの例示的な実施例では、ＤＣアーキテクチャは、セルラマネージャ１０４が、シングルベアラに属するパケットをＵＥ１０２へ直接又はＷＬＡＮノード１０６を介して送出できるように構成されることができる。
【００９３】
別の実施例では、セルラマネージャ１０４及び／又はＷＬＡＮノード１０６は、他の任意の追加又は代替のアーキテクチャに従って通信するように構成されることができる。
【００９４】
いくつかの例示的な実施例では、制御装置１４４は、ＴＲｘ１６７を制御してＵＥ１０２に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達することができる。
【００９５】
いくつかの例示的な実施例では、制御装置１４４は、たとえば下記で説明されるように、ＷＬＡＮノード１０６を介してＥ−ＲＡＢのトラフィックの少なくとも一部をルーティングするようにセルラマネージャ１０４を誘発するように構成されることができる。
【００９６】
いくつかの例示的な実施例では、セルラマネージャ１０４は、ダウンリンクトラフィックをＣＮ１８９から（「ＣＮダウンリンクトラフィック」）、たとえばＣＮインタフェース１４６を介して受信することができる。セルラマネージャ１０４により、ＷＬＡＮノードインタフェース１６９がＣＮダウンリンクトラフィックをＷＬＡＮノード１０６へ送信することになり得る。これらの実施例によれば、ＷＬＡＮノード１０６は、ＣＮダウンリンクトラフィックをセルラマネージャ１０４から、たとえばインタフェース１９２を介して受信することができ、またＣＮダウンリンクトラフィックをＵＥ１０２へＷＬＡＮを介して送信することができる。
【００９７】
１つの実施例では、ＷＬＡＮノード１０６は、たとえばＷＬＡＮノード１０６がＷＬＡＮ  ＡＰの機能を実行する場合に、ＣＮダウンリンクトラフィックをＵＥ１０２へ、たとえばＷＬＡＮ無線機１９４を介して直接送信することができる。
【００９８】
いくつかの例示的な実施例では、セルラマネージャ１０４とＷＬＡＮアクセスデバイス１０６との間のＥ−ＲＡＢのトラフィックのステアリングが、たとえば、セルラとＷＬＡＮ無線ネットワークとの間のＵＥ１０２の移動性を高めること、たとえば最適化することを可能にし得る。
【００９９】
いくつかのＬＴＥ／ＷＬＡＮアグリゲーション実施態様は、ＰＤＣＰ下方のアグリゲーションと、ＷＬＡＮ  ＡＰ又はＷＬＡＮ  ＡＣに設置されたｅＮＢとＷＴノードとの間のＧＴＰ−ＵトンネルとによるＤＣアーキテクチャに基づくことができる。
【０１００】
いくつかの例示的な実施例では、システム１００の要素は、たとえば下記で説明されるように、インターネットプロトコル（ＩＰ）トンネルに基づいてＬＴＥ／ＷＬＡＮアグリゲーションを実施するように構成されることができ、このＩＰトンネルは、ｅＮＢ、たとえばセルラマネージャ１０４とＵＥ、たとえばＵＥ１０２との間に確立されることができる。
【０１０１】
いくつかの例示的な実施例では、ＩＰトンネル、及び／又はＩＰトンネルを介した通信の確立は、ＷＬＡＮノード１０６には見えないことがある。たとえば、ＷＬＡＮノード１０６は、ＩＰトンネルについて知らされていないことがある。
【０１０２】
いくつかの例示的な実施例では、ＩＰトンネルは、たとえば下記で説明されるように、ＰＤＣＰ層上方のトラフィックステアリング及び／又はオフローディングをイネーブルにするように構成されることができる。別の実施例では、ＩＰトンネルは、ＰＤＣＰ層下方のトラフィックステアリングをイネーブルにするように構成されることができる。
【０１０３】
いくつかの例示的な実施例では、たとえば下記で説明されるように、制御装置１４４は、セルラマネージャ１０４を制御して、ＷＬＡＮノード１０６を介してセルラマネージャ１０４とＵＥ１０２との間にＩＰトンネルを確立するように構成されることができ、かつ／又は制御装置１４５は、ＵＥ１０２を制御して、ＷＬＡＮノード１０６を介してセルラマネージャ１０４とＵＥ１０２との間にＩＰトンネルを確立するように構成されることができる。
【０１０４】
いくつかの例示的な実施例では、制御装置１４４は、セルラマネージャ１０４を制御して、Ｅ−ＲＡＢのダウンリンクトラフィックを含むＩＰペイロードをＩＰトンネリングパケット内にカプセル化するように、かつＩＰトンネルを介してＩＰトンネリングパケットをＵＥ１０２へ送出するように、構成されることができる。
【０１０５】
いくつかの例示的な実施例では、制御装置１４５は、ＵＥ１０２を制御して、ＩＰトンネルを介して受信されたＩＰトンネリングパケットを処理するように構成されることができる。
【０１０６】
いくつかの例示的な実施例では、ＵＥ１０２は、たとえばＰＤＣＰ上方のアグリゲーションが使用される場合に、ダウンリンクトラフィックを、トンネリングＩＰパケット内にカプセル化されたＩＰペイロードの形で受信することができる。別法として、たとえばＰＤＣＰ下方のアグリゲーションが使用される場合、新しいＩＰプロトコルをＰＤＣＰに対して定義することができる。制御装置コンポーネント１４５は、ＩＰペイロードをトンネルＩＰパケットから抽出するとともに、そのＩＰペイロードをたとえばＴＣＰ／ＩＰスタックへ転送するようにＵＥ１０２をトリガすることができる。
【０１０７】
いくつかの例示的な実施例では、ＵＥ１０２は、受信パケットを適切なＰＤＮ接続（ネットワークインタフェース）に、たとえばセルラマネージャ１０４から受信されたＰＤＮ接続情報に基づいて、たとえばＬＷＡ活性化中に、マッピングするように構成されることができる。別法として、ベアラＩＤ、たとえばＥＰＳベアラＩＤを有するヘッダをペイロードに追加することもできる。この場合、ＵＥ１０２は、パケットを適切なＰＤＮ接続／ネットワークインタフェースに、たとえばそのベアラＩＤに基づいてマッピングすることができる。
【０１０８】
いくつかの例示的な実施例では、制御装置１４５は、ＵＥ１０２を制御して、Ｅ−ＲＡＢのアップリンクトラフィックを含むＩＰペイロードをＩＰトンネリングパケット内にカプセル化するように、かつＩＰトンネルを介してＩＰトンネリングパケットをセルラマネージャ１０４へ送出するように、構成されることができる。
【０１０９】
いくつかの例示的な実施例では、制御装置１４４は、セルラマネージャ１０４を制御して、ＩＰトンネルを介して受信されたアップリンクトラフィックを含むＩＰトンネリングパケットを処理するように構成されることができる。
【０１１０】
いくつかの例示的な実施例では、ＩＰトンネルは、たとえば図２を参照して上記で説明されたように、ＵＥ１０２とセルラマネージャ１０４との間の非安全トンネル（non-secure  tunnel：非暗号化トンネル）を含み得る。
【０１１１】
いくつかの例示的な実施例では、ＩＰトンネルはＩＰ安全セキュリティ（ＩＰＳｅｃ）トンネルを含み得る。このＩＰＳｅｃトンネルは、たとえば図３に関して下記のＩＰＳｅｃプロトコルに従って暗号化され認証されたＩＰトンネリングパケットを伝達するように構成されることができる。
【０１１２】
図２を参照する。この図は、いくつかの例示的な実施例による第１のトンネリング配置２００を概略的に示している。
【０１１３】
いくつかの例示的な実施例では、トンネリング配置２００は、ｅＮＢ２０４と１つ若しくは複数のＵＥ２０２との間に、ＷＬＡＮ  ＡＰ２０６を介したＩＰトンネル２０３を提供するように構成されることができる。たとえば、セルラマネージャ１０４（図１）はｅＮＢ２０４として動作することができ、ＵＥ１０２（図１）はＵＥ２０２（図２）として動作することができ、かつ／又はＷＬＡＮノード１０６（図１）はＷＬＡＮ  ＡＰ２０６として動作することができる。
【０１１４】
いくつかの例示的な実施例では、トンネリング配置２００は、たとえば、高信頼ＷＬＡＮ配置に基づいて構成されることができ、この構成では、ｅＮＢ２０４とＷＬＡＮ  ＡＰ２０６との間のバックホール２９９は、たとえばＩＰＳｅｃによって保護されており、高信頼とみなすことができる。この配置によれば、ｅＮＢ２０４とＵＥ２０２との間のＩＰトンネル２０３は、非暗号化にすることができる。たとえば、ＩＰトンネルは、たとえば一般ルーティングカプセル化（ＧＲＥ）方式、及び／又は他の任意の非安全トンネリング方式に基づくことができる。
【０１１５】
いくつかの例示的な実施例では、トンネリング配置２００は、拡張認証プロトコル−認証鍵共有認証暗号化（Extensible  authentication  protocol-authentication  and  key  agreement  authentication  and  encryption：ＥＡＰ−ＡＫＡ）プロトコルを実施して、ＷＬＡＮを介した通信を、たとえばＵＥ２０２とＷＬＡＮ  ＡＰ２０６との間で認証及び／又は暗号化することができる。
【０１１６】
図３を参照する。この図は、いくつかの例示的な実施例による第２のトンネリング配置３００を概略的に示している。
【０１１７】
いくつかの例示的な実施例では、トンネリング配置３００は、ｅＮＢ３０４と１つ若しくは複数のＵＥ３０２との間に、ＷＬＡＮ  ＡＰ３０６を介したＩＰトンネル３０３を提供するように構成されることができる。たとえば、セルラマネージャ１０４（図１）はｅＮＢ３０４として動作することができ、ＵＥ１０２（図１）はＵＥ３０２（図２）として動作することができ、かつ／又はＷＬＡＮノード１０６（図１）はＷＬＡＮ  ＡＰ３０６として動作することができる。
【０１１８】
いくつかの例示的な実施例では、トンネリング配置３００は、たとえば、非高信頼ＷＬＡＮ配置に基づいて構成されることができ、この構成では、ｅＮＢ３０４とＷＬＡＮ  ＡＰ３０６との間のバックホールは、非高信頼とみなすことができる。この配置によれば、ｅＮＢ３０４とＵＥ３０２との間のＩＰトンネル３０３は、たとえばＩＰＳｅｃプロトコルによって保護されることができる。
【０１１９】
１つの例では、トンネリング配置３００は、たとえば、ｅＮＢ３０４を含むセルラシステムのオペレータ、たとえばサードパーティサービスプロバイダがＷＬＡＮを配置できない場合に、実施されることができる。
【０１２０】
図１に戻ると、いくつかの例示的な実施例では、制御装置１４４は、たとえば下記で説明されるように、セルラマネージャ１０４が、ＷＬＡＮノード１０６を介したＵＥ１０２に対するリンクアグリゲーションを活性化することをトリガ、誘発、命令及び／又は制御するように構成されることができる。
【０１２１】
いくつかの例示的な実施例では、制御装置１４４は、セルラマネージャ１０４が、ＵＥ１０２に、たとえばＷＬＡＮノード１０６を含む、１つ若しくは複数のアグリゲーション可能ＡＰのリストを知らせることをトリガ、誘発、命令及び／又は制御するように構成されることができる。
【０１２２】
いくつかの例示的な実施例では、１つ若しくは複数のアグリゲーション可能ＡＰのリストは、ＵＥに、同報通信及び／又は専用無線リソース制御（ＲＲＣ）シグナリングを使用して通知されることができる。
【０１２３】
いくつかの例示的な実施例では、１つ若しくは複数のアグリゲーション可能ＡＰは、たとえば１つ若しくは複数の基本サービスセット識別子（ＩＤ）（ＢＳＳＩＤ）、１つ若しくは複数のサービスセットＩＤ（ＳＳＩＤ）、１つ若しくは複数の同種拡張サービスセットＩＤ（ＨＥＳＳＩＤ）、及び／又は１つ若しくは複数のＷＬＡＮノードの１つ若しくは複数の他の識別子を含んでいる、１つ若しくは複数の識別子を含み得る。
【０１２４】
いくつかの例示的な実施例では、１つ若しくは複数のアグリゲーションイネーブルされたＡＰのリストは、他のタイプのＬＴＥ／ＷＬＡＮ網間接続のために使用されるＩＤのリストとは別になり得る。
【０１２５】
いくつかの例示的な実施例では、制御装置１４４は、セルラマネージャ１０４が、１つ若しくは複数のＷＬＡＮ適性基準を１つ若しくは複数のしきい値、たとえばＲＳＳＩしきい値の形で構成して、ＵＥ１０２がリンクアグリゲーションに使用されるべきＷＬＡＮ  ＡＰを選択するのを支援することをトリガ、誘発、命令及び／又は制御するように構成されることができる。
【０１２６】
いくつかの例示的な実施例では、制御装置１４４は、セルラマネージャ１０４が、１つ若しくは複数の測定報告をセルラマネージャ１０４に提供するためにＵＥ１０２によって実行されるべき１つ若しくは複数のＷＬＡＮ測定を構築することをトリガ、誘発、命令及び／又は制御するように構成されることができる。この測定報告は、リンクアグリゲーションのために使用されるべきＷＬＡＮ  ＡＰを選択するために、たとえばセルラマネージャ１０４によって使用され得る。
【０１２７】
いくつかの例示的な実施例では、制御装置１４５は、ＵＥ１０２が、たとえば１つ若しくは複数のアグリゲーション可能ＡＰのリスト及び／又はＷＬＡＮ適性基準に基づいて、適切なＷＬＡＮを検出及び／又は選択することをトリガ、誘発、命令及び／又は制御するように構成されることができる。
【０１２８】
いくつかの例示的な実施例では、セルラマネージャ１０４とのリンクアグリゲーションを形成するためにＵＥ１０２によって使用されるべきＷＬＡＮは、セルラマネージャ１０４によって、たとえばＵＥ１０２からの測定報告に基づいて、選択されることができる。
【０１２９】
いくつかの例示的な実施例では、制御装置１４５は、ＵＥ１０２が、選択されたＷＬＡＮ、たとえばＷＬＡＮ  ＡＰ１０６のＷＬＡＮと結合されることをトリガ、誘発、命令及び／又は制御するように構成されることができる。
【０１３０】
いくつかの例示的な実施例では、制御装置１４５は、ＵＥ１０２が、ＵＥ１０２に割り当てられたＩＰアドレスを含んでいるとともに、ＷＬＡＮ  ＡＰ１０６を介して受信されたＷＬＡＮメッセージを処理することを、トリガ、誘発、命令及び／又は制御するように構成されることができる。ＵＥ１０２に割り当てられたＩＰアドレスは、セルラノード１０４までルーティング可能なように構成されることができる。
【０１３１】
いくつかの例示的な実施例では、制御装置１４５は、セルラマネージャ１０４が、たとえば任意選択でＵＥ１０２に向けてセルラマネージャ１０４のＩＰアドレス、及び／又はＥ−ＲＡＢに対応するＰＤＮ接続情報を送出することによって、アグリゲーションを活性化することをトリガ、誘発、命令及び／又は制御するように構成されることができる。１つの例では、セルラノード１０４は、各ベアラがどのＰＤＮ接続に属するかを示す情報を、たとえば、ＣＮ１８９の要素、たとえばＭＭＥ、とのＳ１インタフェースを介して得ることができる。
【０１３２】
いくつかの例示的な実施例では、制御装置１４５は、ＵＥ１０２がセルラノード１０４とのＩＰトンネル、たとえば図２のＧＲＥトンネル、図３のＩＰＳｅｃトンネル、及び／又は他の任意のＩＰトンネルを確立することをトリガ、誘発、命令及び／又は制御するように構成されることができる。
【０１３３】
いくつかの例示的な実施例では、制御装置１４５は、セルラマネージャ１０４がＩＰトンネル確立を開始することをトリガ、誘発、命令及び／又は制御するように構成されることができる。これらの実施例によれば、たとえばＵＥ１０２は、セルラマネージャ１０４へ、ＵＥ１０２に割り当てられたＩＰアドレスの表示を、たとえば専用ＲＲＣメッセージの形で、アグリゲーション活性化完了メッセージ又は他の任意のメッセージの一部として送信するように構成されることができる。
【０１３４】
いくつかの例示的な実施例では、セルラノード１０４及び／又はＵＥ１０２は、たとえば下記で説明されるように、たとえばＩＰトンネルがＩＰＳｅｃトンネルであるときに、１つ若しくは複数のセキュリティ手順を実行するように構成されることができる。
【０１３５】
いくつかの例示的な実施例では、ＩＰトンネルが確立された後、ＵＥ１０２は、Ｅ−ＲＡＢのダウンリンクトラフィックを受信することができ、またＵＥ１０２は、たとえばＰＤＮ接続情報に基づいて、ダウンリンクトラフィックを、ＵＥ１０２のオペレーティングシステム（ＯＳ）内の適切なネットワークインタフェースへ転送することができる。
【０１３６】
いくつかの例示的な実施例では、ＩＰトンネルは、ＰＤＮ接続ごとに確立することができる。これらの実施例は、たとえば、セルラマネージャ１０４及び／又はＵＥ１０２が、トラフィック転送のための適切なトンネルを選択できるように構成されることができる。加えて、又は別法として、これらの実施例は、たとえば、ＥＰＳベアラＩＤをマーキングすることによって、たとえばＩＰペイロード内の新しいヘッダ、又はＩＰヘッダ内の１つ若しくは複数の未使用フィールド、たとえばＤＳＣＰマーキングに使用されるある種のサービスフィールドを使用して、ベアラレベルオフローディングをサポートするように構成されることができる。１つの例では、下記のＰＤＣＰ実施態様においてＥＰＳベアラ識別子は、たとえば修正ＰＤＣＰヘッダ内に含まれ得る。たとえば非標準ＩＰペイロードが含まれる場合に、たとえばＩＰヘッダ内のプロトコルタイプフィールドに修正が加えられ得る。別の実施例では、ＩＰトンネルがベアラごとに確立され得る。
【０１３７】
いくつかの例示的な実施例では、ＵＥ１０２及びセルラマネージャ１０４は、たとえば、図２を参照して上記で説明されたように、ＩＰトンネルを非安全トンネルとして確立することができる。
【０１３８】
いくつかの例示的な実施例では、ＩＰトンネルが非安全トンネルであるときに、たとえばＵＥ１０２がＣＮ１８９内の認証、認可、及び課金（ＡＡＡ）サーバにアクセスして、ＷＬＡＮ認証及び認可を実行することを許可されていると仮定して、たとえば３ＧＰＰ  ＷＬＡＮ網間接続仕様書に定義されているＥＡＰ／ＡＫＡ手順が使用されることができる。
【０１３９】
いくつかの例示的な実施例では、セルラマネージャ１０４は、たとえば下記で説明されるように、ＵＥ１０２、たとえばＵＥ１０２のＷＬＡＮ  ＴＲｘ１６３と、ＷＬＡＮノード１０６とを事前共有鍵（ＰＳＫ）で動的にセットアップするように構成されることができ、この事前共有鍵は、４ウェイハンドシェイクを開始して、ＵＥ１０２、たとえばＷＬＡＮ  ＴＲｘ１６３と、ＷＬＡＮノード１０６との間に安全接続を、コアネットワークＡＡＡサーバにアクセスしなくても確立するように構成されることができる。
【０１４０】
いくつかの例示的な実施例では、制御装置コンポーネント１４４は、たとえば下記で説明されるように、鍵情報を生成するように、かつ少なくともこの鍵情報に基づいてＷＬＡＮ共有鍵を決定するように、構成されることができる。
【０１４１】
いくつかの例示的な実施例では、制御装置コンポーネント１４４は、たとえば下記で説明されるように、ＷＬＡＮノード１０６へＷＬＡＮ共有鍵を送出するようにＷＬＡＮノードインタフェース１６９をトリガするように構成されることができる。
【０１４２】
いくつかの例示的な実施例では、制御装置コンポーネント１４４は、たとえば下記で説明されるように、ＵＥ１０２へ、鍵情報を含んでいるセルラメッセージ、たとえばＲＲＣメッセージを送信するようにセルラトランシーバ１６７をトリガするように構成されることができる。
【０１４３】
いくつかの例示的な実施例では、ＵＥ１０２は、鍵情報を含むセルラメッセージを、セルラノード１０４から、たとえばセルラトランシーバ１６７を使用して受信することができる。
【０１４４】
いくつかの例示的な実施例では、制御装置コンポーネント１４５は、たとえば下記で説明されるように、たとえば少なくとも鍵情報に基づいて、たとえばセルラノード１０４で生成されたＷＬＡＮ事前共有鍵と同一のＷＬＡＮ事前共有鍵を生成するように構成されることができる。
【０１４５】
いくつかの例示的な実施例では、制御装置コンポーネント１４５は、たとえば下記で説明されるように、ＷＬＡＮノード１０６との安全セッションを、たとえば、セルラマネージャ１０４からＷＬＡＮノード１０６へ提供されるＷＬＡＮ事前共有鍵と同一であり得るＷＬＡＮ事前共有鍵を使用して確立するようにＷＬＡＮトランシーバ１６３をトリガするように構成されることができる。
【０１４６】
図４を参照する。この図は、いくつかの例示的な実施例による、事前共有鍵を確立する動作及び通信を概略的に示す。
【０１４７】
いくつかの例示的な実施例では、ｅＮＢ４０４、たとえばセルラマネージャ１０４（図１）は、鍵情報をたとえばノンス、たとえば乱数及び／又はワンタイムパスワード、及び／又は他の任意のキーイング情報の形で生成する（４１０）ように構成されることができる。
【０１４８】
いくつかの例示的な実施例では、ｅＮＢ４０４、たとえばセルラマネージャ１０４（図１）は、たとえば下記で説明されるように、鍵情報を使用して事前共有鍵（ＰＳＫ）を生成する（４１２）ことができ、この事前共有鍵はＷＬＡＮ４ウェイハンドシェイク用に構成されることができる。
【０１４９】
１つの例では、ＷＬＡＮ事前共有鍵は、ｅＮＢによって生成される鍵情報、たとえばノンスと、１つ若しくは複数の他のパラメータとに基づいて決定されることができ、このパラメータは、ｅＮＢ４０４には、またＵＥのＬＴＥモデム４６５、たとえばＵＥ１０２（図１）のセルラトランシーバ１６５（図１）には既知であり得る。１つ若しくは複数のパラメータは、たとえばｅＮＢ鍵（ＫｅＮＢ）、ＷＬＡＮ  ＭＡＣアドレス、及び／又は他の任意の追加若しくは代替のパラメータを含み得る。
【０１５０】
いくつかの例示的な実施例では、ｅＮＢ４０４、たとえばセルラマネージャ１０４（図１）は、生成された事前共有鍵をＷＬＡＮ  ＡＰ４０６、たとえばＷＬＡＮノード１０６（図１）へ送出する（４１４）ことができる。
【０１５１】
いくつかの例示的な実施例では、ｅＮＢ４０４、たとえばセルラマネージャ１０４（図１）は、生成された鍵情報、たとえばノンスをＬＴＥモデム４６５へ、たとえばセルラＴＲｘ１６５（図１）へ送出する（４１６）ことができる。
【０１５２】
いくつかの例示的な実施例では、ＬＴＥモデム４６５、たとえばセルラＴＲｘ１６５（図１）は事前共有鍵を生成する（４１８）ことができ、この事前共有鍵は、ｅＮＢ４０４によって生成され（４１２）かつＷＬＡＮ  ＡＰ４０６へ送出された（４１４）事前共有鍵と同一であり得る。たとえば、ＬＴＥモデム４６５、たとえばセルラＴＲｘ１６５（図１）は、ｅＮＢ４０４から受信された（４１６）鍵情報、たとえばノンスと、ｅＮＢ４０４及びＬＴＥモデム４６５には既知であり得る１つ若しくは複数のパラメータとに基づいて、事前共有鍵を生成する（４１８）ことができる。
【０１５３】
いくつかの例示的な実施例では、ＬＴＥモデム４６５は、事前共有鍵をＵＥのＷＬＡＮ  ＮＩＣ４６３へ、たとえばＷＬＡＮ  ＴＲｘ１６３（図１）へ、たとえば安全に送出する（４２０）ことができる。
【０１５４】
いくつかの例示的な実施例では、ＵＥのＷＬＡＮ  ＮＩＣ４６３、たとえばＷＬＡＮ  ＴＲｘ１６３（図１）、及びＷＬＡＮ  ＡＰ４０６、たとえばＷＬＡＮノード１０６（図１）は、たとえばＷＬＡＮ認証に関する及び／又は１つ若しくは複数のＷＬＡＮ暗号鍵生成に関するＩＥＥＥ標準に従って、事前共有鍵を使用して、たとえばＷＬＡＮ４ウェイハンドシェイク（４２２）を実行することができる。
【０１５５】
図１に戻ると、いくつかの例示的な実施例では、セルラマネージャ１０４、ＷＬＡＮノード１０６、及び／又はＵＥ１０２は、たとえば、４ウェイハンドシェイクの前に、たとえばサービスの妨害（Denial  of  Service：ＤｏＳ）攻撃のような攻撃の影響を緩和又は低減する機構を実施するように構成されることができ、ここで、攻撃者は、多数のＵＥをプログラム的にＷＬＡＮノード１０６に関連付けることによってＤｏＳ攻撃を開始させることができる。
【０１５６】
いくつかの例示的な実施例では、セルラマネージャ１０４は、ＷＬＡＮノード１０６が、たとえばＷＬＡＮ関連付け処理中に、又は関連付け処理前のたとえばプローブ要求／応答交換中でも、資格のあるＵＥを検証できるようにするアクセス制御において、ＷＬＡＮノード１０６を支援するように構成されることができる。
【０１５７】
いくつかの例示的な実施例では、制御装置コンポーネント１４４は、たとえば上記で説明されたように、たとえばリンクアグリゲーションを開始するために、アグリゲーション開始メッセージをＵＥ１０２へ送信するようにセルラトランシーバ１６７をトリガするように構成されることができる。
【０１５８】
いくつかの例示的な実施例では、リンクアグリゲーション開始メッセージは、ＷＬＡＮノード１０６のＷＬＡＮ識別子、たとえばＷＬＡＮノード１０６のＭＡＣアドレス、ＷＬＡＮノード１０６のＳＳＩＤ、及び／又は他の任意のＷＬＡＮノード１０６の識別子、を含み得る。
【０１５９】
いくつかの例示的な実施例では、ＵＥ１０２は、リンクアグリゲーション開始メッセージを、たとえばセルラＴＲｘ１６５を介して受信することができる。制御装置コンポーネント１４５は、たとえば下記で説明されるように、たとえばアグリゲーション開始メッセージに応答して、セルラマネージャ１０４へＷＬＡＮトランシーバ１６３のＷＬＡＮ識別子を含む応答メッセージを送信するようにセルラトランシーバ１６５をトリガするように構成されることができる。
【０１６０】
いくつかの例示的な実施例では、制御装置コンポーネント１４４は、たとえば下記で説明されるように、ＵＥ１０２からの応答メッセージを処理するように、そしてＷＬＡＮノード１０６へＵＥ１０２のＷＬＡＮ識別子を含むアクセス要求を送出するようにＷＬＡＮノードインタフェース１６９をトリガするように、構成されることができる。
【０１６１】
いくつかの例示的な実施例では、制御装置コンポーネント１４４は、たとえば下記で説明されるように、たとえばＷＬＡＮノード１０６からの確認応答メッセージを受信すると、たとえば、図４を参照して上記で説明されたように、ＵＥ１０２へ鍵情報を含む接続要求メッセージを送出するようにセルラトランシーバ１６７をトリガするように構成されることができる。
【０１６２】
図５を参照する。この図は、いくつかの例示的な実施例による、無線ローカルエリアネットワーク（ＷＬＡＮ）ノードへのＵＥのアクセスを制御する動作及び通信を概略的に示す。
【０１６３】
いくつかの例示的な実施例では、ｅＮＢ５０４、たとえばセルラマネージャ１０４（図１）は、ＵＥ、たとえばＵＥ１０２（図１）に対してＷＬＡＮアグリゲーションをイネーブルにすることを決定する（５１０）ことができる。
【０１６４】
いくつかの例示的な実施例では、ｅＮＢ５０４、たとえばセルラマネージャ１０４（図１）は、ＵＥのＬＴＥモデム５６５、たとえばセルラＴＲｘ１６５（図１）に向けたアグリゲーション開始メッセージ５１２を送出することができる。アグリゲーション開始メッセージ５１２は、たとえば、ＷＬＡＮ  ＡＰ５０６の、たとえばＷＬＡＮノード１０６（図１）の識別子、たとえばＭＡＣアドレス及び／又はＳＳＩＤ、を含み得る。
【０１６５】
いくつかの例示的な実施例では、ＬＴＥモデム５６５、たとえばセルラＴＲｘ１６５（図１）は、アグリゲーション開始メッセージ５１２を処理することができ、またアグリゲーション開始要求５１４を、ＵＥの、たとえば制御装置１４５（図１）及び／又はＷＬＡＮ  ＴＲｘ１６３（図１）の、接続マネージャ及び／又はＷＬＡＮ  ＮＩＣ５６３へ送出することができる。アグリゲーション開始要求５１４は、たとえばＷＬＡＮ  ＡＰ５０６のＷＬＡＮ  ＡＰ識別子を含み得る。
【０１６６】
いくつかの例示的な実施例では、接続マネージャ及び／又はＷＬＡＮ  ＮＩＣ５６３は、アグリゲーション開始要求５１４を処理することができ、またアグリゲーション開始応答５１６をＬＴＥモデム５６５、たとえばセルラＴＲｘ１６５（図１）へ送出することができる。アグリゲーション開始応答５１６は、たとえば、ＷＬＡＮ  ＮＩＣ５６３の識別子、たとえばＷＬＡＮ  ＴＲｘ１６３（図１）のＭＡＣアドレス、を含み得る。
【０１６７】
いくつかの例示的な実施例では、ＬＴＥモデム５６５、たとえばセルラＴＲｘ１６５（図１）は、アグリゲーション開始応答５１６を処理することができ、またアグリゲーション開始応答メッセージ５１８をｅＮＢ５０４へ、たとえばセルラマネージャ１０４（図１）へ送出することができる。アグリゲーション開始応答メッセージ５１８は、ＷＬＡＮ  ＮＩＣ５６３の識別子、たとえばＷＬＡＮ  ＴＲｘ１６３（図１）のＭＡＣアドレス、を含み得る。
【０１６８】
いくつかの例示的な実施例では、ｅＮＢ５０４、たとえばセルラマネージャ１０４（図１）は、アグリゲーション開始応答メッセージ５１８を処理することができ、また認可アクセスメッセージ５２０をＷＬＡＮ  ＡＰ５０６へ、たとえばＷＬＡＮノード１０６（図１）へ送出することができる。認可アクセスメッセージ５２０は、ＷＬＡＮ  ＮＩＣ５６３の識別子、たとえばＷＬＡＮ  ＴＲｘ１６３（図１）のＭＡＣアドレス、を含み得る。
【０１６９】
いくつかの例示的な実施例では、ＷＬＡＮ  ＡＰ５０６、たとえばＷＬＡＮノード１０６（図１）は、認可アクセスメッセージ５２０を処理することができ、また確認応答（Ａｃｋ）５２２をｅＮＢ５０４へ、たとえばセルラマネージャ１０４（図１）へ送出することができる。
【０１７０】
いくつかの例示的な実施例では、ｅＮＢ５０４、たとえばセルラマネージャ１０４（図１）は、ＷＬＡＮ接続要求５２４をＵＥへ、たとえばＡｃｋ５２２の受信後に送出することができる。
【０１７１】
いくつかの例示的な実施例では、ＬＴＥモデム５６５、たとえばセルラＴＲｘ１６５（図１）は、ＷＬＡＮ接続要求５２４を処理することができ、またＷＬＡＮ接続要求５２６を、ＵＥの、たとえば制御装置１４５（図１）及び／又はＷＬＡＮ  ＴＲｘ１６３（図１）の、接続マネージャ及び／又はＷＬＡＮ  ＮＩＣ５６３へ送出することができる。
【０１７２】
いくつかの例示的な実施例では、ＵＥの、たとえば制御装置１４５（図１）及び／又はＷＬＡＮ  ＴＲｘ１６３（図１）の、接続マネージャ及び／又はＷＬＡＮ  ＮＩＣ５６３は、ＷＬＡＮ  ＡＰ５０６との、たとえばＷＬＡＮノード１０６（図１）とのＷＬＡＮ関連付け及びオープン認証を、たとえばＷＬＡＮ接続要求５２６の受信後に実行することができる。
【０１７３】
図１に戻ると、いくつかの例示的な実施例では、ＵＥ１０２及びセルラマネージャ１０４は、たとえば、図３を参照して上記で説明されたように、ＩＰトンネルをＩＰＳｅｃトンネルとしてＩＰＳｅｃプロトコルに従って確立することができる。
【０１７４】
いくつかの例示的な実施例では、ＩＰＳｅｃトンネルは、終端間ＩＰＳｅｃトンネル、たとえばインターネット技術標準化委員会（ＩＥＴＦ）終端間ＩＰＳｅｃトンネルを、セルラマネージャ１０４と、ＵＥ１０２のＷＬＡＮ  ＮＩＣ、たとえばＷＬＡＮ  ＴＲｘ１６３との間で使用することができる。
【０１７５】
いくつかの例示的な実施例では、セルラマネージャ１０４及び／又はＵＥ１０２は、たとえば下記で説明されるように、ＩＥＴＦインターネット鍵交換プロトコル（ＩＫＥｖ２）を動的にブートストラップしてＩＰＳｅｃ暗号鍵を生成するように構成されることができる。
【０１７６】
いくつかの例示的な実施例では、ＩＥＴＦ  ＩＫＥｖ２プロトコルを使用して、ＩＰＳｅｃトンネル用の暗号鍵を生成することができる。たとえば、ＩＫＥｖ２段階１は相互認証に関与し、この相互認証は、安全セッションを確立するためのディフィーヘルマン鍵共有と、たとえば証明鍵又は事前共有鍵を使用する、確立された安全セッションについての相互認証とを含み得る。
【０１７７】
いくつかの例示的な実施例では、セルラマネージャ１０４及び／又はＵＥ１０２は、ｅＮＢ支援事前共有鍵機構を利用するように構成されることができ、この機構は、相互認証をたとえばＩＫＥｖ２段階１において開始できるようにするために、事前共有鍵（ＰＳＫ）を動的に生成することを可能にし得る。
【０１７８】
いくつかの例示的な実施例では、制御装置コンポーネント１４４は、たとえば下記で説明されるように、ＷＬＡＮノード１０６のＷＬＡＮ識別子と、鍵情報、たとえばノンスと、セルラマネージャ１０４のＩＰアドレスとを含むセルラメッセージをＵＥ１０２へ送信するようにセルラトランシーバ１６７をトリガするように構成されることができる。
【０１７９】
いくつかの例示的な実施例では、たとえば下記で説明されるように、セルラＴＲｘ１６５は、セルラメッセージをセルラノード１０４から受信することができ、制御装置コンポーネント１４５は、たとえばＷＬＡＮ識別子に基づいてＷＬＡＮノード１０６とのＷＬＡＮ接続を確立するようにＷＬＡＮトランシーバ１６３をトリガすることができる。
【０１８０】
いくつかの例示的な実施例では、セルラマネージャ１０４及び／又はＵＥ１０２は、たとえば下記で説明されるように、たとえば鍵情報を使用してＵＥ１０２とセルラマネージャ１０４との間の相互認証を実行するように、かつＷＬＡＮ接続を介してＵＥ１０２とセルラマネージャ１０４との間にＩＰＳｅｃセッションを確立するように、構成されることができる。
【０１８１】
いくつかの例示的な実施例では、制御装置コンポーネント１４５は、たとえば下記で説明されるように、鍵情報を使用してＵＥ１０２とセルラマネージャ１０４との間の相互認証を実行するようにＵＥ１０２をトリガするように、かつＷＬＡＮ接続を介してＵＥ１０２とセルラマネージャ１０４との間にＩＰＳｅｃセッションを確立するように、構成されることができる。
【０１８２】
いくつかの例示的な実施例では、制御装置コンポーネント１４５は、少なくともセルラメッセージ内の鍵情報、並びに、たとえば、ＵＥ１０２及びセルラマネージャ１０４に既知の１つ若しくは複数のパラメータ、たとえばＫｅＮＢ、ＭＡＣアドレス、及び／又は他の任意のパラメータに基づいて、事前共有鍵を決定するように構成されることができる。
【０１８３】
いくつかの例示的な実施例では、制御装置コンポーネント１４５は、たとえば下記で説明されるように、事前共有鍵を使用してＵＥとの相互認証を実行するようにＵＥ１０２をトリガするように構成されることができる。
【０１８４】
いくつかの例示的な実施例では、制御装置コンポーネント１４４は、鍵情報を使用してＵＥ１０２との相互認証を実行するようにセルラマネージャ１０４をトリガするように、かつＷＬＡＮノード１０６を介してＵＥ１０２とのＩＰＳｅｃセッションを確立するように、構成されることができる。
【０１８５】
いくつかの例示的な実施例では、制御装置コンポーネント１４４は、少なくともセルラメッセージ内の鍵情報、並びに、たとえば、ＵＥ１０２及びセルラマネージャ１０４に既知の１つ若しくは複数のパラメータ、たとえばＫｅＮＢ、ＭＡＣアドレス、及び／又は他の任意のパラメータに基づいて、事前共有鍵を決定するように構成されることができる。
【０１８６】
いくつかの例示的な実施例では、制御装置コンポーネント１４４は、たとえば下記で説明されるように、事前共有鍵を使用してＵＥとの相互認証を実行するようにセルラマネージャ１０４をトリガするように構成されることができる。
【０１８７】
図６を参照する。この図は、いくつかの例示的な実施例による、安全なＩＰセッションを確立する動作及び通信を概略的に示す。
【０１８８】
いくつかの例示的な実施例では、図６に示されるように、ｅＮＢ６０４、たとえばセルラマネージャ１０４（図１）は、ＵＥとの、たとえば、ＵＥのＬＴＥセルラモデム６６５、たとえばＵＥ１０２（図１）のセルラＴＲｘ１６５との安全接続を確立する（６１０）ことができる。
【０１８９】
いくつかの例示的な実施例では、図６に示されるように、ｅＮＢ６０４とＬＴＥセルラモデム６６５の両方が、安全に共有できる１つ若しくは複数のセキュリティパラメータに関する情報を有し得る。たとえば、ｅＮＢ６０４、たとえばセルラマネージャ１０４（図１）と、ＬＴＥセルラモデム６６５、たとえばセルラＴＲｘ１６５（図１）との両方が、ｅＮＢ鍵（ＫｅＮＢ）６１２及び／又は他の任意のパラメータ若しくは鍵についての知識を有し得る。
【０１９０】
いくつかの例示的な実施例では、図６に示されるように、ｅＮＢ６０４、たとえばセルラマネージャ１０４（図１）は、開始メッセージ（「Ｉｎｉｔ  ＷｉＦｉ」）６１４をたとえばＲＲＣメッセージの一部として生成し、ＬＴＥセルラモデム６６５へ送出することができる。
【０１９１】
いくつかの例示的な実施例では、開始メッセージ６１４は、ＷＬＡＮ  ＡＰ６０６の、たとえばＷＬＡＮノード１０６（図１）の識別子で、たとえばＷＬＡＮ  ＡＰ６０６に対応するＷＬＡＮ＿ＡＰ  ＳＳＩＤ、又は他の任意の識別子を含み得る。
【０１９２】
いくつかの例示的な実施例では、開始メッセージ６１４は、たとえば事前共有鍵を生成するために使用されるように構成できる鍵情報、たとえばノンス、又は他の任意の鍵情報を含み得る。
【０１９３】
いくつかの例示的な実施例では、開始メッセージ６１４は、たとえばＩＰトンネルをｅＮＢ６０４とＵＥとの間に確立するために使用されるべきｅＮＢ６０４のＩＰアドレスを含み得る。
【０１９４】
いくつかの例示的な実施例では、開始メッセージ６１４は、たとえば、ｅＮＢ６０４とＵＥとの間の通信に適用できるセルラ保護プロトコルによって、たとえばＬＴＥセキュリティによって、守られること及び／又は保護されることができる。
【０１９５】
いくつかの例示的な実施例では、図６に示されるように、ＵＥ  ＬＴＥモデム６６５は、開始メッセージ６１４を受信及び処理することができる。たとえば、ＵＥ  ＬＴＥモデム６６５、たとえばセルラＴＲｘ１６５（図１）は、開始メッセージ６１６をＵＥのＬＴＥ接続マネージャ６６８へ送出することができる。たとえば、ＬＴＥ接続マネージャ６６８は、制御装置によって、たとえば制御装置１４５（図１）によって実施されることができる。
【０１９６】
いくつかの例示的な実施例では、開始メッセージ６１６は、ＷＬＡＮ  ＡＰ６０６の識別子、たとえばＷＬＡＮ  ＡＰ６０６のＳＳＩＤと、接続インデックス（「Ｃｏｎｎ＿Ｉｎｄｅｘ」）とを含み得る。
【０１９７】
いくつかの例示的な実施例では、図６に示されるように、ＬＴＥ接続マネージャ６６８は、開始メッセージ６１６を受信及び処理することができる。たとえば、ＬＴＥ接続マネージャ６６８、たとえば制御装置１４５（図１）は、開始メッセージ６１８をＵＥのＵＥ  ＷＬＡＮ接続マネージャ６６９へ送出することができる。たとえば、ＵＥ  ＷＬＡＮ接続マネージャ６６９は、ＵＥ１０２のＷＬＡＮ制御装置、及び／又はＵＥ１０２（図１）の他の任意の要素によって実施されることができる。
【０１９８】
いくつかの例示的な実施例では、開始メッセージ６１６は、ＷＬＡＮ  ＡＰ６０６の識別子、たとえばＷＬＡＮ  ＡＰ６０６のＳＳＩＤを含み得る。
【０１９９】
いくつかの例示的な実施例では、図６に示されるように、ＵＥ  ＷＬＡＮ接続マネージャ６６９は、開始メッセージ６１８を受信及び処理することができる。たとえば、ＵＥ  ＷＬＡＮ接続マネージャ６６９は、ＷＬＡＮ接続命令６２０をＵＥのＷＬＡＮ  ＮＩＣ６６３へ、たとえばＵＥ１０２（図１）のＷＬＡＮ  ＴＲｘ１６３（図１）へ送出することができる。
【０２００】
いくつかの例示的な実施例では、ＷＬＡＮ接続命令６２０は、ＷＬＡＮ  ＡＰ６０６の識別子、たとえばＷＬＡＮ  ＡＰ６０６のＳＳＩＤを含み得る。
【０２０１】
いくつかの例示的な実施例では、図６に示されるように、ＷＬＡＮ  ＮＩＣ６６３、たとえばＷＬＡＮ  ＴＲｘ１６３（図１）は、ＷＬＡＮ接続命令６２０を受信及び処理することができる。たとえば、ＷＬＡＮ  ＮＩＣ６６３、たとえばＷＬＡＮ  ＴＲｘ１６３（図１）は、たとえばＷＬＡＮ  ＡＰ６０６の識別子に基づいて、ＷＬＡＮ  ＡＰ６０６との、たとえばＷＬＡＮノード１０６（図１）とのＷＬＡＮ接続を確立する（６２２）ことができる。
【０２０２】
いくつかの例示的な実施例では、図６に示されるように、ＵＥ  ＷＬＡＮ接続マネージャ６６９は、ＩＰＳｅｃ開始メッセージ（「Ｉｎｉｔ＿ＩＰＳｅｃ」）６２４をＵＥのオペレーティングシステム（ＯＳ）６６７へ、たとえばＵＥ１０２（図１）のＯＳへ送出することができる。
【０２０３】
いくつかの例示的な実施例では、ＩＰＳｅｃ開始メッセージ６２４は、メッセージ６１６として受信された接続インデックスを含み得る。
【０２０４】
いくつかの例示的な実施例では、図６に示されるように、ＬＴＥモデム６６５、たとえばセルラＴＲｘ１６５（図１）は、ＵＥ  ＯＳ６６７に、たとえばメッセージ６１４として受信された鍵情報及びｅＮＢ  ＩＰを提供する（６２６）ことができる。たとえば、ＬＴＥモデム６６５及びＯＳ６６７は、鍵情報及びｅＮＢ  ＩＰを安全に伝達するように構成されることができる。
【０２０５】
いくつかの例示的な実施例では、図６に示されるように、ＵＥ  ＯＳ６６７及びｅＮＢ６０４は、動作（６２８）をＩＫＥｖ２プロトコルに従って実行して、ＵＥ  ＯＳ１６７とｅＮＢ６０４との間に、たとえばＷＬＡＮ  ＡＰ６０６を介したＩＰトンネルによってＩＰＳｅｃ安全セッションを確立する（６３０）ように構成されることができる。
【０２０６】
いくつかの例示的な実施例では、図６に示されるように、ＵＥ  ＯＳ６６７及びｅＮＢ６０４は、ＩＫＥｖ２プロトコルの動作６２８を、たとえばＰＳＫを使用して実行するように構成されることができ、このＰＳＫは、メッセージ６１４としてｅＮＢ６０４から送出された鍵情報、たとえばノンスに少なくとも基づいている。
【０２０７】
いくつかの例示的な実施例では、ＰＳＫは、鍵情報と、１つ若しくは複数の共有パラメータ、たとえばＫｅＮＢ６１２及び／又は他の任意の共有パラメータとに基づいて決定されることができる。１つの例では、ＰＳＫは、ノンス及びＫｅＮＢ６１２に基づいて決定されることができる。別の例では、ＰＳＫは、ノンス、及びＵＥ  ＷｉＦｉ  ＮＩＣ６６３のアドレス（ＷＬＡＮ  ＮＩＣ  ＭＡＣアドレス）に基づいて決定されることができる。この例によれば、ＰＳＫは、ＷＬＡＮ  ＮＩＣ  ＭＡＣアドレスにバインドされてもよい。
【０２０８】
いくつかの例示的な実施例では、ＰＳＫは鍵情報にだけ基づいて、たとえばＫｅＮＢ６１２及び／又は他の共有パラメータを使用せずに、決定することができる。たとえば、ＰＳＫはノンスを含み得る。
【０２０９】
いくつかの例示的な実施例では、ＩＫＶｖ２  ＰＳＫを生成するために使用されるノンス及び他の任意の鍵情報は、たとえば別のＵＥによるＩＰＳｅｃセッションの「ハイジャック」を防止するように安全な方法で扱われることができる。たとえば、ＵＥ  ＯＳ６６７は、ＩＰＳｅｃクライアントを安全な実行環境において実行するように、かつ安全なセッションをＬＴＥモデム６６５に対して使用するように、構成されることができる。
【０２１０】
いくつかの例示的な実施例では、図６に示されるように、ｅＮＢ６０４は、ＩＰＳｅｃによって保護されることができるＵＥダウンリンクパケット６３２を送信することができ、ＵＥ  ＯＳ６６７は、パケット６３２から、ＵＥのアプリケーションに提供できるダウンリンクトラフィック６３４のパケットを、カプセルから取り出して復号することができる。
【０２１１】
いくつかの例示的な実施例では、ＷＬＡＮ接続６２２は、たとえばＷＬＡＮ  ＡＰ６０６への安全なＷｉＦｉ接続を確立することによって、ＬＴＥセキュリティドメインの外側で実行されることができる。
【０２１２】
いくつかの例示的な実施例では、ＷＬＡＮ  ＡＰ６０６は、たとえば下記で説明されるように、たとえばＣＮ１８９（図１）のオペレータによって選択されることができ、このオペレータはＵＥに、選択されたＷＬＡＮ  ＡＰ６０６に接続するように命令することができ得る。
【０２１３】
いくつかの例示的な実施例では、ＷＬＡＮリンクアグリゲーションは、ＵＥがすでに接続されている可能性がある任意のＷＬＡＮ  ＡＰ、たとえばホームネットワーク、プライベートネットワーク、小売りＡＰ（retail  AP）など、を介して実行されることができる。これらの実施例によれば、ＵＥは、ＷＬＡＮ  ＡＰ  ＩＰのＩＰアドレスをｅＮＢへ送出することができる。
【０２１４】
図１に戻ると、いくつかの例示的な実施例では、セルラマネージャ１０４及び／又はＵＥ１０２は、ｅＮＢ支援私設／公共機構を利用するように構成されることができ、この機構は、セルラマネージャ１０４及び／又はＵＥ１０４がＩＰＳｅｃセッションを、たとえばＩｋｖ２段階１の相互認証ステップを開始するための証明を必要とすることもなく、確立することを可能にし得る。
【０２１５】
いくつかの例示的な実施例では、セルラマネージャ１０４及びＵＥ１０２は、公開鍵及び／又は秘密鍵を利用して、ＵＥ１０２及びセルラノード１０４を含む認証ＩＰＳｅｃトンネルを、たとえばＵＥ１０２とセルラノード１０４との間又はＵＥ１０２とセキュリティゲートウェイとの間に確立するように構成されることができる。
【０２１６】
いくつかの例示的な実施例では、セルラノード１０４は、ＵＥ１０２用の、たとえばＵＥ１０２のＬＴＥモデムによって使用されるべき公開鍵及び／又は秘密鍵を生成するように構成されることができる。これらの実施例によれば、セルラマネージャ１０４は、その公開鍵及び／又は秘密鍵をＵＥ１０２へ、安全な接続、たとえばＬＴＥによって確立された安全な接続を介して、送出することができる。
【０２１７】
いくつかの例示的な実施例では、ＵＥ１０２、たとえばＵＥ１０２のＬＴＥモデムは、公開鍵及び／又は秘密鍵をすでに有し得る。これらの実施例によれば、公開鍵は、ＵＥ１０２とセルラマネージャ１０４又はセキュリティゲートウェイとの間で交換することができる。
【０２１８】
いくつかの例示的な実施例では、制御装置コンポーネント１４４は、ＷＬＡＮノード１０６のＷＬＡＮ識別子と、セルラマネージャ１０４に対応する第１の公開鍵（「ｅＮＢ公開鍵」）と、ＵＥ１０２に対応する第２の公開鍵（「ＵＥ公開鍵」）と、ＵＥ１０２に対応する秘密鍵（「ＵＥ秘密鍵」）と、セルラマネージャ１０４のＩＰアドレスとを含むセルラメッセージをＵＥ１０２へ送信するようにセルラトランシーバ１６７をトリガするように構成されることができる。
【０２１９】
いくつかの例示的な実施例では、たとえば下記で説明されるように、たとえばｅＮＢ公開鍵、ＵＥ公開鍵、及びＵＥ秘密鍵を使用してＵＥ１０２とセルラマネージャ１０４との間の相互認証が実行されることができ、たとえば、ＵＥ１０２とセルラマネージャ１０４との間にＷＬＡＮノード１０６を介してＩＰＳｅｃセッションを確立することを可能にする。
【０２２０】
いくつかの例示的な実施例では、セルラトランシーバ１６５は、セルラノード１０４から、ＷＬＡＮノード１０６のＷＬＡＮ識別子、ｅＮＢ公開鍵、ＵＥ公開鍵、ＵＥ秘密鍵、及びセルラノード１０４のＩＰアドレスを含むセルラメッセージを受信することができる。
【０２２１】
いくつかの例示的な実施例では、制御装置コンポーネント１４５は、たとえばＷＬＡＮ識別子に基づいてＷＬＡＮノード１０６とのＷＬＡＮ接続を確立するようにＷＬＡＮトランシーバ１６３をトリガするように構成されることができる。
【０２２２】
いくつかの例示的な実施例では、制御装置コンポーネント１４５は、たとえば下記で説明されるように、たとえばｅＮＢ公開鍵、ＵＥ公開鍵、及びＵＥ秘密鍵を使用してセルラノード１０４との相互認証手順に参加するとともに、ＩＰＳｅｃセッションを確立するようにＵＥ１０２をトリガするように構成されることができる。
【０２２３】
図７を参照する。この図は、いくつかの例示的な実施例による、安全なＩＰセッションを確立する動作及び通信を概略的に示す。
【０２２４】
いくつかの例示的な実施例では、図７に示されるように、ｅＮＢ７０４、たとえばセルラマネージャ１０４（図１）は、ＵＥとの、たとえば、ＵＥのＬＴＥセルラモデム７６５、たとえばＵＥ１０２（図１）のセルラＴＲｘ１６５との安全接続を確立する（７１０）ことができる。
【０２２５】
いくつかの例示的な実施例では、図７に示されるように、ｅＮＢ７０４とＬＴＥセルラモデム７６５の両方が、安全に共有できる１つ若しくは複数のセキュリティパラメータに関する情報を有し得る。たとえば、ｅＮＢ７０４、たとえばセルラマネージャ１０４（図１）と、ＬＴＥセルラモデム７６５、たとえばセルラＴＲｘ１６５（図１）との両方が、ｅＮＢ鍵（ＫｅＮＢ）７１２及び／又は他の任意のパラメータ若しくは鍵についての知識を有し得る。
【０２２６】
いくつかの例示的な実施例では、図７に示されるように、ｅＮＢ７０４、たとえばセルラマネージャ１０４（図１）は、開始メッセージ（「Ｉｎｉｔ  ＷｉＦｉ」）７１４をたとえばＲＲＣメッセージの一部として生成し、ＬＴＥセルラモデム７６５へ送出することができる。
【０２２７】
いくつかの例示的な実施例では、開始メッセージ７１４は、ＷＬＡＮ  ＡＰ７０６の、たとえばＷＬＡＮノード１０６（図１）の識別子、たとえばＷＬＡＮ  ＡＰ７０６に対応するＷＬＡＮ＿ＡＰ  ＳＳＩＤ、又は他の任意の識別子を含み得る。
【０２２８】
いくつかの例示的な実施例では、開始メッセージ７１４は、ｅＮＢ７０４に割り当てられたｅＮＢ公開鍵、ＵＥに割り当てられたＵＥ公開鍵、及びＵＥに割り当てられたＵＥ秘密鍵を含み得る。
【０２２９】
いくつかの例示的な実施例では、ｅＮＢ７０４は、ＵＥ用の１対の秘密鍵と公開鍵（「＜ｐｕｂ、ｐｒｉ＞」）を生成するように、かつ、この鍵の対をＵＥのＬＴモデムへ送出するように、構成されることができる。
【０２３０】
いくつかの例示的な実施例では、ｅＮＢ７０４の公開鍵は、安全に保持されることができ、たとえばｅＮＢ７０４のＬＴＥモデムを離れる（leave）ことはできない。
【０２３１】
いくつかの例示的な実施例では、開始メッセージ７１４は、たとえばＩＰトンネルをｅＮＢ７０４とＵＥとの間に確立するために使用されるべきｅＮＢ７０４のＩＰアドレスを含み得る。
【０２３２】
いくつかの例示的な実施例では、開始メッセージ７１４は、たとえば、ｅＮＢ７０４とＵＥとの間の通信に適用できるセルラ保護プロトコル、たとえばＬＴＥセキュリティによって、守られること及び／又は保護されることができる。
【０２３３】
いくつかの例示的な実施例では、図７に示されるように、ＵＥ  ＬＴＥモデム７６５は、開始メッセージ７１４を受信及び処理することができる。たとえば、ＵＥ  ＬＴＥモデム７６５、たとえばセルラＴＲｘ１６５（図１）は、開始メッセージ７１６をＵＥのＬＴＥ接続マネージャ７６８へ送出することができる。たとえば、ＬＴＥ接続マネージャ７６８は、制御装置、たとえば制御装置１４５（図１）、によって実施されることができる。
【０２３４】
いくつかの例示的な実施例では、開始メッセージ７１６は、ＷＬＡＮ  ＡＰ７０６の識別子、たとえばＷＬＡＮ  ＡＰ７０６のＳＳＩＤと、接続インデックス（「Ｃｏｎｎ＿Ｉｎｄｅｘ」）とを含み得る。
【０２３５】
いくつかの例示的な実施例では、図７に示されるように、ＬＴＥ接続マネージャ７６８は、開始メッセージ７１６を受信及び処理することができる。たとえば、ＬＴＥ接続マネージャ７６８、たとえば制御装置１４５（図１）は、開始メッセージ７１８をＵＥのＵＥ  ＷＬＡＮ接続マネージャ７６９へ送出することができる。たとえば、ＵＥ  ＷＬＡＮ接続マネージャ７６９は、ＵＥ１０２のＷＬＡＮ制御装置、及び／又はＵＥ１０２（図１）の他の任意の要素によって実施されることができる。
【０２３６】
いくつかの例示的な実施例では、開始メッセージ７１６は、ＷＬＡＮ  ＡＰ７０６の識別子、たとえばＷＬＡＮ  ＡＰ７０６のＳＳＩＤを含み得る。
【０２３７】
いくつかの例示的な実施例では、図７に示されるように、ＵＥ  ＷＬＡＮ接続マネージャ７６９は、開始メッセージ７１８を受信及び処理することができる。たとえば、ＵＥ  ＷＬＡＮ接続マネージャ７６９は、ＷＬＡＮ接続命令７２０をＵＥのＷＬＡＮ  ＮＩＣ  ７６３へ、たとえばＵＥ１０２（図１）のＷＬＡＮ  ＴＲｘ１６３（図１）へ送出することができる。
【０２３８】
いくつかの例示的な実施例では、ＷＬＡＮ接続命令７２０は、ＷＬＡＮ  ＡＰ７０６の識別子、たとえばＷＬＡＮ  ＡＰ７０６のＳＳＩＤを含み得る。
【０２３９】
いくつかの例示的な実施例では、図７に示されるように、ＷＬＡＮ  ＮＩＣ  ７６３、たとえばＷＬＡＮ  ＴＲｘ１６３（図１）は、ＷＬＡＮ接続命令７２０を受信及び処理することができる。たとえば、ＷＬＡＮ  ＮＩＣ  ７６３、たとえばＷＬＡＮ  ＴＲｘ１６３（図１）は、たとえばＷＬＡＮ  ＡＰ７０６の識別子に基づいて、ＷＬＡＮ  ＡＰ７０６との、たとえばＷＬＡＮノード１０６（図１）とのＷＬＡＮ接続を確立する（７２２）ことができる。
【０２４０】
いくつかの例示的な実施例では、図７に示されるように、ＵＥ  ＷＬＡＮ接続マネージャ７６９は、ＩＰＳｅｃ開始メッセージ（「Ｉｎｉｔ＿ＩＰＳｅｃ」）７２４をＵＥのオペレーティングシステム（ＯＳ）７６７へ、たとえばＵＥ１０２（図１）のＯＳへ送出することができる。
【０２４１】
いくつかの例示的な実施例では、ＩＰＳｅｃ開始メッセージ７２４は、メッセージ７１６として受信された接続インデックスを含み得る。
【０２４２】
いくつかの例示的な実施例では、図７に示されるように、ＬＴＥモデム７６５、たとえばセルラＴＲｘ１６５（図１）は、ＵＥ  ＯＳ７６７へ、たとえばメッセージ７１４として受信されたｅＮＢ公開鍵、ＵＥ公開鍵、及びｅＮＢ  ＩＰアドレスを提供する（７２６）ことができる。たとえば、ＬＴＥモデム７６５及びＯＳ７６７は、ｅＮＢ公開鍵、ＵＥ公開鍵、及びｅＮＢ  ＩＰアドレスを安全に伝達するように構成されることができる。
【０２４３】
いくつかの例示的な実施例では、図７に示されるように、ＵＥ  ＯＳ７６７及びｅＮＢ７０４は、動作（７２８）をＩＫＥｖ２プロトコルに従って実行して、ＩＰＳｅｃ安全セッションをＵＥ  ＯＳ１６７とｅＮＢ７０４との間に、たとえばＷＬＡＮ  ＡＰ７０６を介したＩＰトンネルによって確立する（７３０）ように構成されることができる。
【０２４４】
いくつかの例示的な実施例では、図７に示されるように、ＵＥ  ＯＳ７６７及びｅＮＢ７０４は、ＩＫＥｖ２プロトコルの動作７２８を、たとえば秘密鍵及び公開鍵を使用して実行するように構成されることができる。
【０２４５】
いくつかの例示的な実施例では、ＬＴＥモデム７６５は、ＩＫＥｖ２プロトコル交換中に署名者として機能して、たとえばクライアント同一性を証明することができる。別法として、ｅＮＢ生成公開／秘密鍵は、ＵＥの安全な場所に記憶されることができる。
【０２４６】
いくつかの例示的な実施例では、図７に示されるように、ｅＮＢ７０４は、ＩＰＳｅｃによって保護されることができるＵＥダウンリンクパケット７３２を送信することができ、ＵＥ  ＯＳ７６７は、パケット７３２から、ＵＥのアプリケーションに提供できるダウンリンクトラフィック７３４のパケットを、カプセルから取り出して復号することができる。
【０２４７】
図１に戻ると、いくつかの例示的な実施例では、セルラマネージャ１０４及びＵＥ１０２は、たとえば下記で説明されるように、ＵＥ１０２が１つのＷＬＡＮノードから別のものまで、たとえばＩＰトンネルを維持しながら移動できるように構成されることができる。
【０２４８】
いくつかの例示的な実施例では、セルラマネージャ１０４は、ＵＥ１０２が、たとえば異なるＷＬＡＮ  ＡＰ間を移動するときに、ＩＰトンネルを再確立することを要求される可能性がない１つ若しくは複数のＷＬＡＮ  ＡＰのリストをＵＥ１０２に示すように、構成されることができる。
【０２４９】
いくつかの例示的な実施例では、ＷＬＡＮ  ＡＰのリストは、同じＩＰサブネット内に存在するＷＬＡＮ  ＡＰを含み得る。
【０２５０】
いくつかの例示的な実施例では、ＵＥ１０２が第１の（ソース）ＷＬＡＮ  ＡＰから、ＷＬＡＮ  ＡＰのリストに属している第２の（ターゲット）ＷＬＡＮ  ＡＰまでローミングすることを決定したとき、ＵＥ１０２は、任意選択でセルラマネージャ１０４に、たとえばＲＲＣメッセージを使用して、そのＷＬＡＮでの送信を中断することを示すことができる。ＵＥ１０２は、そのソースＷＬＡＮ  ＡＰと結合解除し、ターゲットＷＬＡＮ  ＡＰと結合することができる。ターゲットＷＬＡＮ  ＡＰと結合すると、ＵＥ１０２は、たとえばＵＥ１０２が以前にセルラマネージャ１０４にＷＬＡＮでの送信を中断することを示した場合に、セルラマネージャ１０４に、たとえばＲＲＣメッセージを使用して、ＷＬＡＮに対する送信を再開することを示すことができる。
【０２５１】
いくつかの例示的な実施例では、制御装置コンポーネント１４４は、ＵＥ１０２へメッセージを、たとえば同じＩＰサブネットに属している複数のＷＬＡＮノードのリストを含むＲＲＣメッセージを送信するようにセルラトランシーバ１６５をトリガするように構成されることができる。
【０２５２】
いくつかの例示的な実施例では、セルラトランシーバ１６５は、ＷＬＡＮノードのリストを含むメッセージを受信することができ、制御装置コンポーネント１４５は、リスト中の複数のＷＬＡＮノードのうちの第１のＷＬＡＮノードを介してＩＰトンネルを確立するようにＷＬＡＮトランシーバ１６３をトリガするように、かつそのＩＰトンネルを第１のＷＬＡＮノードからリスト中の複数のＷＬＡＮノードのうちの第２のＷＬＡＮノードへ移すように、構成されることができる。
【０２５３】
いくつかの例示的な実施例では、制御装置コンポーネント１４５は、ＩＰトンネルを介した送信を中断する表示をセルラマネージャ１０４へ送信するようにセルラトランシーバ１６５をトリガするように、かつ第１のＷＬＡＮノードと結合解除するようにＷＬＡＮトランシーバ１６３をトリガするように、かつ第２のＷＬＡＮノードと結合するようにＷＬＡＮトランシーバ１６３をトリガするように、かつＩＰトンネルを介した通信を再開するための表示をセルラマネージャ１０４へ送信するようにセルラトランシーバ１６５をトリガするように、構成されることができる。
【０２５４】
いくつかの例示的な実施例では、制御装置コンポーネント１４４は、たとえばＵＥからの指示に基づいてＩＰトンネルを第１のＷＬＡＮノードから第２のＷＬＡＮノードへ移すようにＷＬＡＮノードインタフェース１６９をトリガすることができる。
【０２５５】
いくつかの例示的な実施例では、ＵＥ１０２は、ＩＰトンネルがターゲットＷＬＡＮ  ＡＰのために保持されることができるのか、又はターゲットＷＬＡＮがＷＬＡＮ  ＡＰのリスト中になくてもよいのかが分からないことがある。これらの実施例によれば、ＵＥ１０２は、上記で説明されたように、たとえばそのＩＰトンネルを取り壊し、ソースＷＬＡＮ  ＡＰと結合解除し、アグリゲーション活性化を実行して、ターゲットＷＬＡＮ  ＡＰを介した新しいＩＰセッションを確立することができる。
【０２５６】
いくつかの例示的な実施例では、セルラマネージャ１０４及びＵＥ１０２は、ＵＥ１０２をセルラマネージャ１０４から別のセルラマネージャへ、たとえば別のｅＮＢへ、ハンドオーバすることができるように構成されることができる。
【０２５７】
いくつかの例示的な実施例では、ハンドオーバにより、ＩＰトンネルをたとえばＵＥ１０２によって、又はセルラマネージャ１０４によって取り壊すことができる。
【０２５８】
いくつかの例示的な実施例では、１つ若しくは複数のハンドオーバ手順、たとえば３ＧＰＰによるハンドオーバ手順をｅＮＢハンドオーバに利用することができる。
【０２５９】
いくつかの例示的な実施例では、たとえば、上記のＩＰトンネルのＰＤＣＰ実施態様では、たとえば、ソースｅＮＢが不成功のパケットをターゲットｅＮＢまでルーティングできるようにするためにＷＬＡＮリンクを介して送出されたパケットの成功した受信を追跡することができない場合には、ｅＮＢハンドオーバ処理中のパケット損失が潜在的にあり得る。下記のＰＤＣＰ実施態様では、ＵＥベースのＰＤＣＰ状態報告と組み合わされたＰＤＣＰシーケンス番号の組み合わせを使用して、非応答ＰＤＣＰパケットをハンドオーバ中に追跡することができる。
【０２６０】
いくつかの例示的な実施例では、たとえばＰＤＣＰ状態報告に類似している新しいＲＲＣ又は帯域内シグナリングを規定して、どのＩＰパケットがＵＥ１０２において、たとえばｅＮＢハンドオーバ中に成功裏に受信されたかを示すことができる。たとえば、ＩＰヘッダフィールド内又はＩＰペイロード内のシーケンス番号を、このような追跡のために導入することができる。
【０２６１】
いくつかの例示的な実施例では、ＷＬＡＮアグリゲーションは、たとえばセルラマネージャ１０４によって、又はＵＥ１０２によって、たとえば明確なＲＲＣシグナリングを使用して、又はＩＰトンネルを取り壊すことによって、不活性化することができる。
【０２６２】
図８を参照する。この図は、いくつかの例示的な実施例によるＵＥデバイス８００の要素を概略的に示す。たとえば、ＵＥデバイス８００の１つ若しくは複数の要素は、ＵＥ１０２（図１）の１つ若しくは複数の機能を実行することができる。１つの例では、ＵＥデバイス８００の１つ若しくは複数の要素は、セルラＴＲｘ１６５（図１）、ＷＬＡＮ  ＴＲｘ１６３（図１）、制御装置１４５（図１）、メッセージプロセッサ１８２（図１）、及び／又はＵＥ１０２（図１）のうちの１つ若しくは複数の他の要素の１つ若しくは複数の機能を実行するように構成されることができる。いくつかの例示的な実施例では、ＵＥの実施例は、適切に構成された任意のハードウェア及び／又はソフトウェアを使用して、１つのシステムの中に実装されることができる。図８は、１つの実施例についての、ＵＥデバイス８００の例示的な構成要素を示す。
【０２６３】
いくつかの例示的な実施例では、ＵＥデバイス８００は、少なくとも図示のように一緒に結合されたアプリケーション回路８０２、ベースバンド回路８０４、無線周波数（ＲＦ）回路８０６、フロントエンドモジュール（ＦＥＭ）回路８０８、及び１つ若しくは複数のアンテナ８１０を含み得る。
【０２６４】
１つの例では、アプリケーション回路８０２は、制御装置１４５（図１）及び／又はメッセージプロセッサ１８２（図１）の機能の少なくとも一部を実行するように構成されることができ、かつ／又は、ベースバンド回路８０４、ＲＦ回路８０６、及び／又はＦＥＭ回路８０８は、セルラＴＲｘ１６５（図１）、ＷＬＡＮ  ＴＲｘ１６３（図１）、制御装置１４５（図１）、及び／又はメッセージプロセッサ１８２（図１）の機能の少なくとも一部を実行するように構成されることができる。
【０２６５】
いくつかの例示的な実施例では、アプリケーション回路８０２は、１つ若しくは複数のアプリケーションプロセッサを含み得る。たとえば、アプリケーション回路８０２は、それだけには限らないが、１つ若しくは複数のシングルコアプロセッサ又はマルチコアプロセッサなどの回路を含み得る。プロセッサは、汎用プロセッサ及び専用プロセッサ（たとえば、グラフィックプロセッサ、アプリケーションプロセッサなど）の任意の組み合わせを含み得る。プロセッサは、メモリ／記憶装置と結合されること、及び／又はそれを含むことができ、また、メモリ／記憶装置に記憶された命令を実行して、様々なアプリケーション及び／又はオペレーティングシステムをシステム上で動作可能にするように構成されることができる。
【０２６６】
いくつかの例示的な実施例では、ベースバンド回路８０４は、それだけには限らないが、１つ若しくは複数のシングルコアプロセッサ又はマルチコアプロセッサなどの回路を含み得る。ベースバンド回路８０４は、ＲＦ回路８０６の受信信号経路から受信したベースバンド信号を処理するための、またＲＦ回路８０６の送信信号経路向けのベースバンド信号を生成するための、１つ若しくは複数のベースバンドプロセッサ及び／又は制御論理回路を含み得る。ベースバンド処理回路８０４は、たとえばベースバンド信号を生成及び処理するために、またＲＦ回路８０６の動作を制御するために、アプリケーション回路８０２とインタフェースすることができる。たとえば、いくつかの実施例では、ベースバンド回路８０４は、第２世代（２Ｇ）ベースバンドプロセッサ８０４ａ、第３世代（３Ｇ）ベースバンドプロセッサ８０４ｂ、第４世代（４Ｇ）ベースバンドプロセッサ８０４ｃ、及び／又は他の既存の世代、開発中若しくは将来開発されるべき世代（たとえば、第５世代（５Ｇ）、６Ｇなど）用の別のベースバンドプロセッサ８０４ｄを含み得る。ベースバンド回路８０４（たとえば、１つ若しくは複数のベースバンドプロセッサ８０４ａ〜ｄ）は、ＲＦ回路８０６を介して１つ若しくは複数の無線ネットワークと通信することを可能にする様々な無線制御機能を操作することができる。無線制御機能には、それだけには限らないが、信号変調／復調、エンコーディング／デコーディング、無線周波数シフトなどが含まれ得る。いくつかの実施例では、ベースバンド回路８０４の変調／復調回路は、高速フーリエ変換（ＦＦＴ）、プリコーディング、及び／又は配置マッピング／デマッピングの機能を含み得る。いくつかの実施例では、ベースバンド回路８０４のエンコーディング／デコーディング回路は、畳み込み、テイルバイティング畳み込み、ターボ、ヴィタビ、及び／又は低密度パリティ検査（ＬＤＰＣ）エンコーダ／デコーダの機能を含み得る。変調／復調及びエンコーダ／デコーダの機能の実施例は、これらの例に限定されず、別の実施例における他の適切な機能を含み得る。
【０２６７】
いくつかの例示的な実施例では、ベースバンド回路８０４は、たとえば進化型ユニバーサル地上無線アクセスネットワーク（ＥＵＴＲＡＮ）プロトコルの要素などのプロトコルスタックの要素を含むことができ、これにはたとえば、物理的（ＰＨＹ）、メディアアクセス制御（ＭＡＣ）、無線リンク制御（ＲＬＣ）、パケットデータコンバージェンスプロトコル（ＰＤＣＰ）、及び／又は無線リソース制御（ＲＲＣ）の各要素が含まれる。ベースバンド回路８０４の中央処理ユニット（ＣＰＵ）８０４ｅは、たとえば、ＰＨＹ、ＭＡＣ、ＲＬＣ、ＰＤＣＰ及び／又はＲＲＣの各層のシグナリングのためにプロトコルスタックの要素を動作させるように構成されることができる。いくつかの実施例では、ベースバンド回路は、１つ若しくは複数の音声デジタル信号プロセッサ（ＤＳＰ）８０４ｆを含み得る。音声ＤＳＰ  ８０４ｆは、圧縮／復元及びエコーキャンセルのための要素を含み、かつ／又は他の適切な処理要素を別の実施例において含み得る。ベースバンド回路８０４の構成要素は、いくつかの実施例において、シングルチップ、シングルチップセット内に適切に一緒にすること、又は同じ回路基板上に配置されることができる。いくつかの実施例では、ベースバンド回路８０４及びアプリケーション回路８０２の構成要素の一部又は全部を、たとえばシステムオンチップ（ＳＯＣ）上などに一緒に実装することができる。
【０２６８】
いくつかの例示的な実施例では、ベースバンド回路８０４は、１つ若しくは複数の技術と互換性がある通信手段を提供することができる。たとえば、いくつかの実施例では、ベースバンド回路８０４は、進化型ユニバーサル無線アクセスネットワーク（ＥＵＴＲＡＮ）及び／若しくは他の無線メトロポリタンエリアネットワーク（ＷＭＡＮ）、無線ローカルエリアネットワーク（ＷＬＡＮ）、無線パーソナルエリアネットワーク（ＷＰＡＮ）、並びに／又は１つ若しくは複数の追加若しくは代替のネットワーク、との通信をサポートすることができる。ベースバンド回路８０４が複数の無線プロトコルの無線通信をサポートするように構成されている実施例は、マルチモードベースバンド回路と呼ばれることがある。
【０２６９】
いくつかの実施例では、ＲＦ回路８０６は、無線ネットワークとの通信を、非固体媒体を介した変調電磁放射を使用して可能にし得る。様々な実施例では、ＲＦ回路８０６は、無線ネットワークとの通信を容易にするためのスイッチ、フィルタ、増幅器などを含み得る。ＲＦ回路８０６は受信信号経路を含むことができ、この信号経路は、ＦＥＭ回路８０８から受信されたＲＦ信号をダウンコンバートするための、またベースバンド信号をベースバンド回路８０４に供給するための回路を含み得る。ＲＦ回路８０６はまた、送信信号経路を含むこともでき、この信号経路は、ベースバンド回路８０４から供給されるベースバンド信号をアップコンバートするとともにＲＦ出力信号をＦＥＭ回路８０８に送信用に供給するための回路を含み得る。
【０２７０】
いくつかの例示的な実施例では、ＲＦ回路８０６は、受信信号経路及び送信信号経路を含み得る。ＲＦ回路８０６の受信信号経路は、ミキサ回路８０６ａ、増幅器回路８０６ｂ、及びフィルタ回路８０６ｃを含み得る。ＲＦ回路８０６の送信信号経路は、フィルタ回路８０６ｃ及びミキサ回路８０６ａを含み得る。ＲＦ回路８０６はまた、受信信号経路及び送信信号経路のミキサ回路８０６ａで使用する周波数を合成するためのシンセサイザ回路８０６ｄを含み得る。いくつかの実施例では、受信信号経路のミキサ回路８０６ａは、ＦＥＭ回路８０８から受信したＲＦ信号を、シンセサイザ回路８０６ｄから供給される合成周波数に基づいてダウンコンバートするように構成されることができる。増幅器回路８０６ｂは、ダウンコンバートされた信号を増幅するように構成されることができる。またフィルタ回路８０６ｃ、たとえばローバスフィルタ（ＬＰＦ）又はバンドパスフィルタ（ＢＰＦ）は、ダウンコンバートされた信号から不要信号を除去して出力ベースバンド信号を生成するように構成されることができる。出力ベースバンド信号は、さらなる処理のためにベースバンド回路８０４に供給されることができる。いくつかの実施例では、出力ベースバンド信号は、ゼロ周波数ベースバンド信号とすることができるが、これは必要条件ではない。いくつかの実施例では、受信信号経路のミキサ回路８０６ａは、受動ミキサを備え得るが、この点で実施例の範囲は限定されない。
【０２７１】
いくつかの例示的な実施例では、送信信号経路のミキサ回路８０６ａは、入力ベースバンド信号を、シンセサイザ回路８０６ｄから供給される合成周波数に基づいてアップコンバートして、ＦＥＭ回路８０８向けのＲＦ出力信号を生成するように構成されることができる。ベースバンド信号は、ベースバンド回路８０４から供給されることができ、またフィルタ回路８０６ｃでフィルタリングすることができる。フィルタ回路８０６ｃは、ローパスフィルタ（ＬＰＦ）を含み得るが、この点で実施例の範囲は限定されない。
【０２７２】
いくつかの例示的な実施例では、受信信号経路のミキサ回路８０６ａ及び送信信号経路のミキサ回路８０６ａは、２つ以上のミキサを含むことができ、それぞれ直交ダウンコンバート及び／又はアップコンバートのために配置され得る。いくつかの実施例では、受信信号経路のミキサ回路８０６ａ及び送信信号経路のミキサ回路８０６ａは、２つ以上のミキサを含むことができ、イメージ除去（たとえば、ハートレーイメージ除去）のために配置され得る。いくつかの実施例では、受信信号経路のミキサ回路８０６ａ及びミキサ回路８０６ａは、それぞれ直接ダウンコンバート及び／又は直接アップコンバートのために配置され得る。受信信号経路のミキサ回路８０６ａ及び送信信号経路のミキサ回路８０６ａは、スーパヘテロダイン動作するように構成されることができる。
【０２７３】
いくつかの例示的な実施例では、出力ベースバンド信号及び入力ベースバンド信号は、アナログベースバンド信号とすることができるが、この点で実施例の範囲は限定されない。いくつかの代替実施例では、出力ベースバンド信号及び入力ベースバンド信号は、デジタルベースバンド信号とすることができる。これらの代替実施例では、ＲＦ回路８０６は、アナログ−デジタル変換器（ＡＤＣ）回路及びデジタル−アナログ変換器（ＤＡＣ）回路を含み、ベースバンド回路８０４は、ＲＦ回路８０６と連絡するためのデジタルベースバンドインタフェースを含み得る。
【０２７４】
いくつかのデュアルモード実施例では、スペクトルごとに信号を処理するための別個の無線ＩＣ回路を設けることができるが、この点で実施例の範囲は限定されない。
【０２７５】
いくつかの例示的な実施例では、シンセサイザ回路８０６ｄは、フラクショナルＮシンセサイザ又はフラクショナルＮ／Ｎ＋１シンセサイザとすることができるが、他のタイプの周波数シンセサイザも適切であり得るので、この点で実施例の範囲は限定されない。たとえば、シンセサイザ回路８０６ｄは、デルタ−シグマシンセサイザ、周波数逓倍器、又は周波数分周器付き位相ロックループを備えるシンセサイザ、とすることができる。
【０２７６】
いくつかの例示的な実施例では、シンセサイザ回路８０６ｄは、ＲＦ回路８０６のミキサ回路８０６ａで使用するための出力周波数を、周波数入力及び分周器制御入力に基づいて合成するように構成されることができる。いくつかの実施例では、シンセサイザ回路８０６ｄは、フラクショナルＮ／Ｎ＋１シンセサイザとすることができる。
【０２７７】
いくつかの例示的な実施例では、周波数入力は電圧制御発振器（ＶＣＯ）から供給されることができるが、これは必要条件ではない。分周器制御入力は、ベースバンド回路８０４又はアプリケーションプロセッサ８０２から、所望の出力周波数に応じて供給されることができる。いくつかの実施例では、分周器制御入力（たとえば、Ｎ）は、ルックアップテーブルから、アプリケーションプロセッサ８０２によって示されるチャネルに基づいて決定されることができる。
【０２７８】
いくつかの例示的な実施例では、ＲＦ回路８０６のシンセサイザ回路８０６ｄは、分周器、遅延ロックループ（ＤＬＬ）、逓倍器、及び位相アキュムレータを含み得る。いくつかの実施例では、分周器はデュアルモジュラス分周器（ＤＭＤ）とすることができ、位相アキュムレータはデジタル位相アキュムレータ（ＤＰＡ）とすることができる。いくつかの実施例では、ＤＭＤは、入力信号をＮ又はＮ＋１で分周して（たとえば、キャリーアウトに基づいて）、分数分周比を得るように構成されることができる。いくつかの例示的な実施例では、ＤＬＬは、一組のカスケード接続された調整可能遅延要素、位相検出器、チャージポンプ及びＤ型フリップフロップを含み得る。これらの実施例では、遅延要素は、ＶＣＯ期間をＮｄ個の位相の等しいパケットに分割するように構成されることができ、ここでＮｄは、遅延ライン中の遅延要素の数である。このようにして、ＤＬＬは負帰還をもたらして、遅延ラインによる総遅延が１ＶＣＯ周期になることを確実にする助けになる。
【０２７９】
いくつかの例示的な実施例では、シンセサイザ回路８０６ｄは、キャリア周波数を出力周波数として生成するように構成されることができるが、別の実施例では、出力周波数は、キャリア周波数の倍数とすることができ（たとえば、キャリア周波数の２倍、キャリア周波数の４倍）、直交生成器及び分周器回路と一緒に使用されて、キャリア周波数の、複数の位相が互いに異なる、複数の信号を生成することができる。いくつかの実施例では、出力周波数はＬＯ周波数（ｆＬＯ）とすることができる。いくつかの実施例では、ＲＦ回路８０６はＩＱ／極変換器を含み得る。
【０２８０】
いくつかの例示的な実施例では、ＦＥＭ回路８０８は、受信信号経路を含むことができ、この信号経路は、１つ若しくは複数のアンテナ８１０から受信したＲＦ信号に作用し、その受信信号を増幅し、その増幅バージョンの受信信号をＲＦ回路８０６にさらなる処理のために供給するように構成された回路を含み得る。ＦＥＭ回路８０８はまた送信信号経路を含むことができ、この信号経路は、１つ若しくは複数のアンテナ８１０のうちの１つ以上によって送信するためにＲＦ回路８０６から供給される送信用の信号を増幅するように構成された回路を含み得る。
【０２８１】
いくつかの例示的な実施例では、ＦＥＭ回路８０８は、送信モードと受信モードの動作を切り換えるためのＴＸ／ＲＸスイッチを含み得る。ＦＥＭ回路は、受信信号経路及び送信信号経路を含み得る。ＦＥＭ回路の受信信号経路は、受信ＲＦ信号を増幅するとともに増幅した受信ＦＲ信号を出力として（たとえば、ＲＦ回路８０６に）供給する低ノイズ増幅器（ＬＮＡ）を含み得る。ＦＥＭ回路８０８の送信信号経路は、入力ＲＦ信号（たとえば、ＲＦ回路８０６から供給される）を増幅する電力増幅器（ＰＡ）と、その後の送信（たとえば、１つ若しくは複数のアンテナ８１０のうちの１つ以上から）のためのＲＦ信号を生成する１つ若しくは複数のフィルタとを含み得る。
【０２８２】
いくつかの実施例では、ＵＥデバイス８００は、１つ若しくは複数の追加又は代替の、たとえばメモリ／記憶装置、表示装置、カメラ、センサ、及び／又は入力／出力（Ｉ／Ｏ）インタフェースなどの要素を含み得る。
【０２８３】
図９を参照する。この図は、いくつかの例示的な実施例による、セルラマネージャとＵＥとの間でＷＬＡＮノードを介して通信する方法を概略的に示す。いくつかの実施例では、図９の方法の動作のうちの１つ以上を、無線通信システム、たとえばシステム１００（図１）によって、セルラマネージャ、たとえばセルラマネージャ１０４（図１）によって、ＷＬＡＮノード、たとえばＷＬＡＮノード１０６（図１）によって、インタフェース、たとえばインタフェース１６９（図１）及び／又はインタフェース１９２（図１）によって、トランシーバ、たとえばＷＬＡＮ  ＴＲｘ１６３（図１）、セルラＴＲｘ１６５（図１）、ＷＬＡＮ無線機１９４（図１）、及び／又はセルラＴＲｘ１６７（図１）によって、及び／又は制御装置、たとえば制御装置１４４（図１）、制御装置１４９（図１）及び／又は制御装置１４５（図１）によって、実行することができる。
【０２８４】
ブロック９０２に示されるように、この方法は、ＵＥにおいて、少なくとも１つのＥ−ＲＡＢのトラフィックをｅＮＢに伝達するステップを含み得る。たとえば、制御装置コンポーネント１４５（図１）は、たとえば、上記で説明されたように、ＵＥ１０２（図１）に、Ｅ−ＲＡＢのトラフィックをセルラマネージャ１０４（図１）に対して伝達させることができる。
【０２８５】
ブロック９０４に示されるように、この方法は、ＵＥに割り当てられたＩＰアドレスを含むＷＬＡＮメッセージを受信するステップを含み得る。たとえば、ＷＬＡＮトランシーバ１６３（図１）は、たとえば、上記で説明されたように、ＷＬＡＮから、ＵＥ１０２（図１）に割り当てられたＩＰアドレスを含むＷＬＡＮメッセージを受信することができる。
【０２８６】
ブロック９０６に示されるように、この方法は、ＵＥに割り当てられたＩＰアドレスを、ＵＥとｅＮＢとの間にＷＬＡＮノードを介してＩＰトンネルを確立する際に使用するようにＵＥをトリガするステップを含み得る。たとえば、制御装置コンポーネント１４５（図１）は、たとえば、上記で説明されたように、ＵＥ１０２（図１）に割り当てられたＩＰアドレスを、ＵＥ１０２（図１）とセルラマネージャ１０４（図１）との間にＷＬＡＮノード１０６（図１）を介してＩＰトンネルを確立する際に使用するようにＵＥ１０２（図１）をトリガするように構成されることができる。
【０２８７】
ブロック９０８に示されるように、この方法は、ＩＰトンネルを介して受信されたＩＰトンネリングパケットを処理するステップであって、このＩＰトンネリングパケットがＥ−ＲＡＢのダウンリンクトラフィックを含んでいるカプセル化ＩＰペイロードを含む、ステップを含むことができる。たとえば、制御装置コンポーネント１４５（図１）は、たとえば、上記で説明されたように、ＩＰトンネルを介して受信されたＩＰトンネリングパケットを処理するようにＵＥ１０２（図１）をトリガすることができる。
【０２８８】
図１０を参照する。この図は、いくつかの例示的な実施例による、セルラマネージャとＵＥとの間でＷＬＡＮノードを介して通信する方法を概略的に示す。いくつかの実施例では、図１０の方法の動作のうちの１つ以上を、無線通信システム、たとえばシステム１００（図１）によって、セルラマネージャ、たとえばセルラマネージャ１０４（図１）によって、ＷＬＡＮノード、たとえばＷＬＡＮノード１０６（図１）によって、インタフェース、たとえばインタフェース１６９（図１）及びインタフェース１９２（図１）によって、トランシーバ、たとえばＷＬＡＮ  ＴＲｘ１６３（図１）、セルラＴＲｘ１６５（図１）、ＷＬＡＮ無線機１９４（図１）、及び／又はセルラＴＲｘ１６７（図１）によって、及び／又は制御装置、たとえば制御装置１４４（図１）、制御装置１４９（図１）及び／又は制御装置１４５（図１）によって、実行することができる。
【０２８９】
ブロック１００２に示されるように、この方法は、ｅＮＢにおいて、少なくとも１つのＥ−ＲＡＢのトラフィックをＵＥに伝達するステップを含み得る。たとえば、制御装置コンポーネント１４４（図１）は、たとえば、上記で説明されたように、セルラマネージャ１０４（図１）に、Ｅ−ＲＡＢのトラフィックをＵＥ１０２（図１）に対して伝達させることができる。
【０２９０】
ブロック１００４に示されるように、この方法は、ｅＮＢとＵＥとの間にＷＬＡＮノードを介するＩＰトンネルの確立に参加するようにｅＮＢをトリガするステップを含み得る。たとえば、制御装置コンポーネント１４４（図１）は、たとえば、上記で説明されたように、ＷＬＡＮノード１０６（図１）を介したＵＥ１０２（図１）とのＩＰトンネルの確立に参加するようにセルラマネージャ１０４（図１）をトリガするように構成されることができる。
【０２９１】
ブロック１００６に示されるように、この方法は、Ｅ−ＲＡＢのダウンリンクトラフィックを含むＩＰペイロードをＩＰトンネリングパケット内にカプセル化するステップを含み得る。たとえば、制御装置コンポーネント１４４（図１）は、たとえば、上記で説明されたように、Ｅ−ＲＡＢのダウンリンクトラフィックを含むＩＰペイロードをＩＰトンネリングパケット内にカプセル化するようにセルラマネージャ１０４（図１）をトリガするように構成されることができる。
【０２９２】
ブロック１００８に示されるように、この方法は、ＩＰトンネルを介してＩＰトンネリングパケットをＵＥへ送出するステップを含み得る。たとえば、制御装置コンポーネント１４４（図１）は、たとえば、上記で説明されたように、ＩＰトンネルを介してＩＰトンネリングパケットをＵＥ１０２へ送出するようにセルラＴＲｘ１６７（図１）をトリガするように構成されることができる。
【０２９３】
図１１を参照する。この図は、いくつかの例示的な実施例による製造製品１１００の概略図である。製品１１００は、１つ若しくは複数の有形のコンピュータ読み取り可能な非一時的記憶媒体１１０２を含むことができる。この記憶媒体は、たとえば論理１１０４によって実施されるコンピュータ実行可能命令を含むことができる。この命令は、少なくとも１つのコンピュータプロセッサによって実行されたときに、少なくとも１つのコンピュータプロセッサが１つ若しくは複数の動作を、セルラマネージャ、たとえばセルラマネージャ１０４（図１）において、ＷＬＡＮノード、たとえばＷＬＡＮノード１０６（図１）において、インタフェース、たとえばインタフェース１６９（図１）及び／又はインタフェース１９２（図１）において、トランシーバ、たとえばＷＬＡＮ  ＴＲｘ１６３（図１）、セルラＴＲｘ１６５（図１）、ＷＬＡＮ無線機１９４（図１）及び／若しくはセルラＴＲｘ１６７（図１）において、並びに／又は制御装置、たとえば制御装置１４４（図１）、制御装置１４９（図１）及び／若しくは制御装置１４５（図１）において実施すること、図９及び／又は図１０の１つ若しくは複数の動作及び／若しくは機能を実行、トリガ及び／若しくは実施すること、並びに／又は、本明細書に記載の１つ若しくは複数の動作を実行すること、を可能にするように動作可能である。「非一時的な機械読み取り可能な媒体」という語句は、すべてのコンピュータ読み取り可能な媒体を含むものであり、唯一の例外が一時的伝搬信号である。
【０２９４】
いくつかの例示的な実施例では、製品１１００及び／又は機械読み取り可能な記憶媒体１１０２は、揮発性メモリ、不揮発性メモリ、取外し可能又は非取外し可能メモリ、消去可能又は非消去可能メモリ、書込み可能又は再書込み可能メモリなどを含む、データを記憶できる１つ若しくは複数のタイプのコンピュータ読み取り可能な記憶媒体を含み得る。たとえば、機械読み取り可能な記憶媒体１１０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（たとえば、ＮＯＲ又はＮＡＮＤフラッシュメモリ）、連想メモリ（ＣＡＭ）、ポリマーメモリ、相変化メモリ、強誘電体メモリ、シリコン酸化物窒化物酸化物シリコン（ＳＯＮＯＳ）メモリ、ディスク、フロッピーディスク、ハードドライブ、光ディスク、磁気ディスク、カード、磁気カード、光カード、テープ、カセット、などを含み得る。コンピュータ読み取り可能な記憶媒体は、遠隔のコンピュータから要求側コンピュータまで、通信リンク、たとえばモデム、無線機又はネットワーク接続を経由する搬送波又は他の伝搬媒体として具現化されたデータ信号によって搬送されるコンピュータプログラムを、ダウンロード又は転送することに関与する任意の適切な媒体を含み得る。
【０２９５】
いくつかの例示的な実施例では、論理１１０４は、命令、データ、及び／又はコードを含むことができ、これらが機械によって実行された場合、機械が、本明細書に記載の方法、プロセス及び／又は動作を実行することになり得る。機械は、たとえば任意の適切な処理プラットフォーム、計算プラットフォーム、計算デバイス、処理デバイス、計算システム、処理システム、コンピュータ、プロセッサなどを含むことができ、また、任意の適切なハードウェア、ソフトウェア、ファームウェアなどの組み合わせを使用して実施されることができる。
【０２９６】
いくつかの例示的な実施例では、論理１１０４は、ソフトウェア、ソフトウェアモジュール、アプリケーション、プログラム、サブルーチン、命令、命令セット、計算コード、ワード、値、記号などを含むこと、又はこれらなどとして実施されることができる。命令は、ソースコード、コンパイルされたコード、解釈されたコード、実行可能コード、静的コード、動的コード、などの任意の適切なタイプのコードを含み得る。命令は、特定の機能を実行するようにプロセッサに命令するために、所定のコンピュータ言語、様式又はシンタックスによって実施されることができる。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシンコードなどの、任意の適切な高レベル、低レベル、オブジェクト指向、ビジュアル、コンパイルされた、及び／又は解釈されたプログラミング言語を使用して実施されることができる。
【０２９７】
実例
下記の実例は、別の実施例に関連する。
【０２９８】
例１は、ユーザ機器（ＵＥ）の装置を含み、この装置は、進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するセルラトランシーバと、ＵＥに割り当てられたインターネットプロトコル（ＩＰ）アドレスを含むＷＬＡＮメッセージを受信する無線ローカルエリアネットワーク（ＷＬＡＮ）トランシーバと、ＵＥに割り当てられたＩＰアドレスを、ＷＬＡＮノードを介したｅＮＢとのＩＰトンネルを確立する際に使用するとともに、ＩＰトンネルを介して受信されたＩＰトンネリングパケットを処理するようにＵＥをトリガするように構成された制御装置コンポーネントであって、ＩＰトンネリングパケットがＥ−ＲＡＢのダウンリンクトラフィックを含んでいるカプセル化ＩＰペイロードを含む、制御装置コンポーネントとを備える。
【０２９９】
例２は例１の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３００】
例３は例２の主題を含み、任意選択で、セルラトランシーバが、ｅＮＢからＷＬＡＮノードのＷＬＡＮ識別子と、鍵情報と、ｅＮＢのＩＰアドレスとを含むセルラメッセージを受信することができ、制御装置コンポーネントが、ＷＬＡＮ識別子に基づいてＷＬＡＮノードとのＷＬＡＮ接続を確立するようにＷＬＡＮトランシーバをトリガするように、かつ鍵情報を使用してＵＥとｅＮＢとの間の相互認証を実行するようにＵＥをトリガするように、かつＷＬＡＮ接続を介してｅＮＢとのＩＰＳｅｃセッションを確立するように、構成される。
【０３０１】
例４は例３の主題を含み、任意選択で、鍵情報がノンスを含む。
【０３０２】
例５は例３の主題を含み、任意選択で、制御装置コンポーネントが、セルラメッセージ中の鍵情報に基づいて事前共有鍵を決定するように、また事前共有鍵を使用してＵＥとｅＮＢとの間の相互認証を実行するようにＵＥをトリガするように、構成される。
【０３０３】
例６は例２の主題を含み、任意選択で、セルラトランシーバが、ｅＮＢからＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージを受信することができ、制御装置コンポーネントが、ＷＬＡＮ識別子に基づいてＷＬＡＮノードとのＷＬＡＮ接続を確立するようにＷＬＡＮトランシーバをトリガするように、かつｅＮＢ公開鍵、ＵＥ公開鍵及びＵＥ秘密鍵を使用してＵＥとｅＮＢとの間の相互認証を実行するようにＵＥをトリガするように、かつＷＬＡＮ接続を介してｅＮＢとのＩＰＳｅｃセッションを確立するように、構成される。
【０３０４】
例７は例１の主題を含み、任意選択で、ＩＰトンネルが、ＵＥとｅＮＢとの間の非安全トンネルを含む。
【０３０５】
例８は例７の主題を含み、任意選択で、セルラトランシーバが、ｅＮＢから鍵情報を含むセルラメッセージを受信することができ、制御装置コンポーネントが、少なくとも鍵情報に基づいてＷＬＡＮ事前共有鍵を生成するように、かつＷＬＡＮ事前共有鍵を使用してＷＬＡＮノードとの安全セッションを確立するようにＷＬＡＮトランシーバをトリガするように、構成される。
【０３０６】
例９は例８の主題を含み、任意選択で、制御装置コンポーネントが、ｅＮＢから受信されたアグリゲーション開始メッセージに応答して、ＷＬＡＮトランシーバのＷＬＡＮ識別子を含む応答メッセージをｅＮＢへ送信するようにセルラトランシーバをトリガするように構成され、セルラトランシーバが、応答メッセージの送信後に、ｅＮＢからセルラメッセージを受信するように構成される。
【０３０７】
例１０は例１〜９のいずれか１つの主題を含み、任意選択で、セルラトランシーバが、ｅＮＢから同じＩＰサブネットに属する複数のＷＬＡＮノードのリストを受信することができ、制御装置コンポーネントが、複数のＷＬＡＮノードのうちの第１のＷＬＡＮノードを介してＩＰトンネルを確立するようにＷＬＡＮトランシーバをトリガするように、かつＩＰトンネルを第１のＷＬＡＮノードから複数のＷＬＡＮノードのうちの第２のＷＬＡＮノードへ移すように、構成される。
【０３０８】
例１１は例１０の主題を含み、任意選択で、制御装置コンポーネントが、ＩＰトンネルを介した送信を中断するための表示をｅＮＢへ送信するようにセルラトランシーバをトリガするように、かつ第１のＷＬＡＮノードと結合解除するようにＷＬＡＮトランシーバをトリガするように、かつ第２のＷＬＡＮノードと結合するようにＷＬＡＮトランシーバをトリガするように、かつＩＰトンネルを介した通信を再開するための表示をｅＮＢへ送信するようにセルラトランシーバをトリガするように、構成される。
【０３０９】
例１２は例１〜９のいずれか１つの主題を含み、任意選択で、１つ若しくは複数のアンテナ、メモリ及びプロセッサを備える。
【０３１０】
例１３は、進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するとともに、ＵＥに割り当てられたインターネットプロトコル（ＩＰ）アドレスを含むＷＬＡＮメッセージを受信するようにユーザ機器（ＵＥ）をトリガするように、かつＵＥに割り当てられたＩＰアドレスを、ＷＬＡＮノードを介したｅＮＢとのＩＰトンネルを確立する際に使用するとともに、ＩＰトンネルを介して受信されたＩＰトンネリングパケットを処理するようにＵＥをトリガするように、構成された回路及び論理であって、ＩＰトンネリングパケットがＥ−ＲＡＢのダウンリンクトラフィックを含んでいるカプセル化ＩＰペイロードを含む、回路及び論理を備える装置を含む。
【０３１１】
例１４は例１３の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３１２】
例１５は例１４の主題を含み、任意選択で、装置は、ｅＮＢからＷＬＡＮノードのＷＬＡＮ識別子と、鍵情報と、ｅＮＢのＩＰアドレスとを含むセルラメッセージを受信し、ＷＬＡＮ識別子に基づいてＷＬＡＮノードとのＷＬＡＮ接続を確立し、鍵情報を使用してＵＥとｅＮＢとの間の相互認証を実行するとともに、ＷＬＡＮ接続を介してｅＮＢとのＩＰＳｅｃセッションを確立するようにＵＥを誘発するように構成される。
【０３１３】
例１６は例１５の主題を含み、任意選択で、鍵情報がノンスを含む。
【０３１４】
例１７は例１５の主題を含み、任意選択で、装置は、セルラメッセージ中の鍵情報に基づいて事前共有鍵を決定するとともに、事前共有鍵を使用してＵＥとｅＮＢとの間の相互認証を実行するようにＵＥを誘発するように構成される。
【０３１５】
例１８は例１４の主題を含み、任意選択で、装置は、ｅＮＢからＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージを受信し、ＷＬＡＮ識別子に基づいてＷＬＡＮノードとのＷＬＡＮ接続を確立し、ｅＮＢ公開鍵、ＵＥ公開鍵及びＵＥ秘密鍵を使用してＵＥとｅＮＢとの間の相互認証を実行するとともに、ＷＬＡＮ接続を介してｅＮＢとのＩＰＳｅｃセッションを確立するようにＵＥを誘発するように構成される。
【０３１６】
例１９は例１３の主題を含み、任意選択で、ＩＰトンネルが、ＵＥとｅＮＢとの間の非安全トンネルを含む。
【０３１７】
例２０は例１９の主題を含み、任意選択で、装置は、ＵＥが、ｅＮＢから鍵情報を含むセルラメッセージを受信するように、かつ少なくともこの鍵情報に基づいてＷＬＡＮ事前共有鍵を生成するように、かつＷＬＡＮ事前共有鍵を使用してＷＬＡＮノードとの安全なセッションを確立するように、構成される。
【０３１８】
例２１は例２０の主題を含み、任意選択で、装置は、ｅＮＢから受信されたアグリゲーション開始メッセージに応答して、ＵＥのＷＬＡＮ識別子を含む応答メッセージをｅＮＢへ送信するとともに、応答メッセージの送信後に、ｅＮＢからセルラメッセージを受信するようにＵＥを誘発するように構成される。
【０３１９】
例２２は例１３〜２１のいずれか１つの主題を含み、任意選択で、装置は、ｅＮＢから同じＩＰサブネットに属する複数のＷＬＡＮノードのリストを受信し、複数のＷＬＡＮノードのうちの第１のＷＬＡＮノードを介してＩＰトンネルを確立するとともに、ＩＰトンネルを第１のＷＬＡＮノードから複数のＷＬＡＮノードのうちの第２のＷＬＡＮノードへ移すようにＵＥを誘発するように構成される。
【０３２０】
例２３は例２２の主題を含み、任意選択で、装置は、ＵＥが、ＩＰトンネルを介した送信を中断するための表示をｅＮＢへ送信するように、かつ第１のＷＬＡＮノードと結合解除するように、かつ第２のＷＬＡＮノードと結合するように、かつＩＰトンネルを介した通信を再開するための表示をｅＮＢへ送信するように、構成される。
【０３２１】
例２４は例１３〜２１のいずれか１つの主題を含み、任意選択で、１つ若しくは複数のアンテナ、メモリ及びプロセッサを備える。
【０３２２】
例２５は、ユーザ機器（ＵＥ）を備えるセルラ通信のシステムを含み、このＵＥは、進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するセルラトランシーバと、ＵＥに割り当てられたインターネットプロトコル（ＩＰ）アドレスを含むＷＬＡＮメッセージを受信する無線ローカルエリアネットワーク（ＷＬＡＮ）トランシーバと、ＵＥに割り当てられたＩＰアドレスを、ＷＬＡＮノードを介したｅＮＢとのＩＰトンネルを確立する際に使用するとともに、ＩＰトンネルを介して受信されたＩＰトンネリングパケットを処理するようにＵＥをトリガするように構成された制御装置コンポーネントであって、ＩＰトンネリングパケットがＥ−ＲＡＢのダウンリンクトラフィックを含んでいるカプセル化ＩＰペイロードを含む、制御装置コンポーネントとを備える。
【０３２３】
例２６は例２５の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３２４】
例２７は例２６の主題を含み、任意選択で、セルラトランシーバが、ｅＮＢからＷＬＡＮノードのＷＬＡＮ識別子と、鍵情報と、ｅＮＢのＩＰアドレスとを含むセルラメッセージを受信することができ、制御装置コンポーネントが、ＷＬＡＮ識別子に基づいてＷＬＡＮノードとのＷＬＡＮ接続を確立するようにＷＬＡＮトランシーバをトリガするように、かつ鍵情報を使用してＵＥとｅＮＢとの間の相互認証を実行するようにＵＥをトリガするように、かつＷＬＡＮ接続を介してｅＮＢとのＩＰＳｅｃセッションを確立するように、構成される。
【０３２５】
例２８は例２７の主題を含み、任意選択で、鍵情報がノンスを含む。
【０３２６】
例２９は例２７の主題を含み、任意選択で、制御装置コンポーネントが、セルラメッセージ中の鍵情報に基づいて事前共有鍵を決定するように、また事前共有鍵を使用してＵＥとｅＮＢとの間の相互認証を実行するようにＵＥをトリガするように、構成される。
【０３２７】
例３０は例２６の主題を含み、任意選択で、セルラトランシーバが、ｅＮＢからＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージを受信することができ、制御装置コンポーネントが、ＷＬＡＮ識別子に基づいてＷＬＡＮノードとのＷＬＡＮ接続を確立するようにＷＬＡＮトランシーバをトリガするように、かつｅＮＢ公開鍵、ＵＥ公開鍵及びＵＥ秘密鍵を使用してＵＥとｅＮＢとの間の相互認証を実行するようにＵＥをトリガするように、かつＷＬＡＮ接続を介してｅＮＢとのＩＰＳｅｃセッションを確立するように、構成される。
【０３２８】
例３１は例２５の主題を含み、任意選択で、ＩＰトンネルが、ＵＥとｅＮＢとの間の非安全トンネルを含む。
【０３２９】
例３２は例３１の主題を含み、任意選択で、セルラトランシーバが、ｅＮＢから鍵情報を含むセルラメッセージを受信することができ、制御装置コンポーネントが、少なくとも鍵情報に基づいてＷＬＡＮ事前共有鍵を生成するように、かつＷＬＡＮ事前共有鍵を使用してＷＬＡＮノードとの安全セッションを確立するようにＷＬＡＮトランシーバをトリガするように、構成される。
【０３３０】
例３３は例３２の主題を含み、任意選択で、制御装置コンポーネントが、ｅＮＢから受信されたアグリゲーション開始メッセージに応答して、ＷＬＡＮトランシーバのＷＬＡＮ識別子を含む応答メッセージをｅＮＢへ送信するようにセルラトランシーバをトリガするように構成され、セルラトランシーバが、応答メッセージの送信後に、ｅＮＢからセルラメッセージを受信するように構成される。
【０３３１】
例３４は例２５〜３３のいずれか１つの主題を含み、任意選択で、セルラトランシーバが、ｅＮＢから同じＩＰサブネットに属する複数のＷＬＡＮノードのリストを受信することができ、制御装置コンポーネントが、複数のＷＬＡＮノードのうちの第１のＷＬＡＮノードを介してＩＰトンネルを確立するようにＷＬＡＮトランシーバをトリガするように、かつＩＰトンネルを第１のＷＬＡＮノードから複数のＷＬＡＮノードのうちの第２のＷＬＡＮノードへ移すように、構成される。
【０３３２】
例３５は例３４の主題を含み、任意選択で、制御装置コンポーネントが、ＩＰトンネルを介した送信を中断するための表示をｅＮＢへ送信するようにセルラトランシーバをトリガするように、かつ第１のＷＬＡＮノードと結合解除するようにＷＬＡＮトランシーバをトリガするように、かつ第２のＷＬＡＮノードと結合するようにＷＬＡＮトランシーバをトリガするように、かつＩＰトンネルを介した通信を再開するための表示をｅＮＢへ送信するようにセルラトランシーバをトリガするように、構成される。
【０３３３】
例３６は例２５〜３３のいずれか１つの主題を含み、任意選択で、ＵＥが１つ若しくは複数のアンテナ、メモリ及びプロセッサを備える。
【０３３４】
例３７は、ユーザ機器（ＵＥ）によって実行される方法を含み、この方法は、進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するステップと、ＵＥに割り当てられたインターネットプロトコル（ＩＰ）アドレスを含む無線ローカルエリアネットワーク（ＷＬＡＮ）メッセージを受信するステップと、ＵＥに割り当てられたＩＰアドレスを、ＷＬＡＮノードを介したｅＮＢとのＩＰトンネルを確立する際に使用するようにＵＥをトリガするステップと、ＩＰトンネルを介して受信されたＩＰトンネリングパケットを処理するステップであって、ＩＰトンネリングパケットがＥ−ＲＡＢのダウンリンクトラフィックを含んでいるカプセル化ＩＰペイロードを含む、ステップとを含む。
【０３３５】
例３８は例３７の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３３６】
例３９は例３８の主題を含み、任意選択で、ｅＮＢからＷＬＡＮノードのＷＬＡＮ識別子と、鍵情報と、ｅＮＢのＩＰアドレスとを含むセルラメッセージを受信するステップと、ＷＬＡＮ識別子に基づいてＷＬＡＮノードとのＷＬＡＮ接続を確立するようにＵＥをトリガするステップと、鍵情報を使用してＵＥとｅＮＢとの間の相互認証を実行するようにＵＥをトリガするステップと、ＷＬＡＮ接続を介してｅＮＢとのＩＰＳｅｃセッションを確立するステップとを含む。
【０３３７】
例４０は例３９の主題を含み、任意選択で、鍵情報がノンスを含む。
【０３３８】
例４１は例３９の主題を含み、任意選択で、セルラメッセージ中の鍵情報に基づいて事前共有鍵を決定するステップと、事前共有鍵を使用してＵＥとｅＮＢとの間の相互認証を実行するようにＵＥをトリガするステップとを含む。
【０３３９】
例４２は例３８の主題を含み、任意選択で、ｅＮＢからＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージを受信するステップと、ＷＬＡＮ識別子に基づいてＷＬＡＮノードとのＷＬＡＮ接続を確立するようにＵＥをトリガするステップと、ｅＮＢ公開鍵、ＵＥ公開鍵及びＵＥ秘密鍵を使用してＵＥとｅＮＢとの間の相互認証を実行するようにＵＥをトリガするステップと、ＷＬＡＮ接続を介してｅＮＢとのＩＰＳｅｃセッションを確立するステップとを含む。
【０３４０】
例４３は例３７の主題を含み、任意選択で、ＩＰトンネルが、ＵＥとｅＮＢとの間の非安全トンネルを含む。
【０３４１】
例４４は例４３の主題を含み、任意選択で、ｅＮＢから鍵情報を含むセルラメッセージを受信するステップと、少なくとも鍵情報に基づいてＷＬＡＮ事前共有鍵を生成するステップと、ＷＬＡＮ事前共有鍵を使用してＷＬＡＮノードとの安全セッションを確立するようにＵＥをトリガするステップとを含む。
【０３４２】
例４５は例４４の主題を含み、任意選択で、ｅＮＢから受信されたアグリゲーション開始メッセージに応答して、ＵＥのＷＬＡＮ識別子を含む応答メッセージをｅＮＢへ送信するようにＵＥをトリガするステップと、応答メッセージの送信後に、ｅＮＢからセルラメッセージを受信するステップとを含む。
【０３４３】
例４６は例３７〜４５のいずれか１つの主題を含み、任意選択で、ｅＮＢから同じＩＰサブネットに属する複数のＷＬＡＮノードのリストを受信するステップと、複数のＷＬＡＮノードのうちの第１のＷＬＡＮノードを介してＩＰトンネルを確立するようにＵＥをトリガするステップと、ＩＰトンネルを第１のＷＬＡＮノードから複数のＷＬＡＮノードのうちの第２のＷＬＡＮノードへ移すステップとを含む。
【０３４４】
例４７は例４６の主題を含み、任意選択で、ｅＮＢへＩＰトンネルを介した送信を中断するための表示を送信するようにＵＥをトリガするステップと、第１のＷＬＡＮノードと結合解除するようにＵＥをトリガするステップと、第２のＷＬＡＮノードと結合するようにＵＥをトリガするステップと、ＩＰトンネルを介した通信を再開するための表示をｅＮＢへ送信するようにＵＥをトリガするステップとを含む。
【０３４５】
例４８は、少なくとも１つのコンピュータプロセッサによって実行されたときに、少なくとも１つのコンピュータプロセッサが１つ若しくは複数の動作をユーザ機器（ＵＥ）において実施することを可能にするように動作可能なコンピュータ実行可能命令を含む、１つ若しくは複数の有形のコンピュータ読み取り可能な記憶媒体を備える製品を含み、その動作が、進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達すること、ＵＥに割り当てられたインターネットプロトコル（ＩＰ）アドレスを含む無線ローカルエリアネットワーク（ＷＬＡＮ）メッセージを受信すること、ＵＥに割り当てられたＩＰアドレスを、ＷＬＡＮノードを介したｅＮＢとのＩＰトンネルを確立する際に使用するようにＵＥをトリガすること、及びＩＰトンネルを介して受信されたＩＰトンネリングパケットを処理することであって、ＩＰトンネリングパケットがＥ−ＲＡＢのダウンリンクトラフィックを含んでいるカプセル化ＩＰペイロードを含む、処理することを含む。
【０３４６】
例４９は例４８の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３４７】
例５０は例４９の主題を含み、任意選択で、その動作が、ｅＮＢからＷＬＡＮノードのＷＬＡＮ識別子と、鍵情報と、ｅＮＢのＩＰアドレスとを含むセルラメッセージを受信すること、ＷＬＡＮ識別子に基づいてＷＬＡＮノードとのＷＬＡＮ接続を確立するようにＵＥをトリガすること、鍵情報を使用してＵＥとｅＮＢとの間の相互認証を実行するようにＵＥをトリガすること、及びＷＬＡＮ接続を介してｅＮＢとのＩＰＳｅｃセッションを確立することを含む。
【０３４８】
例５１は例５０の主題を含み、任意選択で、鍵情報がノンスを含む。
【０３４９】
例５２は例５０の主題を含み、任意選択で、その動作が、セルラメッセージ内の鍵情報に基づいて事前共有鍵を決定すること、及び事前共有鍵を使用してＵＥとｅＮＢとの間の相互認証を実行するようにＵＥをトリガすることを含む。
【０３５０】
例５３は例５０の主題を含み、任意選択で、その動作が、ｅＮＢからＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージを受信すること、ＷＬＡＮ識別子に基づいてＷＬＡＮノードとのＷＬＡＮ接続を確立するようにＵＥをトリガすること、ｅＮＢ公開鍵、ＵＥ公開鍵及びＵＥ秘密鍵を使用してＵＥとｅＮＢとの間の相互認証を実行するようにＵＥをトリガすること、及びＷＬＡＮ接続を介してｅＮＢとのＩＰＳｅｃセッションを確立することを含む。
【０３５１】
例５４は例４９の主題を含み、任意選択で、ＩＰトンネルが、ＵＥとｅＮＢとの間の非安全トンネルを含む。
【０３５２】
例５５は例５４の主題を含み、任意選択で、その動作が、ｅＮＢから鍵情報を含むセルラメッセージを受信すること、少なくとも鍵情報に基づいてＷＬＡＮ事前共有鍵を生成すること、及びＷＬＡＮ事前共有鍵を使用してＷＬＡＮノードとの安全セッションを確立するようにＵＥをトリガすることを含む。
【０３５３】
例５６は例５５の主題を含み、任意選択で、その動作が、ｅＮＢから受信されたアグリゲーション開始メッセージに応答して、ＵＥのＷＬＡＮ識別子を含む応答メッセージをｅＮＢへ送信するようにＵＥをトリガすること、及び応答メッセージの送信後に、ｅＮＢからセルラメッセージを受信することを含む。
【０３５４】
例５７は例４９〜５６のいずれか１つの主題を含み、任意選択で、その動作が、ｅＮＢから同じＩＰサブネットに属する複数のＷＬＡＮノードのリストを受信すること、複数のＷＬＡＮノードのうちの第１のＷＬＡＮノードを介してＩＰトンネルを確立するようにＵＥをトリガすること、及びＩＰトンネルを第１のＷＬＡＮノードから複数のＷＬＡＮノードのうちの第２のＷＬＡＮノードへ移すことを含む。
【０３５５】
例５８は例５７の主題を含み、任意選択で、その動作が、ｅＮＢへＩＰトンネルを介した送信を中断するための表示を送信するようにＵＥをトリガすること、第１のＷＬＡＮノードと結合解除するようにＵＥをトリガすること、第２のＷＬＡＮノードと結合するようにＵＥをトリガすること、及びＩＰトンネルを介した通信を再開するための表示をｅＮＢへ送信するようにＵＥをトリガすることを含む。
【０３５６】
例５９はユーザ機器（ＵＥ）の装置を含み、この装置は、進化型ノードＢ（ｅＮＢ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するための手段と、ＵＥに割り当てられたインターネットプロトコル（ＩＰ）アドレスを含む無線ローカルエリアネットワーク（ＷＬＡＮ）メッセージを受信するための手段と、ＵＥに割り当てられたＩＰアドレスを、ＷＬＡＮノードを介したｅＮＢとのＩＰトンネルを確立する際に使用するようにＵＥをトリガするための手段と、ＩＰトンネルを介して受信されたＩＰトンネリングパケットを処理するための手段であって、ＩＰトンネリングパケットがＥ−ＲＡＢのダウンリンクトラフィックを含んでいるカプセル化ＩＰペイロードを含む、手段とを備える。
【０３５７】
例６０は例５９の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３５８】
例６１は例６０の主題を含み、任意選択で、ｅＮＢからＷＬＡＮノードのＷＬＡＮ識別子と、鍵情報と、ｅＮＢのＩＰアドレスとを含むセルラメッセージを受信するための手段と、ＷＬＡＮ識別子に基づいてＷＬＡＮノードとのＷＬＡＮ接続を確立するようにＵＥをトリガするための、かつ鍵情報を使用してＵＥとｅＮＢとの間の相互認証を実行するようにＵＥをトリガするための、かつＷＬＡＮ接続を介してｅＮＢとのＩＰＳｅｃセッションを確立するための手段とを備える。
【０３５９】
例６２は例６１の主題を含み、任意選択で、鍵情報がノンスを含む。
【０３６０】
例６３は例６１の主題を含み、任意選択で、セルラメッセージ中の鍵情報に基づいて事前共有鍵を決定するための、かつ事前共有鍵を使用してＵＥとｅＮＢとの間の相互認証を実行するようにＵＥをトリガするための手段を備える。
【０３６１】
例６４は例６０の主題を含み、任意選択で、ｅＮＢからＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージを受信するための手段と、ＷＬＡＮ識別子に基づいてＷＬＡＮノードとのＷＬＡＮ接続を確立するようにＵＥをトリガするための、かつｅＮＢ公開鍵、ＵＥ公開鍵及びＵＥ秘密鍵を使用してＵＥとｅＮＢとの間の相互認証を実行するようにＵＥをトリガするための、かつＷＬＡＮ接続を介してｅＮＢとのＩＰＳｅｃセッションを確立するための手段とを備える。
【０３６２】
例６５は例５９の主題を含み、任意選択で、ＩＰトンネルが、ＵＥとｅＮＢとの間の非安全トンネルを含む。
【０３６３】
例６６は例６５の主題を含み、任意選択で、ｅＮＢから鍵情報を含むセルラメッセージを受信するための手段と、少なくともこの鍵情報に基づいてＷＬＡＮ事前共有鍵を生成するための、かつＷＬＡＮ事前共有鍵を使用してＷＬＡＮノードとの安全なセッションを確立するようにＵＥをトリガするための手段とを備える。
【０３６４】
例６７は例６６の主題を含み、任意選択で、ｅＮＢから受信されたアグリゲーション開始メッセージに応答して、ＵＥのＷＬＡＮ識別子を含む応答メッセージをｅＮＢへ送信するようにＵＥをトリガするための手段と、応答メッセージの送信後に、ｅＮＢからセルラメッセージを受信するための手段とを備える。
【０３６５】
例６８は例５９〜６７のいずれか１つの主題を含み、任意選択で、ｅＮＢから同じＩＰサブネットに属する複数のＷＬＡＮノードのリストを受信するための手段と、複数のＷＬＡＮノードのうちの第１のＷＬＡＮノードを介してＩＰトンネルを確立するようにＵＥをトリガするための、かつＩＰトンネルを第１のＷＬＡＮノードから複数のＷＬＡＮノードのうちの第２のＷＬＡＮノードへ移すための手段とを備える。
【０３６６】
例６９は例６８の主題を含み、任意選択で、ｅＮＢへＩＰトンネルを介した送信を中断するための表示を送信するようにＵＥをトリガするための、かつ第１のＷＬＡＮノードと結合解除するようにＵＥをトリガするための、かつ第２のＷＬＡＮノードと結合するようにＵＥをトリガするための、かつｅＮＢへ、ＩＰトンネルを介した通信を再開するための表示を送信するようにＵＥをトリガするための手段を備える。
【０３６７】
例７０は、進化型ノードＢ（ｅＮＢ）の装置を含み、この装置は、ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するセルラトランシーバと、ＷＬＡＮノードと通信するための無線ローカルエリアネットワーク（ＷＬＡＮ）ノードインタフェースと、ＷＬＡＮノードを介したＵＥとのインターネットプロトコル（ＩＰ）トンネルの確立に参加し、Ｅ−ＲＡＢのダウンリンクトラフィックを含むＩＰペイロードをＩＰトンネリングパケット内にカプセル化するとともに、ＩＰトンネルを介してＩＰトンネリングパケットをＵＥへ送出するようにｅＮＢをトリガするように構成された制御装置コンポーネントとを備える。
【０３６８】
例７１は例７０の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３６９】
例７２は例７１の主題を含み、任意選択で、制御装置コンポーネントが、ＷＬＡＮノードのＷＬＡＮ識別子と、鍵情報と、ｅＮＢのＩＰアドレスとを含むセルラメッセージをＵＥへ送信するようにセルラトランシーバをトリガするように構成され、制御装置コンポーネントが、鍵情報を使用してＵＥとｅＮＢとの間の相互認証を実行するようにｅＮＢをトリガするように、かつＷＬＡＮノードを介してＵＥとのＩＰＳｅｃセッションを確立するように、構成される。
【０３７０】
例７３は例７２の主題を含み、任意選択で、鍵情報がノンスを含む。
【０３７１】
例７４は例７２の主題を含み、任意選択で、制御装置コンポーネントが、少なくともセルラメッセージ中の鍵情報に基づいて事前共有鍵を決定するように、かつ事前共有鍵を使用してＵＥとｅＮＢとの間の相互認証を実行するようにｅＮＢをトリガするように、構成される。
【０３７２】
例７５は例７１の主題を含み、任意選択で、制御装置コンポーネントが、ＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージをＵＥへ送信するようにセルラトランシーバをトリガするように構成され、制御装置コンポーネントが、ｅＮＢ公開鍵、ＵＥ公開鍵及びＵＥ秘密鍵を使用してＵＥとｅＮＢとの間の相互認証を実行するようにｅＮＢをトリガするように、かつＷＬＡＮノードを介してＵＥとのＩＰＳｅｃセッションを確立するように、構成される。
【０３７３】
例７６は例７０の主題を含み、任意選択で、ＩＰトンネルが、ＵＥとｅＮＢとの間の非安全トンネルを含む。
【０３７４】
例７７は例７６の主題を含み、任意選択で、制御装置コンポーネントが、鍵情報を生成するように、かつ少なくとも鍵情報に基づいてＷＬＡＮ共有鍵を決定するように、かつＷＬＡＮ共有鍵をＷＬＡＮノードへ送出するようにＷＬＡＮノードインタフェースをトリガするように、かつ鍵情報を含むセルラメッセージをＵＥへ送信するようにセルラトランシーバをトリガするように、構成される。
【０３７５】
例７８は例７７の主題を含み、任意選択で、制御装置コンポーネントが、ＷＬＡＮノードのＷＬＡＮ識別子を含むアグリゲーション開始メッセージをＵＥへ送信するようにセルラトランシーバをトリガするように、かつＵＥからの、ＵＥのＷＬＡＮ識別子を含む応答メッセージを処理するように、かつＵＥのＷＬＡＮ識別子を含むアクセス要求をＷＬＡＮノードへ送出するようにＷＬＡＮノードインタフェースをトリガするように、かつ確認応答をＷＬＡＮノードから受信すると、鍵情報を含む接続要求メッセージをＵＥへ送信するようにセルラトランシーバをトリガするように、構成される。
【０３７６】
例７９は例７０〜７８のいずれか１つの主題を含み、任意選択で、制御装置コンポーネントが、同じＩＰサブネットに属する複数のＷＬＡＮノードのリストをＵＥへ送信するようにセルラトランシーバをトリガするように構成され、制御装置コンポーネントが、ＵＥからの指示に基づいてＩＰトンネルを複数のＷＬＡＮノードのうちの第１のＷＬＡＮノードから第２のＷＬＡＮノードへ移すようにＷＬＡＮノードインタフェースをトリガするように構成される。
【０３７７】
例８０は例７０〜７８のいずれか１つの主題を含み、任意選択で、１つ若しくは複数のアンテナ、メモリ及びプロセッサを備える。
【０３７８】
例８１は、ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するように進化型ノードＢ（ｅＮＢ）をトリガするように、かつ無線ローカルエリアネットワーク（ＷＬＡＮ）ノードを介したＵＥとのＩＰトンネルの確立に参加するようにｅＮＢをトリガするように、かつＥ−ＲＡＢのダウンリンクトラフィックを含むＩＰペイロードをＩＰトンネリングパケット内にカプセル化するように、かつＩＰトンネルを介してＩＰトンネリングパケットをＵＥへ送出するように、構成された回路及び論理を備える装置を含む。
【０３７９】
例８２は例８１の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３８０】
例８３は例８２の主題を含み、任意選択で、装置が、ＷＬＡＮノードのＷＬＡＮ識別子と、鍵情報と、ｅＮＢのＩＰアドレスとを含むセルラメッセージをＵＥへ送信するようにｅＮＢをトリガするように、かつ鍵情報を使用してＵＥとｅＮＢとの間の相互認証を実行するようにｅＮＢをトリガするように、かつＷＬＡＮノードを介してＵＥとのＩＰＳｅｃセッションを確立するように、構成される。
【０３８１】
例８４は例８３の主題を含み、任意選択で、鍵情報がノンスを含む。
【０３８２】
例８５は例８３の主題を含み、任意選択で、装置が、少なくともセルラメッセージ中の鍵情報に基づいて事前共有鍵を決定するように、かつ事前共有鍵を使用してＵＥとｅＮＢとの間の相互認証を実行するようにｅＮＢをトリガするように、構成される。
【０３８３】
例８６は例８２の主題を含み、任意選択で、装置が、ＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージをＵＥへ送信するようにｅＮＢをトリガするように、かつｅＮＢ公開鍵、ＵＥ公開鍵及びＵＥ秘密鍵を使用してＵＥとｅＮＢとの間の相互認証を実行するようにｅＮＢをトリガするように、かつＷＬＡＮノードを介してＵＥとのＩＰＳｅｃセッションを確立するように、構成される。
【０３８４】
例８７は例８１の主題を含み、任意選択で、ＩＰトンネルが、ＵＥとｅＮＢとの間の非安全トンネルを含む。
【０３８５】
例８８は例８７の主題を含み、任意選択で、装置が、鍵情報を生成するように、かつ少なくとも鍵情報に基づいてＷＬＡＮ共有鍵を決定するように、かつＷＬＡＮ共有鍵をＷＬＡＮノードへ送出するようにｅＮＢをトリガするように、かつ鍵情報を含むセルラメッセージをＵＥへ送信するようにｅＮＢをトリガするように、構成される。
【０３８６】
例８９は例８８の主題を含み、任意選択で、装置が、ＷＬＡＮノードのＷＬＡＮ識別子を含むアグリゲーション開始メッセージをＵＥへ送信するようにｅＮＢをトリガするように、かつＵＥからの、ＵＥのＷＬＡＮ識別子を含む応答メッセージを処理するように、かつＵＥのＷＬＡＮ識別子を含むアクセス要求をＷＬＡＮノードへ送出するようにｅＮＢをトリガするように、かつ確認応答をＷＬＡＮノードから受信すると、鍵情報を含む接続要求メッセージをＵＥへ送信するようにｅＮＢをトリガするように、構成される。
【０３８７】
例９０は例８１〜８９のいずれか１つの主題を含み、任意選択で、装置が、同じＩＰサブネットに属する複数のＷＬＡＮノードのリストをＵＥへ送信するようにｅＮＢをトリガするように、かつＵＥからの指示に基づいてＩＰトンネルを複数のＷＬＡＮノードのうちの第１のＷＬＡＮノードから第２のＷＬＡＮノードへ移すようにｅＮＢをトリガするように、構成される。
【０３８８】
例９１は例８１〜８９のいずれか１つの主題を含み、任意選択で、１つ若しくは複数のアンテナ、メモリ及びプロセッサを備える。
【０３８９】
例９２は、進化型ノードＢ（ｅＮＢ）を備えるセルラ通信のシステムを含み、このｅＮＢは、ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するセルラトランシーバと、ＷＬＡＮノードと通信するための無線ローカルエリアネットワーク（ＷＬＡＮ）ノードインタフェースと、ＷＬＡＮノードを介したＵＥとのインターネットプロトコル（ＩＰ）トンネルの確立に参加し、Ｅ−ＲＡＢのダウンリンクトラフィックを含むＩＰペイロードをＩＰトンネリングパケット内にカプセル化するとともに、ＩＰトンネルを介してＩＰトンネリングパケットをＵＥへ送出するようにｅＮＢをトリガするように構成された制御装置コンポーネントとを備える。
【０３９０】
例９３は例９２の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０３９１】
例９４は例９３の主題を含み、任意選択で、制御装置コンポーネントが、ＷＬＡＮノードのＷＬＡＮ識別子と、鍵情報と、ｅＮＢのＩＰアドレスとを含むセルラメッセージをＵＥへ送信するようにセルラトランシーバをトリガするように構成され、制御装置コンポーネントが、鍵情報を使用してＵＥとｅＮＢとの間の相互認証を実行するようにｅＮＢをトリガするように、かつＷＬＡＮノードを介してＵＥとのＩＰＳｅｃセッションを確立するように、構成される。
【０３９２】
例９５は例９４の主題を含み、任意選択で、鍵情報がノンスを含む。
【０３９３】
例９６は例９４の主題を含み、任意選択で、制御装置コンポーネントが、少なくともセルラメッセージ中の鍵情報に基づいて事前共有鍵を決定するように、かつ事前共有鍵を使用してＵＥとｅＮＢとの間の相互認証を実行するようにｅＮＢをトリガするように、構成される。
【０３９４】
例９７は例９３の主題を含み、任意選択で、制御装置コンポーネントが、ＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージをＵＥへ送信するようにセルラトランシーバをトリガするように構成され、制御装置コンポーネントが、ｅＮＢ公開鍵、ＵＥ公開鍵及びＵＥ秘密鍵を使用してＵＥとｅＮＢとの間の相互認証を実行するようにｅＮＢをトリガするように、かつＷＬＡＮノードを介してＵＥとのＩＰＳｅｃセッションを確立するように、構成される。
【０３９５】
例９８は例９２の主題を含み、任意選択で、ＩＰトンネルが、ＵＥとｅＮＢとの間の非安全トンネルを含む。
【０３９６】
例９９は例９８の主題を含み、任意選択で、制御装置コンポーネントが、鍵情報を生成するように、かつ少なくとも鍵情報に基づいてＷＬＡＮ共有鍵を決定するように、かつＷＬＡＮ共有鍵をＷＬＡＮノードへ送出するようにＷＬＡＮノードインタフェースをトリガするように、かつ鍵情報を含むセルラメッセージをＵＥへ送信するようにセルラトランシーバをトリガするように、構成される。
【０３９７】
例１００は例９９の主題を含み、任意選択で、制御装置コンポーネントが、ＷＬＡＮノードのＷＬＡＮ識別子を含むアグリゲーション開始メッセージをＵＥへ送信するようにセルラトランシーバをトリガするように、かつＵＥからの、ＵＥのＷＬＡＮ識別子を含む応答メッセージを処理するように、かつＵＥのＷＬＡＮ識別子を含むアクセス要求をＷＬＡＮノードへ送出するようにＷＬＡＮノードインタフェースをトリガするように、かつ確認応答をＷＬＡＮノードから受信すると、鍵情報を含む接続要求メッセージをＵＥへ送信するようにセルラトランシーバをトリガするように、構成される。
【０３９８】
例１０１は例９２〜１００のいずれか１つの主題を含み、任意選択で、制御装置コンポーネントが、同じＩＰサブネットに属する複数のＷＬＡＮノードのリストをＵＥへ送信するようにセルラトランシーバをトリガするように構成され、制御装置コンポーネントが、ＵＥからの指示に基づいてＩＰトンネルを複数のＷＬＡＮノードのうちの第１のＷＬＡＮノードから第２のＷＬＡＮノードへ移すようにＷＬＡＮノードインタフェースをトリガするように構成される。
【０３９９】
例１０２は例９２〜１００のいずれか１つの主題を含み、任意選択で、ｅＮＢが１つ若しくは複数のアンテナ、メモリ及びプロセッサを備える。
【０４００】
例１０３は、進化型ノードＢ（ｅＮＢ）において実行される方法を含み、この方法は、ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するステップと、無線ローカルエリアネットワーク（ＷＬＡＮ）ノードを介したＵＥとのインターネットプロトコル（ＩＰ）トンネルの確立に参加するようにｅＮＢをトリガするステップと、Ｅ−ＲＡＢのダウンリンクトラフィックを含むＩＰペイロードをＩＰトンネリングパケット内にカプセル化するステップと、ＩＰトンネルを介してＩＰトンネリングパケットをＵＥへ送出するステップとを含む。
【０４０１】
例１０４は例１０３の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０４０２】
例１０５は例１０４の主題を含み、任意選択で、ＷＬＡＮノードのＷＬＡＮ識別子と、鍵情報と、ｅＮＢのＩＰアドレスとを含むセルラメッセージをＵＥへ送信するようにｅＮＢをトリガするステップと、鍵情報を使用してＵＥとｅＮＢとの間の相互認証を実行するようにｅＮＢをトリガするステップと、ＷＬＡＮノードを介してＵＥとのＩＰＳｅｃセッションを確立するステップとを含む。
【０４０３】
例１０６は例１０５の主題を含み、任意選択で、鍵情報がノンスを含む。
【０４０４】
例１０７は例１０５の主題を含み、任意選択で、セルラメッセージ中の少なくとも鍵情報に基づいて事前共有鍵を決定するステップと、事前共有鍵を使用してＵＥとｅＮＢとの間の相互認証を実行するようにｅＮＢをトリガするステップとを含む。
【０４０５】
例１０８は例１０４の主題を含み、任意選択で、ＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージをＵＥへ送信するようにｅＮＢをトリガするステップと、ｅＮＢ公開鍵、ＵＥ公開鍵及びＵＥ秘密鍵を使用してＵＥとｅＮＢとの間の相互認証を実行するようにｅＮＢをトリガするステップと、ＷＬＡＮノードを介してＵＥとのＩＰＳｅｃセッションを確立するステップとを含む。
【０４０６】
例１０９は例１０３の主題を含み、任意選択で、ＩＰトンネルが、ＵＥとｅＮＢとの間の非安全トンネルを含む。
【０４０７】
例１１０は例１０９の主題を含み、任意選択で、鍵情報を生成するステップと、少なくとも鍵情報に基づいてＷＬＡＮ共有鍵を決定するステップと、ＷＬＡＮ共有鍵をＷＬＡＮノードへ送出するようにｅＮＢをトリガするステップと、鍵情報を含むセルラメッセージをＵＥへ送信するようにｅＮＢをトリガするステップとを含む。
【０４０８】
例１１１は例１１０の主題を含み、任意選択で、ＷＬＡＮノードのＷＬＡＮ識別子を含むアグリゲーション開始メッセージをＵＥへ送信するようにセルラトランシーバをトリガするステップと、ＵＥからの、ＵＥのＷＬＡＮ識別子を含む応答メッセージを処理するステップと、ＵＥのＷＬＡＮ識別子を含むアクセス要求をＷＬＡＮノードへ送出するようにｅＮＢをトリガするステップと、確認応答をＷＬＡＮノードから受信すると、鍵情報を含む接続要求メッセージをＵＥへ送信するようにｅＮＢをトリガするステップとを含む。
【０４０９】
例１１２は例１０３〜１１１のいずれか１つの主題を含み、任意選択で、同じＩＰサブネットに属する複数のＷＬＡＮノードのリストをＵＥへ送信するようにｅＮＢをトリガするステップと、ＵＥからの指示に基づいてＩＰトンネルを複数のＷＬＡＮノードのうちの第１のＷＬＡＮノードから第２のＷＬＡＮノードへ移すようにｅＮＢをトリガするステップとを含む。
【０４１０】
例１１３は、少なくとも１つのコンピュータプロセッサによって実行されたときに、少なくとも１つのコンピュータプロセッサが１つ若しくは複数の動作を進化型ノードＢ（ｅＮＢ）において実施することを可能にするように動作可能なコンピュータ実行可能命令を含む、１つ若しくは複数の有形のコンピュータ読み取り可能な記憶媒体を備える製品を含み、その動作が、ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達すること、無線ローカルエリアネットワーク（ＷＬＡＮ）ノードを介したＵＥとのインターネットプロトコル（ＩＰ）トンネルの確立に参加するようにｅＮＢをトリガすること、Ｅ−ＲＡＢのダウンリンクトラフィックを含むＩＰペイロードをＩＰトンネリングパケット内にカプセル化すること、及びＩＰトンネルを介してＩＰトンネリングパケットをＵＥへ送出することを含む。
【０４１１】
例１１４は例１１３の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０４１２】
例１１５は例１１４の主題を含み、任意選択で、その動作が、ＷＬＡＮノードのＷＬＡＮ識別子と、鍵情報と、ｅＮＢのＩＰアドレスとを含むセルラメッセージをＵＥへ送信するようにｅＮＢをトリガすること、鍵情報を使用してＵＥとｅＮＢとの間の相互認証を実行するようにｅＮＢをトリガすること、及びＷＬＡＮノードを介してＵＥとのＩＰＳｅｃセッションを確立することを含む。
【０４１３】
例１１６は例１１５の主題を含み、任意選択で、鍵情報がノンスを含む。
【０４１４】
例１１７は例１１５の主題を含み、任意選択で、その動作が、セルラメッセージ中の少なくとも鍵情報に基づいて事前共有鍵を決定すること、及び事前共有鍵を使用してＵＥとｅＮＢとの間の相互認証を実行するようにｅＮＢをトリガすることを含む。
【０４１５】
例１１８は例１１４の主題を含み、任意選択で、その動作が、ＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージをＵＥへ送信するようにｅＮＢをトリガすること、ｅＮＢ公開鍵、ＵＥ公開鍵及びＵＥ秘密鍵を使用してＵＥとｅＮＢとの間の相互認証を実行するようにｅＮＢをトリガすること、及びＷＬＡＮノードを介してＵＥとのＩＰＳｅｃセッションを確立することを含む。
【０４１６】
例１１９は例１１３の主題を含み、任意選択で、ＩＰトンネルが、ＵＥとｅＮＢとの間の非安全トンネルを含む。
【０４１７】
例１２０は例１１９の主題を含み、任意選択で、その動作が、鍵情報を生成すること、少なくとも鍵情報に基づいてＷＬＡＮ共有鍵を決定すること、ＷＬＡＮ共有鍵をＷＬＡＮノードへ送出するようにｅＮＢをトリガすること、及び鍵情報を含むセルラメッセージをＵＥへ送信するようにｅＮＢをトリガすることを含む。
【０４１８】
例１２１は例１２０の主題を含み、任意選択で、その動作が、ＷＬＡＮノードのＷＬＡＮ識別子を含むアグリゲーション開始メッセージをＵＥへ送信するようにｅＮＢをトリガすること、ＵＥからの、ＵＥのＷＬＡＮ識別子を含む応答メッセージを処理すること、ＵＥのＷＬＡＮ識別子を含むアクセス要求をＷＬＡＮノードへ送出するようにｅＮＢをトリガすること、及び確認応答をＷＬＡＮノードから受信すると、鍵情報を含む接続要求メッセージをＵＥへ送信するようにｅＮＢをトリガすることを含む。
【０４１９】
例１２２は例１１３〜１２１のいずれか１つの主題を含み、任意選択で、その動作が、同じＩＰサブネットに属する複数のＷＬＡＮノードのリストをＵＥへ送信するようにｅＮＢをトリガすること、及びＵＥからの指示に基づいてＩＰトンネルを複数のＷＬＡＮノードのうちの第１のＷＬＡＮノードから第２のＷＬＡＮノードへ移すようにｅＮＢをトリガすることを含む。
【０４２０】
例１２３は進化型ノードＢ（ｅＮＢ）の装置を含み、この装置は、ユーザ機器（ＵＥ）に、少なくとも１つの進化型ユニバーサル移動体通信システム（ＵＭＴＳ）地上無線アクセスネットワーク（Ｅ−ＵＴＲＡＮ）無線アクセスベアラ（Ｅ−ＲＡＢ）のトラフィックを伝達するための手段と、無線ローカルエリアネットワーク（ＷＬＡＮ）ノードを介したＵＥとのインターネットプロトコル（ＩＰ）トンネルの確立に参加するようにｅＮＢをトリガするための手段と、Ｅ−ＲＡＢのダウンリンクトラフィックを含むＩＰペイロードをＩＰトンネリングパケット内にカプセル化するための手段と、ＩＰトンネルを介してＩＰトンネリングパケットをＵＥへ送出するための手段とを備える。
【０４２１】
例１２４は例１２３の主題を含み、任意選択で、ＩＰトンネルがＩＰセキュリティ（ＩＰＳｅｃ）トンネルを備え、ＩＰトンネリングパケットがＩＰＳｅｃプロトコルに従って暗号化され認証される。
【０４２２】
例１２５は例１２４の主題を含み、任意選択で、ＷＬＡＮノードのＷＬＡＮ識別子と、鍵情報と、ｅＮＢのＩＰアドレスとを含むセルラメッセージをＵＥへ送信するようにｅＮＢをトリガするための、かつ鍵情報を使用してＵＥとｅＮＢとの間の相互認証を実行するようにｅＮＢをトリガするための、かつＷＬＡＮノードを介してＵＥとのＩＰＳｅｃセッションを確立するための手段を備える。
【０４２３】
例１２６は例１２５の主題を含み、任意選択で、鍵情報がノンスを含む。
【０４２４】
例１２７は例１２５の主題を含み、任意選択で、セルラメッセージ中の少なくとも鍵情報に基づいて事前共有鍵を決定するための、かつ事前共有鍵を使用してＵＥとｅＮＢとの間の相互認証を実行するようにｅＮＢをトリガするための手段を備える。
【０４２５】
例１２８は例１２４の主題を含み、任意選択で、ＷＬＡＮノードのＷＬＡＮ識別子と、ｅＮＢ公開鍵と、ＵＥ公開鍵と、ＵＥ秘密鍵と、ｅＮＢのＩＰアドレスとを含むセルラメッセージをＵＥへ送信するようにｅＮＢをトリガするための、かつｅＮＢ公開鍵、ＵＥ公開鍵及びＵＥ秘密鍵を使用してＵＥとｅＮＢとの間の相互認証を実行するようにｅＮＢをトリガするための、かつＷＬＡＮノードを介してＵＥとのＩＰＳｅｃセッションを確立するための手段を備える。
【０４２６】
例１２９は例１２３の主題を含み、任意選択で、ＩＰトンネルが、ＵＥとｅＮＢとの間の非安全トンネルを含む。
【０４２７】
例１３０は例１２９の主題を含み、任意選択で、鍵情報を生成するための、かつ少なくとも鍵情報に基づいてＷＬＡＮ共有鍵を決定するための、かつＷＬＡＮ共有鍵をＷＬＡＮノードへ送出するようにｅＮＢをトリガするための、かつ鍵情報を含むセルラメッセージをＵＥへ送信するようにｅＮＢをトリガするための手段を備える。
【０４２８】
例１３１は例１３０の主題を含み、任意選択で、ＷＬＡＮノードのＷＬＡＮ識別子を含むアグリゲーション開始メッセージをＵＥへ送信するようにｅＮＢをトリガするための、かつＵＥからの、ＵＥのＷＬＡＮ識別子を含む応答メッセージを処理するための、かつＵＥのＷＬＡＮ識別子を含むアクセス要求をＷＬＡＮノードへ送出するようにｅＮＢをトリガするための、かつ確認応答メッセージをＷＬＡＮノードから受信すると、鍵情報を含む接続要求メッセージをＵＥへ送信するようにｅＮＢをトリガするための手段を備える。
【０４２９】
例１３２は例１２３〜１３１のいずれか１つの主題を含み、任意選択で、同じＩＰサブネットに属する複数のＷＬＡＮノードのリストをＵＥへ送信するようにｅＮＢをトリガするための、かつＵＥからの指示に基づいてＩＰトンネルを複数のＷＬＡＮノードのうちの第１のＷＬＡＮノードから第２のＷＬＡＮノードへ移すようにｅＮＢをトリガするための手段を備える。
【０４３０】
１つ若しくは複数の実施例に関して本明細書に記載の機能、動作、構成要素、及び／又は特徴は、１つ若しくは複数の他の実施例に関して本明細書に記載の１つ若しくは複数の他の機能、動作、構成要素、及び／又は特徴と組み合わせること、若しくは組み合わせて利用すること、又はその逆にすることができる。
【０４３１】
いくつかの特徴について本明細書で説明したが、多くの修正、置換、変更、及び等価物が当業者には想起され得る。したがって、添付の特許請求の範囲は、すべてのこのような修正及び変更を、本開示の真の主旨の範囲に含まれるものとしてカバーするように意図されている。
【図１】
2018528650.tif 000003
【図２】
2018528650.tif 000004
【図３】
2018528650.tif 000005
【図４】
2018528650.tif 000006
【図５】
2018528650.tif 000007
【図６】
2018528650.tif 000008
【図７】
2018528650.tif 000009
【図８】
2018528650.tif 000010
【図９】
2018528650.tif 000011
【図１０】
2018528650.tif 000012
【図１１】
2018528650.tif 000013
【国際調査報告】
2018528650.tif 000014
2018528650.tif 000015